(57)【要約】【課題】応答処理等の演算能力が不足しないようにすることが可能となる通信装置、通信方法及び通信プログラムを提供する。【解決手段】複数の他通信装置との通信を実行する複数の応答部と割振部とを備える通信装置であって、割振部は、予め定められた特定の処理である特定処理又は応答処理を、他通信装置に対応付けられた少なくとも一つの応答部に割振り、特定処理又は前記応答処理が割振られた応答部は、所定の条件を満たす場合、特定処理又は前記応答処理を実行する、通信装置である。【選択図】図１
2018129776.tif 000002
【特許請求の範囲】
【請求項１】
複数の他通信装置との通信を実行する複数の応答部と割振部とを備える通信装置であって、
前記割振部は、予め定められた特定の処理である特定処理又は応答処理を、前記他通信装置に対応付けられた少なくとも一つの前記応答部に割振り、
前記特定処理又は前記応答処理が割振られた前記応答部は、所定の条件を満たす場合、前記特定処理又は前記応答処理を実行する、
通信装置。
【請求項２】
前記割振部は、識別子と、通信の応答が前記他通信装置から自通信装置に到着した時刻と、前記特定処理又は前記応答処理に応じたデータがメモリに生成された時刻とのうち少なくとも一つに基づいて、前記特定処理又は前記応答処理を割振る、請求項１に記載の通信装置。
【請求項３】
前記特定処理又は前記応答処理が割振られたか否かを前記割振部から前記応答部に通知するためのインタフェース
をさらに備える、請求項１又は請求項２に記載の通信装置。
【請求項４】
前記応答部は、前記割振部として動作する場合、前記他通信装置に対応付けられた少なくとも一つの前記応答部に前記特定処理又は前記応答処理を割振る、請求項１から請求項３のいずれか一項に記載の通信装置。
【請求項５】
複数の他通信装置との通信を実行する複数の応答部と割振部とを備える通信装置が実行する通信方法であって、
前記割振部が、予め定められた特定の処理である特定処理又は応答処理を、前記他通信装置に対応付けられた少なくとも一つの前記応答部に割振るステップと、
前記特定処理又は前記応答処理が割振られた前記応答部が、所定の条件を満たす場合、前記特定処理又は前記応答処理を実行するステップと、
を含む通信方法。
【請求項６】
請求項１から請求項４のいずれか一項に記載の通信装置としてコンピュータを機能させるための通信プログラム。
【発明の詳細な説明】
【技術分野】
【０００１】
本発明は、通信装置、通信方法及び通信プログラムに関する。
【背景技術】
【０００２】
通信装置を備える通信システムには、例えば、ＰＯＮ（Ｐａｓｓｉｖｅ  Ｏｐｔｉｃａｌ  Ｎｅｔｗｏｒｋ）システムがある。ＰＯＮシステムは、顧客の宅内等に設置されるＯＮＵ（Ｏｐｔｉｃａｌ  Ｎｅｔｗｏｒｋ  Ｕｎｉｔ：光加入者線終端装置）と、局舎に設置される通信装置であるＯＬＴ（Ｏｐｔｉｃａｌ  Ｌｉｎｅ  Ｔｅｒｍｉｎａｌ：光加入者線端局装置）と、光ファイバ網とを備える。光ファイバ網は、複数のＯＮＵと複数のＯＬＴとを接続する場合がある。
【０００３】
通信装置において、装置の準拠規格、世代、方式、システム、機器種別、製造ベンダの少なくともいずれかに関して依存性の低い機能を部品化し、当該機能のアプリケーションプログラミングインタフェース（ＡＰＩ：Ａｐｐｌｉｃａｔｉｏｎ  Ｐｒｏｇｒａｍｍｉｎｇ  Ｉｎｔｅｒｆａｃｅ）等の入出力インタフェース（ＩＦ：Ｉｎｔｅｒｆａｃｅ）の少なくとも一部を明確化し、汎用性・移植性・拡張性を高めることで、準拠規格、世代、方式、システム、機器種別、製造ベンダの少なくともいずれかが異なる機器間での共用や独自機能の追加を容易とすることができる（例えば、非特許文献１参照）。
【先行技術文献】
【非特許文献】
【０００４】
【非特許文献１】”ＦＡＳＡホームページへようこそ”、［online］、ＮＴＴアクセスサービスシステム研究所、［平成２８年１２月２０日検索］、インターネット〈URL：http://www.ansl.ntt.co.jp/j/FASA/index.html〉
【発明の概要】
【発明が解決しようとする課題】
【０００５】
以下、予め定められた特定の処理を「特定処理」という。通信装置（アクセス装置）の汎用性・移植性・拡張性向上には、機能部品の組み合わせの自由度が高められた通信装置が必要である。しかしながら、特定処理又は応答処理（以下「応答処理等」という。）の機能としては、通信装置等に追加された機能部品の機能は不足している場合がある。逆に、追加された応答処理等の機能が高機能である場合には、通信装置等の演算能力が不足してしまう場合がある。
【０００６】
これらのように、応答処理等の機能を単に追加するのみでは、応答処理等を演算する機能部品等であるリソースが不足してしまう。特に、計算機能が非力な通信機器等がＯＮＵあたりの計算負荷の高い応答処理等を実行した場合には、通信に大きな遅延が生じてしまう。しかしながら、応答処理等を演算する機能部品等であるリソースの配置は、様々である。リソースの組み合わせによっては、通信装置等における応答処理等の演算能力が不足する場合がある、という問題があった。
【０００７】
上記事情に鑑み、本発明は、応答処理等の演算能力が不足しないようにすることが可能である通信装置、通信方法及び通信プログラムを提供することを目的としている。
【課題を解決するための手段】
【０００８】
本発明の一態様は、複数の他通信装置との通信を実行する複数の応答部と割振部とを備える通信装置であって、前記割振部は、予め定められた特定の処理である特定処理又は応答処理を、前記他通信装置に対応付けられた少なくとも一つの前記応答部に割振り、前記特定処理又は前記応答処理が割振られた前記応答部は、所定の条件を満たす場合、前記特定処理又は前記応答処理を実行する、通信装置である。
【０００９】
本発明の一態様は、上記の通信装置であって、前記割振部は、識別子と、通信の応答が前記他通信装置から自通信装置に到着した時刻と、前記特定処理又は前記応答処理に応じたデータがメモリに生成された時刻とのうち少なくとも一つに基づいて、前記特定処理又は前記応答処理を割振る。
【００１０】
本発明の一態様は、上記の通信装置であって、前記特定処理又は前記応答処理が割振られたか否かを前記割振部から前記応答部に通知するためのインタフェースをさらに備える。
【００１１】
本発明の一態様は、上記の通信装置であって、前記応答部は、前記割振部として動作する場合、前記他通信装置に対応付けられた少なくとも一つの前記応答部に前記特定処理又は前記応答処理を割振る。
【００１２】
本発明の一態様は、複数の他通信装置との通信を実行する複数の応答部と割振部とを備える通信装置が実行する通信方法であって、前記割振部が、予め定められた特定の処理である特定処理又は応答処理を、前記他通信装置に対応付けられた少なくとも一つの前記応答部に割振るステップと、前記特定処理又は前記応答処理が割振られた前記応答部が、所定の条件を満たす場合、前記特定処理又は前記応答処理を実行するステップと、を含む通信方法である。
【００１３】
本発明の一態様は、上記の通信装置として機能させるための通信プログラムである。
【発明の効果】
【００１４】
本発明により、応答処理等の演算能力が不足しないようにすることが可能となる。
【図面の簡単な説明】
【００１５】
【図１】実施形態における、通信装置の構成の第１例を示す図である。
【図２】実施形態における、通信装置の構成の第２例を示す図である。
【図３】実施形態における、通信装置のアーキテクチャの第１例を示す図である。
【図４】実施形態における、通信装置のアーキテクチャの第２例を示す図である。
【図５】実施形態における、通信装置のアーキテクチャの第３例を示す図である。
【図６】実施形態における、通信装置のアーキテクチャの第４例を示す図である。
【図７】実施形態における、通信装置のアーキテクチャの第５例を示す図である。
【図８】実施形態における、通信装置及び外部サーバの構成の例を示す図である。
【図９】実施形態における、光アクセスシステムの構成の例を示す図である。
【図１０】実施形態における、通信装置内の機能部間の信号／情報の流れを示す図である。
【図１１】実施形態における、ＰＯＮ主信号処理機能部が有する機能構成の例を示す図である。
【図１２】実施形態における、ＰＯＮアクセス制御機能部が有する機能構成の例を示す図である。
【図１３】実施形態における、Ｌ２主信号処理機能部が有する機能構成の例を示す図である。
【図１４】実施形態における、保守運用機能部が有する機能構成の第１例を示す図である。
【図１５】実施形態における、保守運用機能部が有する機能構成の第２例を示す図である。
【図１６】実施形態における、保守運用機能部が有する機能構成の第３例を示す図である。
【図１７】実施形態における、ＰＯＮマルチキャスト機能部が有する機能構成の例を示す図である。
【図１８】実施形態における、省電力制御機能部が有する機能構成の例を示す図である。
【図１９】実施形態における、周波数・時刻同期機能部が有する機能構成の例を示す図である。
【図２０】実施形態における、プロテクション機能部が有する機能構成の例を示す図である。
【図２１】実施形態における、通信装置のアーキテクチャの詳細の例を示す図である。
【図２２】実施形態における、通信装置内の機能部間の信号／情報の流れを示す図である。
【図２３】実施形態における、通信装置が実行するアプリの例を示す図である。
【図２４】実施形態における、ＣＰＵパッケージの代わりにサーバ等にアプリを配置した例を示す図である。
【図２５】実施形態における、ＣＰＵ、スイッチ部（ＳＷ）及びＯＳＵの機能の例を示す図である。
【図２６】実施形態における、主要８機能のアプリの処理とＧ．９８９．３機能との対応の例を示す図である。
【図２７】実施形態における、ＰＬＯＡＭ及びＯＭＣＩをＳＷ経由で取得する構成の例を示す図である。
【発明を実施するための形態】
【００１６】
本発明の実施形態について、図面を参照して詳細に説明する。
【００１７】
（実施形態１）
図１は、通信装置の構成の第１例を示す図である。図１には、本実施形態に関係する機能ブロックのみを示す。通信システム１は、通信装置であるＯＬＴ２ａと、ＯＮＵ３−１〜３−Ｎとを備える。ＯＬＴ２ａは、応答部４−１〜４−Ｎ（Ｎは２以上の整数）を備える。応答部４は、例えば、ＣＰＵ（Central Processing Unit）等のプロセッサやそれを構成するコアが、非一時的又は一時的なメモリに記憶されたプログラムを実行することにより機能するソフトウェア機能部である。また、応答部４は、ＬＳＩ（Large Scale Integration）やＡＳＩＣ（Application Specific Integrated Circuit）等のハードウェア機能部であってもよい。
【００１８】
通信装置であるＯＮＵ３が相対する装置は、例えば、ＯＬＴ、ホームゲートウェイ（ＨＧＷ）又はユーザ端末（ＵＥ）である。通信装置であるＯＬＴが相対する装置は、例えば、ＯＮＵ、ＥＭＳ（Ｅｌｅｍｅｎｔ  Ｍａｎａｇｅｍｅｎｔ  Ｓｙｓｔｅｍ）又は上位スイッチ（上位ＳＷ）である。図１では、一例として、通信装置であるＯＬＴ２ａが相対する装置はＯＮＵ３である。
【００１９】
ＯＮＵ毎に処理する応答部４を固定してもよいが、以下では、複数の応答部４のうち処理毎及び時間毎に異なる応答部４が、同一のＯＮＵ３に対する処理を実行する。
ＯＬＴ２ａ応答部４は、所定の相対する装置又はその一部の、応答処理等の実行を、複数の応答部４のうち少なくとも一つに割振る。すなわち、応答部４は、処理を割振る機能部として動作する場合、少なくとも一つの応答部４に応答処理等を割振る。
【００２０】
応答処理とは、例えば、後述する保守、運用、制御、管理、監視、試験等のためのＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）、ＯＭＣＩ（ＯＮＵ  Ｍａｎａｇｅｍｅｎｔ  ａｎｄ  Ｃｏｎｔｒｏｌ  Ｉｎｔｅｒｆａｃｅ）、ＰＬＯＡＭ（Ｐｈｙｓｉｃａｌ  Ｌａｙｅｒ  Ｏｐｅｒａｔｉｏｎ，  Ａｄｍｉｎｉｓｔｒａｔｉｏｎ  ａｎｄ  Ｍａｉｎｔｅｎａｎｃｅ）、ＭＩＢ（Ｍａｎａｇｅｍｅｎｔ  Ｉｎｆｏｒｍａｔｉｏｎ  Ｂａｓｅ）、ＹＡＮＧ等の制御フレームや制御情報を、相対する装置と自通信装置との間で直接に又は他の装置を介してやり取りする処理である。特定処理とは、例えば、後述する機能の処理、処理実体又はアプリケーションを実施する処理である。
【００２１】
応答部４は、例えば、ＯＮＵ―IDやＬＬＩＤ（Ｌｏｇｉｃａｌ  Ｌｉｎｋ  ＩＤ）やＡｌｌｏｃ−ＩＤやＴ−ＣＯＮＴやＭＡＣアドレスやＩＰアドレスやＶＩＤ等の識別子と、応答処理等又はその処理に係る通信がＯＮＵ３等の相対する装置からＯＬＴ２ａに到着した時刻と、応答処理等に応じたデータがメモリ又はＣＰＵやそれを構成するコアやLSIやＡＳＩＣやＦＰＧＡ等に生成された時刻（以下「処理が生成された時刻」という。）とのうち少なくとも一つに基づいて、いずれか対応するかを定める。すなわち、応答部４は、応答部４の識別子と、通信の応答がＯＮＵ３等の相対する装置からＯＬＴ２ａに到着した時刻と、応答処理等又はその処理に係る通信に応じたデータがメモリ又はＣＰＵやそれを構成するコアやＬＳＩやＡＳＩＣやＦＰＧＡ等に生成された時刻とのうち少なくとも一つに基づいて、ＯＮＵ３等の相対する装置又はその一部に対応付けられた少なくとも一つの応答部４に応答処理等を割振る。例えば、応答部４は、識別子に対応付けられた応答部４に、時刻順に応じて応答処理等を割振る。
ここで、ＬＬＩＤ、Ａｌｌｏｃ−ＩＤ、Ｔ−ＣＯＮＴ、ＩＰアドレスは単一装置に複数付与でき、ＭＡＣアドレスはNIC毎に付与されるため、複数のＬＬＩＤ、Ａｌｌｏｃ−ＩＤ、Ｔ−ＣＯＮＴ、ＩＰアドレス、ＮＩＣを備える場合、ＬＬＩＤ、Ａｌｌｏｃ−ＩＤ、Ｔ−ＣＯＮＴ、ＩＰアドレス、ＭＡＣアドレスは相対する装置の一部を示す識別子となる。
また、今回の処理としたが、輻輳や故障等の切替契機が発生するまでは、ＯＮＵ３等の相対する装置又はその一部の係る処理を固定的と特定の応答部4に割振ってもよい。
【００２２】
各応答部４は、例えば、昇順、降順、ラウンドロビン、重みづけに応じたラウンドロビン（重みづけラウンドロビン）、ランダム、帯域の割当の履歴、通信の導通の履歴、通信要求の履歴、応答処理等の履歴、応答部４の処理履歴、応答部４の利用可能な計算リソースやメモリリソース、応答部４の利用コスト、応答部４までの利用可能な通信リソース、応答部４までの通信コストのうちいずれか又は組み合わせに基づいて、応答処理等を各応答部４に割振る。重みづけは、例えば、演算能力やメモリ等のリソース自体又はそれらの利用可能なリソース量に応じてでもよいし、消費電力が高いリソースの利用量が低減するようにしてもよい。
【００２３】
応答部４は、応答処理等を引き受けるか否かを判定する。応答部４は、処理負荷が所定の値よりも高い又は低い場合、応答処理等を引き受けない。引き受ける応答部４がいない場合、所定の条件を満たす応答部４は、昇順、降順、ラウンドロビン、重みづけラウンドロビン、ランダム、履歴のいずれか又はそれらの組み合わせに基づいて、応答処理等を引き受けてもよい。
【００２４】
所定の条件とは、例えば、処理負荷が所定値よりも低い又は高いという条件である。処理負荷が低い応答部４の割振りを処理負荷の高い応答部４に割振ることで、処理負荷の低い応答部４を休止させたり削除したりすることによって、当該リソースの解放が可能となる。処理負荷の高い応答部４の処理を処理負荷の低い応答部４に割振ることで、処理負荷の平準化が可能となる。応答又は処理を割振られている応答部４の全体または一部の処理負荷が所定の値を超過する場合、応答部４は、休止中の応答部４を起動することが望ましく、新規にリソースを割当して応答部４を追加することが望ましい。
【００２５】
図２は、通信装置の構成の第２例を示す図である。図２には、本実施形態に関係する機能ブロックのみを示す。通信システム１は、通信装置であるＯＬＴ２ｂと、ＯＮＵ３−１〜３−Ｎとを備える。ＯＬＴ２ｂは、応答部４−１〜４−Ｎと、割振部５とを備える。図２では、一例として、通信装置であるＯＬＴ２ｂが相対する装置はＯＮＵ３である。
【００２６】
以下、ＯＬＴ２ａとＯＬＴ２ｂとに共通する事項については「ＯＬＴ２」と表記する。以下では、割振部５の処理を応答部４の間の連携で実施しても同様である。
【００２７】
割振部５は、例えば、ＣＰＵ等のプロセッサやそれを構成するコアが、非一時的又は一時的なメモリに記憶されたプログラムを実行することにより機能するソフトウェア機能部である。また、割振部５は、ＬＳＩやＡＳＩＣやFPGA等のハードウェア機能部であってもよい。割振部５は、応答処理等の割振又は休止又は起動又は追加又は削除の少なくともいずれか一つを行う。割振部５は、応答部４の負荷情報等を収集して、応答部４の負荷分散や集中指示してもよい。割振部５は、応答部４からの通知を受けて、他の応答部４に又は他の応答部４から応答処理等を移してもよい。割振部５は、識別子と、通信の応答がＯＮＵ３からＯＬＴ２ｂに到着した時刻と、応答処理等に応じたデータがメモリに生成された時刻とのうち少なくとも一つに基づいて、応答処理等を割振る。
【００２８】
負荷情報等は、処理対象としている識別子数や処理対象且つ処理中の識別子数やリソースの利用率や利用可能なリソースがやコスト等である。
本実施形態での割振部５は、主に「応答部４の負荷分散／集中」と「応答処理等の対象間の公平性」とのいずれかを実現するために実施する。
「応答部４の負荷分散／集中」のためには、例えば、各応答部４に割振されるＯＮＵ３やその一部等の識別子や、割振対象となる処理の送信時刻や受信時刻等の時間領域の割振の配分を変更すればよい。
【００２９】
「応答処理等の対象間の公平性」のためには、例えば、各応答部４に割振されるＯＮＵ３やその一部等の識別子を変更する。又は割当対象となる送信や受信時間の時間領域の配分を変更すれば良い。
例えば、応答処理等の処理量や頻度の又はそれらの履歴の少なくともいずれかを検出し、検出値が平準化するように組替する。
以下では、「割振部５」は、図１に示されている複数の応答部４のうちの少なくとも一つでもよいし、図２に示されている割振部５でもよい。
【００３０】
図１の場合は、特定の応答部４に割振り部を備えていてもよいし、複数の応答部４の間の処理の協調の結果が実行的に割振部５での処理と同様となるのでもよい。応答部４又は応答部４と割振部５の組は、後述する１つの指示部の中又は複数の指示部の間に適用してもよいし、後述する１つの実行部の中又は複数の実行部の間に適用してもよいし、指示部と実行部の組み合わせに適用してもよい。
【００３１】
ＯＬＴ２としての通信装置は、例えば、ＰＯＮ等の光ファイバ網等の通信網を経由する光信号等の信号によって、他の通信装置との通信を実行する通信装置である。この通信装置は、例えば、ＯＬＴ（光加入者線端局装置）である。通信装置は、例えば、ＯＳＵ（Ｏｐｔｉｃａｌ  Ｓｕｂｓｃｒｉｂｅｒ  Ｕｎｉｔ）でもよい。通信装置は、例えば、光信号を切り替えるスイッチ部（ＳＷ）を備える又は備えないＯＬＴと、他のスイッチ部（ＳＷ）との組み合わせでもよい。通信装置は、例えば、ＯＬＴとＯＮＵ（光加入者線終端装置）との組み合わせでもよい。通信装置は複数の機器を備えてもよい。また、ＯＮＵやＭＵＸ（マルチプレクサ）やＤＥＭＵＸ（デマルチプレクサ）やスイッチ等の他の通信装置であってもよい。
【００３２】
次に、例として、ＯＬＴ２としての通信装置が、ＴＷＤＭ（Ｔｉｍｅ  ａｎｄ  Ｗａｖｅｌｅｎｇｔｈ  Ｄｉｖｉｓｉｏｎ  Ｍｕｌｔｉｐｌｅｘ）−ＰＯＮシステムのようなＩＴＵ−Ｔ勧告準拠のＰＯＮのＯＬＴである場合を前提に、動作等を例示する。ここで、ＴＷＤＭ−ＰＯＮとしているが、ＰＯＮは、ＩＴＵ−Ｔ勧告準拠のＴＷＤＭ−ＰＯＮ以外のＰＯＮであってもよい。例えば、ＰＯＮは、ＧＥ（Ｇｉｇａｂｉｔ  Ｅｔｈｅｒｎｅｔ（登録商標））−ＰＯＮ、１０  ＧＥ−ＰＯＮ等のＩＥＥＥ規格準拠のＰＯＮであってもよい。ＴＣ（Ｔｒａｎｓｍｉｓｓｉｏｎ  Ｃｏｎｖｅｒｇｅｎｃｅ）レイヤやＰＭＤ（Ｐｈｙｓｉｃａｌ  Ｍｅｄｉｕｍ  Ｄｅｐｅｎｄｅｎｔ）レイヤは、標準規格において対応する層に読み替えれば同様である。
【００３３】
ＯＬＴ２としての通信装置は、ハードウェア又はソフトウェア又はそれらの組み合わせの部品又は部品化した機能を備える。例えば、ＯＬＴ２としての通信装置は、サービス毎あるいは通信事業者毎に異なる機能等を、汎用化した入出力インタフェース（例えば、ＦＡＳＡ（Flexible Access System Architecture：新アクセスシステムアーキテクチャ）アプリケーションＡＰＩ）を用いて実現されるソフトウェア部品であるアプリケーション（例えばＦＡＳＡアプリケーション）と、該アプリケーションに汎用化した該入出力インタフェースを提供すると共に標準化されている等の理由で、サービスや要求に応じた変更が不要な機能を提供するアクセスネットワーク装置の基盤的構成要素（例えば、ＦＡＳＡ基盤）とを備える。ここで、汎用化した入出力インタフェースを用いることにより、機能の追加や入替を容易にし、様々な要求のサービスを柔軟かつ迅速に提供する。なお、本明細書では、アプリケーションを「アプリ」とも記載する。
【００３４】
部品間のやり取りは、例えば、後述のミドルウェア部１２０を介すが、ＯＬＴ２としての通信装置の独自の転送経路や手段を用いてもよいし、ＯｐｅｎＦｌｏｗや、Ｎｅｔｃｏｎｆ／ＹＡＮＧや、ＳＮＭＰ（Ｓｉｍｐｌｅ  Ｎｅｔｗｏｒｋ  Ｍａｎａｇｅｍｅｎｔ  Ｐｒｏｔｏｃｏｌ）等の規格化された手段を用いてもよい。
【００３５】
また、部品間のやり取りは、内部配線、バックボード、ＯＡＭ部、主信号線、専用の配線、オペレーションシステム、コントローラ又は制御盤（Ｃｏｎｔ盤）等の経路のいずれでよい。部品間のやり取りを直接終端して入力する場合、ＯＡＭ部又は主信号にカプセル化してもよい。部品間のやり取りをいずれかの箇所で終端して、内部配線、バックボード、ＯＡＭ部、主信号線、専用の配線、オペレーションシステム、コントローラ又は制御盤等の経路を経由して入力してもよい。ＯＡＭ部や主信号線を用いる場合、ＯＡＭ部や主信号にカプセル化することが望ましい。主信号線を通す場合はＯＳＵ又は他箇所のスイッチ部にて振り分けることが望ましい。
【００３６】
本実施形態では、ＯＬＴ２としての通信装置は、更に、ＦＡＳＡアプリケーション等のアプリケーション又はＦＡＳＡ基盤等のプラットフォーム等でソフトウェア部品のためのインタフェースを備える。
【００３７】
ＯＬＴ２の応答部４及び割振部５は、インタフェースを備える。インタフェースは、例えば、応答部４に割振られた識別子の通知等に関するインタフェースである。例えば、インタフェースは、応答処理等が割振られたか否かを割振部５から応答部４に通知するためのインタフェースである。例えば、インタフェースは、応答部４から他の応答部４への割振を通知するためのインタフェースである。例えば、インタフェースは、応答部４から割振部５への処理負荷を通知するためのインタフェースである。例えば、インタフェースは、割振部５から応答部４に、休止／起動／追加／削除を指示するためのインタフェースである。例えば、インタフェースは、応答部４が休止／起動／追加／削除を通知するためのインタフェースである。例えば、インタフェースは、削除した応答部４のリソースを開放するためのインタフェースである。例えば、インタフェースは、応答部４を追加するに必要なリソースを確保するためのインタフェースである。
【００３８】
割振部５は例えばスイッチ部に配置するのが望ましい。スイッチ部に配置し、処理要求や関連する情報を当該応答部４に割振し、当該応答部４から処理結果を振り戻すのが容易である効果がある。スイッチ部に無い場合は、割振部５は応答部４に加えて、処理に係る入出力をスイッチ部経由で入出力する場合はスイッチ部に、それ以外の経路振分を用いる場合は当該経路振分に指示する。なお、指示部が、直接に指示してもよいし、コントローラやＥＭＳ等を経由して指示しても良い。
【００３９】
（実施形態１−１）
実施形態１−１では、ＴＷＤＭ−ＰＯＮに用いられる通信システムを構成する通信装置の構成について説明する。実施形態１−１で説明する通信装置は、図１に示すＯＬＴ２ａや、図２に示すＯＬＴ２ｂとして用いられる。以下、通信装置のアーキテクチャの例として、第１例から第６例までを説明する。通信システムを構成する通信装置のアーキテクチャは、下記で説明する第１例から第６例まで以外のアーキテクチャであってよい。例えば、アーキテクチャの第１例から第６例における通信装置のソフトウェア部は、ハードウェア部でもよい。
【００４０】
（アーキテクチャの第１例）
図３は、通信装置のアーキテクチャの第１例を示す図である。アーキテクチャの第１例では、通信装置は、動作が機器に依存する非汎用の機器依存部１１０と、機器依存部１１０のハードウェアやソフトウェアの違いを隠蔽するミドルウェア部１２０と、動作が機器に依存しない汎用の機器無依存アプリ部１３０とを備える。したがって、機器依存部１１０（ベンダ依存部）は、通信装置の機器が準拠する標準規格や機器の製造ベンダに依存する機能部である。言い換えれば、機器依存部１１０は、他の通信機器との互換性が小さく、新たに製造された通信機器（特に、準拠する標準や製造ベンダが異なる機器）にはそのまま用いることができない。機器依存部１１０は、ネットワーク機器に備わる１以上の機能を実行する。
【００４１】
また、機器無依存アプリ部１３０は、通信装置の機器が準拠する標準規格や機器の製造ベンダに依存しない機能部である。言い換えれば、機器無依存アプリ部１３０は、他の通信機器との互換性が大きく、新たに製造された通信機器（特に、準拠する標準や製造ベンダが異なる機器）にそのまま用いることができる。機器無依存アプリ部１３０に設けられるアプリの具体例として、ネットワーク機器における設定処理を行うアプリ、設定の変更処理を行うアプリ、アルゴリズム処理を行うアプリ等がある。
【００４２】
ミドルウェア部１２０と機器無依存アプリ部１３０とは、機器無依存ＡＰＩ２１を介して接続される。機器無依存ＡＰＩ２１は、機器に依存しない入出力ＩＦである。
【００４３】
機器依存部１１０は、例えばハードウェア部１１１（ＰＨＹ）、ハードウェア部１１２（ＭＡＣ）、ソフトウェア部１１３及びＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）部１１４を備えて構成される。ハードウェア部１１１（ＰＨＹ）、ハードウェア部１１２（ＭＡＣ）、ソフトウェア部１１３及びＯＡＭ部１１４と、ミドルウェア部１２０とは、機器依存ＡＰＩ２３を介して接続される。機器依存ＡＰＩ２３は、機器に依存する入出力ＩＦである。機器依存部１１０は、更にＮＥ（Ｎｅｔｗｏｒｋ  Ｅｌｅｍｅｎｔ）管理・制御部１１５を備える。ＮＥ管理・制御部１１５とミドルウェア部１２０とは、機器依存ＡＰＩ２５を介して接続される。機器依存ＡＰＩ２５は、機器に依存する入出力ＩＦである。
【００４４】
どのような機能を機器依存部１１０又は機器無依存アプリ部１３０とするかは、ミドルウェア部１２０や機器無依存アプリ部１３０を実現するための処理に由来する制限、例えば、ソフトウェアの処理能力に由来する制限に加えて、機能の更新頻度や拡張機能の重要度等に応じて決められてもよい。これによって、通信装置は、機器無依存アプリ部１３０による拡張機能部（独自機能部）の柔軟かつ迅速な追加を容易にし、通信サービスをタイムリーに提供することができる。
【００４５】
例えば、主信号の優先処理や回線の利用効率を向上するＤＢＡ（Ｄｙｎａｍｉｃ  Ｂａｎｄｗｉｄｔｈ  Ａｓｓｉｇｎｍｅｎｔ）、動的波長割当（ＤＷＡ：  Ｄｙｎａｍｉｃ  Ｗａｖｅｌｅｎｇｔｈ Ａｌｌｏｃａｔｉｏｎ）、動的波長帯域割当（ＤＷＢＡ：  Ｄｙｎａｍｉｃ  Ｗａｖｅｌｅｎｇｔｈ  ａｎｄ  Ｂａｎｄｗｉｄｔｈ  Ａｌｌｏｃａｔｉｏｎ）（以下「ＤＢＡ等」という。）の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【００４６】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦが用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【００４７】
図３及び後述する図４に示すミドルウェア部１２０と、後述する図５及び後述する図６に示す機器依存部１１０のドライバと、後述する図４及び後述する図６に示す機器依存アプリ部１５０（ベンダ依存アプリ部）との少なくともいずれかに、ＩＦやパラメータ等を機器依存部１１０に対応するように変換する変換機能部や、不足するＩＦやパラメータ等に対応して自動設定する機能部を更に備えてもよい。
【００４８】
図３に示す機器依存部１１０は、ハードウェア部１１１（ＰＨＹ）及びハードウェア部１１２（ＭＡＣ）と、ソフトウェア部１１３とを備える。ハードウェア部１１１（ＰＨＹ）は、物理層から光送受信関連の処理まで（ＰＨＹｓｉｃａｌ  ｓｕｂｌａｙｅｒ処理）を実行する。ハードウェア部１１２（ＭＡＣ）は、ＭＡＣ（Ｍｅｄｉａ  Ａｃｃｅｓｓ  Ｃｏｎｔｒｏｌ）処理を実行する。ハードウェア部１１１（ＰＨＹ）及びハードウェア部１１２（ＭＡＣ）は、準拠する標準規格や製造ベンダに依存する。ソフトウェア部１１３は、機器依存のドライバ、ファームウェア、アプリケーション等を実行する。
【００４９】
機器依存部１１０のハードウェア部１１１（ＰＨＹ）及びハードウェア部１１２（ＭＡＣ）は、これら以外に汎用サーバやレイヤ２スイッチ等を備えてもよい。機器依存部１１０は、ハードウェア部１１２（ＭＡＣ）を備えなくてもよい。機器依存部１１０は、ハードウェア部１１１（ＰＨＹ）の一部を備えなくてもよい。例えば、機器依存部１１０は、変復調信号処理、前方誤り訂正（ＦＥＣ、Ｆｏｒｗａｒｄ  Ｅｒｒｏｒ  Ｃｏｒｒｅｃｔｉｏｎ）、符復号処理、暗号化処理等の低位の信号処理を備えずに、光関連の機能のみを備えてもよい。機器依存部１１０は、データを符号化する部分であるＰＣＳ（ＰＨＹｓｉｃａｌ  Ｃｏｄｉｎｇ  Ｓｕｂｌａｙｅｒ）を備えなくてもよい。機器依存部１１０は、データのシリアル化を行うＰＭＡ（Ｐｈｙｓｉｃａｌ  Ｍｅｄｉｕｍ  Ａｔｔａｃｈｍｅｎｔ）とＰＣＳとを備えなくてもよい。機器依存部１１０は、物理媒体に接続するＰＭＤを備えなくてもよい。機器依存部１１０は、ミドルウェア部１２０がソフトウェア部１１３を介さずに機器依存部１１０のハードウェア部１１１（ＰＨＹ）及びハードウェア部１１２（ＭＡＣ）を直接に駆動、制御、操作又は管理する場合、ソフトウェア部１１３を備えなくてもよい。
【００５０】
機器無依存アプリ部１３０は、例えば、拡張機能部１３１−１〜１３１−３（図３では、拡張機能Ａ、拡張機能Ｂ及び拡張機能Ｃ）と、基本機能部１３２と、管理・制御エージェント部１３３とを備える。管理・制御エージェント部１３３は、ＥＭＳ（Ｅｌｅｍｅｎｔ  Ｍａｎａｇｅｍｅｎｔ  Ｓｙｓｔｅｍ）１４０からデータをやり取りする。
【００５１】
図ではＥＭＳ１４０及び外部の装置１６０がミドルウェア部１２０を介して機器無依存アプリ部１３０に接続しているが、ＥＭＳ１４０及び外部の装置１６０は必ずしもミドルウェア部１２０を介して機器無依存アプリ部１３０に接続している必要は無い。ＥＭＳ１４０及び外部の装置１６０は、必要に応じてミドルウェア部１２０に適宜接続してもよいし、機器無依存アプリ部１３０に直接接続してもよい。また「ミドルウェア部１２０経由で接続」と表現しているが、この表現は機器無依存アプリ部１３０からみた視点での表現である。実際には、ハードウェアでの接続の後にミドルウェア部１２０を介して機器無依存アプリ同士が接続している。
【００５２】
以下、拡張機能部１３１−１〜１３１−３に共通する事項については、符号の一部を省略して、「拡張機能部１３１」と表記する。ＥＭＳ１４０は、例えば、ＮＥのコントローラである。なお、機器無依存アプリ部１３０は、拡張機能部１３１と基本機能部１３２と管理・制御エージェント部１３３とのうちいずれかを含まなくてもよいし、管理・制御エージェント部１３３が基本機能部１３２に含まれていてもよいし、管理・制御エージェント部１３３が基本機能部１３２やミドルウェア部１２０に含まれていてもよい。
【００５３】
機器無依存アプリ部１３０は、拡張機能部１３１、基本機能部１３２、及び管理・制御エージェント部１３３以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含んでもよい。
【００５４】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【００５５】
基本機能部１３２は、拡張機能部１３１の一部として機器無依存アプリ部１３０に含まれてもよいし、ミドルウェア部１２０よりも下位の機能部によって代替されてもよい。拡張機能部１３１が基本機能部１３２を含む場合、機器無依存アプリ部１３０は基本機能部１３２を含まなくてもよい。ミドルウェア部１２０よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【００５６】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【００５７】
ＥＭＳ１４０と機器無依存アプリ部１３０とは、情報を直接入出力してもよい。また、機器依存部１１０は、ＮＥ管理・制御部１１５と、ＮＥ管理・制御部１１５の下位の機能部の機器依存アプリ部１５０（後述する図４及び後述する図６参照）によって代替されてもよい。
【００５８】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【００５９】
機器無依存アプリ部１３０と機器依存部１１０との入出力の例は以下である。
例えば、ＤＢＡアプリ部及びプロテクションアプリ部は、ＴＣレイヤのエンベデッドＯＡＭエンジン（Ｅｍｂｅｄｄｅｄ  ＯＡＭ  Ｅｎｇｉｎｅ）と、相互に情報を入出力する。ＤＷＢＡ（Ｄｙｎａｍｉｃ  Ｗａｖｅｌｅｎｇｔｈ  ａｎｄ  Ｂａｎｄｗｉｄｔｈ  Ａｓｓｉｇｎｍｅｎｔ）アプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤ（Ｍｕｌｔｉｃａｓｔ  Ｌｉｓｔｅｎｅｒ  Ｄｉｓｃｏｖｅｒ）プロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ（ＸＧＰＯＮ  Ｅｎｃａｐｓｕｌａｔｉｏｎ  Ｍｅｔｈｏｄ  Ｆｒａｍｅｒ）及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【００６０】
なお、機器無依存アプリ部１３０の実装には、優先順位があってもよい。例えば、管理・制御エージェント部１３３が最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【００６１】
機器無依存アプリ部１３０は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢ（Ｂｒｏａｄｂａｎｄ）ＰＯＮとのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【００６２】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【００６３】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【００６４】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１（ＰＨＹ）又はハードウェア部１１２（ＭＡＣ）と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１（ＰＨＹ）又はハードウェア部１１２（ＭＡＣ）であれば、ミドルウェア部１２０は、それぞれに入力する形式の機器依存ＡＰＩ２３の形式に変換してから、又は終端して所定の処理を施してから情報を出力先に送信する。
【００６５】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【００６６】
図３では、ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬ（Ｄｙｎａｍｉｃ  Ｌｉｎｋ  Ｌｉｂｒａｒｙ）のような実行プログラムとして、単一のプロセッサ上のユーザ空間上に配置してもよいし、複数のプロセッサ上のユーザ空間上に配置してもよい。
【００６７】
また、機器無依存アプリ部１３０は、ＡＰＩ等の入出力ＩＦを確保した上でカーネル空間に配置してもよいし、独立にファームウェア等に入替可能なＩＦを有するミドルウェア部１２０とともに配置してもよいし、ファームウェア等に組み込んでコンパイルし直してもよい。機器無依存アプリ部１３０毎にユーザ空間やカーネル空間を任意の組み合わせとしてもよい。
同一の機能に対応する機器無依存アプリ部１３０を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部１１０のソフトウェアも同様である。
【００６８】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０（後述する図４及び後述する図６参照）を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【００６９】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【００７０】
なお、本例では、ソフト化領域を、基本機能部１３２、管理・制御エージェント部１３３、拡張機能部１３１、ミドルウェア部１２０としたが、ソフト化領域は、サービスアダプテーション（暗号化、フラグメント処理、ＧＥＭフレーム化／ＸＧＥＭフレーム化、ＰＨＹアダプテーションのＦＥＣ、スクランブル、同期ブロック生成／抽出、ＧＴＣ（ＧＰＯＮ  Ｔｒａｎｓｍｉｓｓｉｏｎ  Ｃｏｎｖｅｒｇｅｎｃｅｓ）フレーム化、ＰＨＹフレーム化、ＳＰ変換、符号化方式も対象としてもよい。アーキテクチャのソフト化機能の実装例とハードウェア部に対応する機能配備の例を説明する。機能配備は、例えば、ネットワーク機器又は外部のサーバにソフト化機能を備える。これは他の例でも同様である。
【００７１】
（アーキテクチャの第２例）
図４は、通信装置のアーキテクチャの第２例を示す図である。図４では、通信装置は、図３に示す通信装置のミドルウェア部１２０の配下に機器依存アプリ部１５０を更に備えた構成である。アーキテクチャの第２例は、機器依存アプリ部１５０を備えること以外は、アーキテクチャの第１例と同様である。
【００７２】
図４では、通信装置は、準拠する機器依存部１１０の標準規格又は機器製造ベンダに依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ、ファームウェア等を実行するソフトウェア部１１３と、機器依存部１１０のハードウェア部１１１（ＰＨＹ）及びハードウェア部１１２（ＭＡＣ）やソフトウェア部１１３の少なくとも一部を駆動する機器依存アプリ部１５０と、機器依存部１１０のハードウェア部１１１（ＰＨＹ）、ハードウェア部１１２（ＭＡＣ）、ソフトウェア部１１３及び機器依存アプリ部１５０の違いを隠蔽するミドルウェア部１２０と、機器に依存しない汎用の機器無依存アプリ部１３０とを備える。
【００７３】
ミドルウェア部１２０と機器依存アプリ部１５０とは、機器依存ＡＰＩ２３で接続される。機器依存アプリ部１５０と、機器依存部１１０のＯＡＭ部１１４、ソフトウェア部１１３、ハードウェア部１１１（ＰＨＹ）及びハードウェア部１１２（ＭＡＣ）とは、機器依存ＡＰＩ２４で接続される。機器依存アプリ部１５０と管理・制御エージェント部１３３とは、ＡＰＩ２６で接続される。
【００７４】
機器無依存アプリ部１３０は、例えば、ＥＭＳ１４０からの通信を受ける管理・制御エージェント部１３３と、基本機能部１３２と、拡張機能部１３１とを備える。機器無依存アプリ部１３０は、アーキテクチャの第１例と同様に、管理・制御エージェント部１３３と基本機能部１３２と拡張機能部１３１とのうちいずれかを備えなくてもよい。機器無依存アプリ部１３０は、管理・制御エージェント部１３３と基本機能部１３２と拡張機能部１３１と以外の機能部を、更に備えてもよい。また、拡張機能部１３１は、アーキテクチャの第１例と同様に、他の機能に影響を与えずに追加、削除、入替又は変更が可能であることが好ましい。
【００７５】
基本機能部１３２は、各拡張機能部１３１の一部として含まれていてもよいし、ミドルウェア部１２０の下位で代替されてもよい。拡張機能部１３１が基本機能部１３２を含む場合や、ミドルウェア部１２０の下位が基本機能部１３２を代替する場合や、それらの組み合わせである場合、機器無依存アプリ部１３０は基本機能部１３２を含まなくてもよい。
【００７６】
また、基本機能部１３２の一部もミドルウェア部１２０の下位の機器依存アプリ部１５０で代替してもよい。管理・制御エージェント部１３３は、予め定められた設定に従って自動設定する場合、ＥＭＳ１４０との間で情報を入出力しなくてよい。更に、管理設定機能を管理・制御エージェント部１３３が備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【００７７】
ＥＭＳ１４０と機器無依存アプリ部１３０とは、直接入出力してもよい。ミドルウェア部１２０の下位が基本機能部１３２の全てを代替する場合、機器無依存アプリ部１３０は、基本機能部１３２を備えなくてもよい。
【００７８】
図４に示す通信装置において、機器依存アプリ部１５０は、ミドルウェア部１２０を介して情報を入出力してもよいし、管理・制御エージェント部１３３から情報を直接入出力してもよいし、両者のうちのいずれかとの間で情報を入出力してもよいし、ＥＭＳ１４０と直接入出力してもよい。また、機器依存アプリ部１５０が、ＥＭＳ１４０からの通信を受けずに、予め定められた設定に従って自動設定されており、ミドルウェア部１２０を介してＥＭＳ１４０から管理及び制御情報を取得可能である場合、機器無依存アプリ部１３０は、管理・制御エージェント部１３３を備えなくてもよい。
【００７９】
機器無依存アプリ部１３０は、ミドルウェア部１２０を介して少なくとも機器依存部１１０のハードウェア部１１１（ＰＨＹ）及びハードウェア部１１２（ＭＡＣ）との間又はソフトウェア部１１３との間で、情報を入出力する。機器無依存アプリ部１３０は、必要に応じてミドルウェア部１２０を介して、相互に入出力する。特に、機器無依存アプリ部１３０は、ＥＭＳ１４０との間で入出力された情報に応じて制御又は管理を実行する場合、ＥＭＳ１４０からの通信を受ける管理・制御エージェント部１３３との間で、情報を入出力する。
【００８０】
ＮＥ管理・制御部１１５は、ミドルウェア部１２０を介して管理・制御エージェント部１３３との間で、ＮＥ管理情報及び制御情報を入出力する。ＮＥ管理・制御部１１５は、ミドルウェア部１２０を介さずに、ＥＭＳ１４０との間で、ＮＥ管理情報及び制御情報を直接入出力してもよい。
【００８１】
機器依存アプリ部１５０は、管理・制御エージェント部１３３との間で、ＮＥ管理情報及び制御情報を入出力している。機器依存アプリ部１５０は、管理・制御エージェント部１３３を介さずに、ＥＭＳ１４０との間で、情報を直接入出力してもよい。管理・制御エージェント部１３３は、ＥＭＳ１４０、ミドルウェア部１２０及び機器依存アプリ部１５０との間で、情報を入出力する。ミドルウェア部１２０は、ＮＥ管理・制御部１１５との間で、ＮＥ管理情報及び制御情報を入出力する。
【００８２】
ＮＥ管理・制御部１１５は、ミドルウェア部１２０を介さずに、ＥＭＳ１４０との間で、ＮＥ管理情報及び制御情報を直接入出力してもよい。ミドルウェア部１２０は、機器無依存アプリ部１３０との間で、機器無依存ＡＰＩ２１を介して情報を入出力し、機器依存部１１０のＯＡＭ部１１４、ドライバ、ファームウェア、ハードウェア部１１１（ＰＨＹ）及びハードウェア部１１２（ＭＡＣ）との間で、機器依存ＡＰＩ２３を介して情報を入出力する。
【００８３】
図４に示すミドルウェア部１２０は、図３に示すミドルウェア部１２０と同様に、そのまま又は所定の形式で入力する。機器無依存ＡＰＩ２１は、後から追加する拡張機能部１３１を想定して、予めミドルウェア部１２０に備えることが望ましいが、必要に応じて、機器依存ＡＰＩ２３や他の機器無依存アプリ部１３０の改変を抑制する形で追加又は削除してもよい。
【００８４】
（アーキテクチャの第３例）
図５は、通信装置のアーキテクチャの第３例を示す図である。図５では、図３に示すアーキテクチャの第１例で説明したミドルウェア部１２０の代わりに、基本機能部１３２が、ハードウェア部１１１（ＰＨＹ）及びハードウェア部１１２（ＭＡＣ）と、拡張機能部１３１との入出力を行う。その他の機器無依存アプリ部１３０は、アーキテクチャの第１例と同様である。
【００８５】
なお、図ではＥＭＳ１４０及び外部の装置１６０が基本機能部１３２を介して機器無依存アプリ部１３０に接続しているが、ＥＭＳ１４０及び外部の装置１６０は必ずしも基本機能部１３２を介して機器無依存アプリ部１３０に接続している必要はない。ＥＭＳ１４０及び外部の装置１６０は、必要に応じてミドルウェア部１２０に適宜接続してもよいし、機器無依存アプリ部１３０に直接接続してもよい。また「ミドルウェア部１２０経由で接続」と表現しているが、この表現は機器無依存アプリ部１３０からみた視点での表現である。実際には、ハードウェアでの接続の後にミドルウェア部１２０を介して機器無依存アプリ同士が接続している。
【００８６】
アーキテクチャの第１例と比べて、第３例は、機器依存ＡＰＩ２３、２５を備えるミドルウェア部１２０を、準拠する標準規格、世代、方式、システム、機器種別、製造ベンダの少なくともいずれかが異なる機器毎に作成する必要がない。これによって、アーキテクチャの第３例の通信装置は、機器間世代間でより多くの機能を汎用化して移植し易く、接続性の検証も容易で、機器の機能が堅牢となる効果がある。
【００８７】
アーキテクチャの第３例による通信装置は、機器依存部１１０と、機器無依存アプリ部１３０とを備える。機器依存部１１０は、準拠する標準規格又は機器製造ベンダ等に依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ、ファームウェア等のソフトウェア部１１３とを備える。ドライバ等は、機器依存部１１０の違いを隠蔽する。
【００８８】
機器無依存アプリ部１３０は、拡張機能部１３１と、基本機能部１３２とを備える。基本機能部１３２は、ハードウェア部１１１（ＰＨＹ）及びハードウェア部１１２（ＭＡＣ）と機器依存のソフトウェア部１１３との違いを隠蔽するドライバを介して、機器無依存ＡＰＩ２７（移植用ＩＦ）により機器依存部１１０と接続する。機器無依存アプリ部１３０は、ハードウェア部１１１（ＰＨＹ）及びハードウェア部１１２（ＭＡＣ）と機器依存のソフトウェア部１１３との違いを隠蔽するドライバを介して、ハードウェア部１１１（ＰＨＹ）及びハードウェア部１１２（ＭＡＣ）と機器依存のソフトウェア部１１３との間で、データを入出力する。
【００８９】
基本機能部１３２と拡張機能部１３１とは、機器無依存ＡＰＩ２２（拡張用ＩＦ）を介して接続される。基本機能部１３２と機器依存部１１０とは、機器無依存ＡＰＩ２７を介して接続される。機器無依存アプリ部１３０の内の基本機能部１３２が、ミドルウェア部１２０の代わりに、ハードウェア部１１１（ＰＨＹ）及びハードウェア部１１２（ＭＡＣ）や拡張機能部１３１との間で、情報の入出力を行う。
【００９０】
機器無依存アプリ部１３０は、必要に応じて基本機能部１３２を介して、相互に入出力する。機器無依存アプリ部１３０の拡張機能部１３１は、基本機能部１３２及び機器無依存ＡＰＩ２２を介して、情報を入出力する。基本機能部１３２は、拡張機能部１３１と機器無依存ＡＰＩ２２を介して情報を入出力し、機器依存部１１０のＯＡＭ部、ドライバ、ファームウェア、ハードウェア部１１１（ＰＨＹ）及びハードウェア部１１２（ＭＡＣ）と機器無依存ＡＰＩ２７とを介して情報を入出力する。
【００９１】
基本機能部１３２は、図３に示すミドルウェア部１２０と同様に、そのまま又は所定の形式で情報を入力する。例えば、他の機器無依存アプリ部１３０であれば、基本機能部１３２は、入力する形式の機器無依存ＡＰＩ２２の形式にそれぞれに変換し、機器依存のＯＡＭ部、ドライバ、ファームウェア、ハードウェア部であれば、入力する形式の機器無依存ＡＰＩ２２の形式にそれぞれに変換してから、又は終端して所定の処理を施してから情報を入力する。入力の際に、基本機能部１３２は、それぞれの入力先に不要な入力情報を削除し、不足の情報があれば、他の機器無依存ＡＰＩ２２や機器無依存ＡＰＩ２７を介して収集して補足することが望ましい。しかし、基本機能部１３２は、入力先への入力を、ブロードキャスト又はマルチキャストして、関連するアプリ等に同報することとしてもよい。
【００９２】
機器無依存アプリ部１３０は、例えば、拡張機能部１３１−１〜１３１−３と、基本機能部１３２とを備える。機器無依存アプリ部１３０は、拡張機能部１３１と基本機能部１３２とのうち、いずれかを備えなくてもよい。機器無依存アプリ部１３０は、拡張機能部１３１と基本機能部１３２と以外の機能部を、更に備えてもよい。例えば、拡張機能部１３１が不要である場合、機器無依存アプリ部１３０は、拡張機能部１３１を備えなくてよい。
【００９３】
拡張機能部１３１は、他の機能に影響を与えることなく独立に追加又は削除可能であることが好ましい。例えば、サービス上の要求に合わせて、例えばマルチキャストサービス、省電力対応を拡張機能部１３１とする場合、拡張機能部１３１が必要になった場合に、適宜追加し、不要となった場合に適宜削除し、変更に応じて入替又は変更してもよい。
【００９４】
機器無依存ＡＰＩ２２は、後から追加する拡張機能部１３１を想定して、基本機能部１３２に予め備えることが望ましいが、必要に応じて、機器無依存ＡＰＩ２２、機器無依存ＡＰＩ２７、他の機器無依存アプリ部１３０の改変を抑制する形で、追加又は削除してもよい。
【００９５】
（アーキテクチャの第４例）
図６は、通信装置のアーキテクチャの第４例を示す図である。アーキテクチャの第４例とアーキテクチャの第３例との違いは、通信装置が、基本機能部１３２の配下に、機器依存アプリ部１５０を備える点である。このように、アーキテクチャの第４例の通信装置は、機器依存アプリ部１５０を備えることで、基本機能部１３２の構成を簡易化できる効果がある。
【００９６】
図６に示す通信装置は、機器依存部１１０と、機器無依存アプリ部１３０とを備える。機器依存部１１０は、準拠する標準規格又は機器製造ベンダに依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ、ファームウェア等のソフトウェア部１１３と、機器依存部１１０の少なくとも一部分を駆動する機器依存アプリ部１５０とを有する。機器無依存アプリ部１３０は、移植用ＩＦとハードウェア部１１１（ＰＨＹ）及びハードウェア部１１２（ＭＡＣ）と機器依存のソフトウェアとの違いを隠蔽するドライバを介して又は移植用ＩＦと機器依存アプリ部１５０とを介して、機器に依存しない処理を実行する汎用の機器無依存アプリである。機器無依存アプリ部１３０内の基本機能部１３２と、機器依存部１１０内の機器依存アプリ部１５０とは、機器無依存ＡＰＩ２７を介して接続される。機器依存アプリ部１５０と機器依存部１１０の他の機能部とは、機器依存ＡＰＩ２４を介して接続される。
【００９７】
機器無依存アプリ部１３０内の基本機能部１３２は、ミドルウェア部１２０の代わりに、基本機能部１３２がハード、拡張機能部１３１との入出力を行う。基本機能部１３２の中に、ＥＭＳ１４０からの通信を受ける管理・制御エージェント部１３３(図３、図４参照）相当を含んでいてもよいし、拡張機能部１３１として管理・制御エージェント部１３３を備えてもよい。
【００９８】
基本機能部１３２は、拡張機能部１３１と機器無依存ＡＰＩ２２（拡張用ＩＦ）を介して入出力し、機器依存部１１０のＯＡＭ部、ドライバ、ファームウェア、ハードウェア部１１１（ＰＨＹ）及びハードウェア部１１２（ＭＡＣ）と機器無依存ＡＰＩ２７（移植用ＩＦ）を介して入出力し、機器依存部１１０の差異を隠蔽する機器依存部１１０のドライバ又は機器依存アプリ部１５０と機器無依存ＡＰＩ２７を介して入出力する。
【００９９】
基本機能部１３２は、図３に示すミドルウェア部１２０と同様に、そのまま又は所定の形式で入力する。アーキテクチャの第３例と同様に、基本機能部１３２の中に、ＥＭＳ１４０からの通信を受ける管理・制御エージェント部１３３相当を含んでいてもよいし、拡張機能部１３１として管理・制御エージェント部１３３を備えてもよい。
【０１００】
機器無依存アプリ部１３０は、例えば、拡張機能部１３１−１〜１３１−３と、基本機能部１３２とを備える。機器無依存アプリ部１３０は、アーキテクチャの第３例と同様に、拡張機能部１３１と基本機能部１３２とのいずれかを備えなくてもよい。機器無依存アプリ部１３０は、アーキテクチャの第３例と同様に、拡張機能部１３１と基本機能部１３２と以外の機能部を、更に備えてもよい。
【０１０１】
拡張機能部１３１は、アーキテクチャの第３例と同様に、互いに独立に他の機能に影響を与えずに、追加、削除、入替又は変更が可能であることが好ましい。基本機能部１３２の一部は、機器依存アプリ部１５０で代替してもよい。機器依存アプリ部１５０は、情報を基本機能部１３２から直接入出力しているが、そのまま又は所定の変換の後に、基本機能部１３２を介さずにＥＭＳ１４０との間で情報を入出力してもよい。
【０１０２】
機器無依存ＡＰＩ２２、２７は、図３に示すアーキテクチャの第１例と同様に、後から追加する拡張機能部１３１を想定して、基本機能部１３２に予め備えることが望ましいが、機器無依存ＡＰＩ２２、機器無依存ＡＰＩ２７、他の機器無依存アプリ部１３０、機器依存アプリ部１５０又は機器依存ＡＰＩ２４の改変を抑制する形で、必要に応じて追加又は削除してもよい。
【０１０３】
（アーキテクチャの第５例）
図７の右上図は、アーキテクチャの第５例を示す図である。図７の右下図はアーキテクチャの第１〜第４例に相当する。同図では、通信装置がＯＬＴである場合を示している。アーキテクチャの第５例は、外付ハードにＯＬＴの機能を実装(クラウド化）することで、既存／市中品ＯＬＴハードを活用して、サービスに応じた機能追加／変更を用意とする機能クラウド化のアプローチを行う場合に好適である。
【０１０４】
本例では、通信装置は、既存／市中品ハードウェアと外付ハードウェアからなる。例えば既存／市中品ハードウェアは機器に依存する非汎用の機器依存部１１０であり、外付ハードウェア上にハードウェアやソフトウェアの違いを隠蔽するミドルウェア部１２１と、動作が機器に依存しない汎用の機器無依存アプリ部１３０とを備える。したがって、同図のミドルウェア以下の機器依存部（ベンダ依存部）は、通信装置の機器が準拠する標準規格や機器の製造ベンダに依存する機能部である。また、機器無依存アプリ部１３０は、通信装置の機器が準拠する標準規格や機器の製造ベンダに依存しない機能部である。
【０１０５】
ミドルウェア部１２１と機器無依存アプリ部１３０とは、機器に依存しない入出力ＩＦである機器無依存ＡＰＩを介して接続される。機器依存部１１０の例えば、ソフトウェア部、ＯＡＭ、ハードウェア部（ＰＨＹ）及びハードウェア部（ＭＡＣ）と、外付ハードウェア上のミドルウェア部１２１とは、機器に依存する入出力ＩＦである機器依存ＡＰＩ及び既存／市中品ハードウェアと外付ハードウェア間の機器間接続を介して接続される。
【０１０６】
本アーキテクチャでは機器無依存アプリ部１３０による拡張機能部（独自機能部）の柔軟及び迅速な追加を容易にし、通信サービスをタイムリーに提供することができる。ここで、機器依存部１１０は、図７に示す保守運用、アクセス制御、物理層処理、光モジュルであってもよく、機器自体の構成による。
【０１０７】
例えば、主信号の優先処理や回線の利用効率を向上するＤＢＡ等の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【０１０８】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦが用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【０１０９】
ミドルウェア部１２１と、機器依存部１１０のドライバと、機器依存アプリ部１５０（ベンダ依存アプリ部）との少なくともいずれかに、ＩＦやパラメータ等を機器依存部１１０に対応するように変換する変換機能部や、不足するＩＦやパラメータ等に対応して自動設定する機能部を更に備えてもよい。
【０１１０】
機器依存部１１０は、ハードウェア部と、ソフトウェア部とを備える。ソフトウェア部は、機器依存のドライバ、ファームウェア、アプリケーション等を実行する。
【０１１１】
機器依存部１１０は、物理媒体に接続するＰＭＤ、ＭＡＣ、データのシリアル化を行うＰＭＡ、データを符号化する部分であるＰＣＳ又はＰＨＹの一部を備えなくてもよい。例えば、変復調信号処理、前方誤り訂正（ＦＥＣ）、符復号処理、暗号化処理等の低位の信号処理を備えずに光関連の機能のみを備えてもよい。
【０１１２】
機器無依存アプリ部１３０は、例えば、ＥＭＳからデータを取得する管理・制御エージェント部１３３と、拡張機能部１３１−１〜１３１−３と、基本機能部１３２とである。以下、拡張機能部１３１−１〜１３１−３に共通する事項については、符号の一部を省略して、「拡張機能部１３１」と表記する。ＥＭＳは、例えば、ネットワーク・エレメントを制御するコントローラである。なお、機器無依存アプリ部１３０は、管理・制御エージェント部１３３と拡張機能部１３１と基本機能部１３２とのうちいずれかを含まなくてもよい。
【０１１３】
機器無依存アプリ部１３０は、管理・制御エージェント部１３３、拡張機能部１３１及び基本機能部１３２以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含んでもよい。
【０１１４】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【０１１５】
基本機能部１３２は、拡張機能部１３１の一部として機器無依存アプリ部１３０に含まれてもよいし、ミドルウェア部１２１よりも下位の機能部によって代替されてもよい。拡張機能部１３１が基本機能部１３２を含む場合、機器無依存アプリ部１３０は基本機能部１３２を含まなくてもよい。ミドルウェア部１２１よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【０１１６】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【０１１７】
ＥＭＳ１４０と機器無依存アプリ部１３０とは、情報を直接入出力してもよい。また、機器依存部１１０は、ＮＥ管理・制御部１１５と、ＮＥ管理・制御部１１５のＩＦとを備えなくともよい。
【０１１８】
基本機能部１３２は、拡張機能部１３１の一部として機器無依存アプリ部１３０に含まれてもよいし、ミドルウェア部１２０の下位の機能部によって代替されてもよい。拡張機能部１３１が基本機能部１３２を含む場合や、ミドルウェア部１２０の下位の機能部が基本機能部１３２を代替する場合や、それらの組み合わせである場合、機器無依存アプリ部１３０は基本機能部１３２を含まなくてもよい。また、基本機能部１３２の一部は、ミドルウェア部１２０の下位の機能部の機器依存アプリ部１５０によって代替されてもよい。
【０１１９】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【０１２０】
機器無依存アプリ部１３０と機器依存部１１０との入出力の例は以下である。例えば、ＤＢＡアプリ部及びプロテクションアプリ部は、ＴＣレイヤのエンベデッドＯＡＭエンジンと、相互に情報を入出力する。ＤＷＢＡアプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤプロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【０１２１】
機器無依存アプリ部１３０は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢＰＯＮとのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【０１２２】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【０１２３】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【０１２４】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１（ＰＨＹ）又はハードウェア部１１２（ＭＡＣ）と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１（ＰＨＹ）又はハードウェア部１１２（ＭＡＣ）であれば、ミドルウェア部１２０は、それぞれに入力する形式の機器依存ＡＰＩ２３の形式に変換してから、又は終端して所定の処理を施してから情報を出力先に送信する。
【０１２５】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【０１２６】
ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬのような実行プログラムとして、単一のプロセッサ上のユーザ空間上に配置してもよいし、複数のプロセッサ上のユーザ空間上に配置してもよい。
【０１２７】
また、機器無依存アプリ部１３０は、ＡＰＩ等の入出力ＩＦを確保した上でカーネル空間に配置してもよいし、独立にファームウェア等に入替可能なＩＦを有するミドルウェア部１２０とともに配置してもよいし、ファームウェア等に組み込んでコンパイルし直してもよい。機器無依存アプリ部１３０毎にユーザ空間やカーネル空間を任意の組み合わせとしてもよい。
【０１２８】
同一の機能に対応する機器無依存アプリ部１３０を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部１１０のソフトウェアも同様である。
【０１２９】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【０１３０】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【０１３１】
（アーキテクチャの第６例）
アーキテクチャの第６例は、機器依存部１１０として準拠する標準規格又は機器製造ベンダに依存するハードウェア部１１１（ＰＨＹ）及びハードウェア部１１２（ＭＡＣ）と、ハードウェア部１１１（ＰＨＹ）及びハードウェア部１１２（ＭＡＣ）を駆動するドライバ・ファームウェア等のソフトウェア部１１３と、機器依存部１１０の少なくとも一部分を駆動する機器依存アプリ部１５０とを備える。
【０１３２】
機器依存アプリ部１５０及び機器依存部１１０は、機器依存ＡＰＩ２４を介して接続される。機器依存アプリ部１５０の中に、ＥＭＳ１４０からの通信を受ける管理・制御エージェント部１３３相当を含んでいてもよい。機器依存ＡＰＩ２４は、機器依存アプリ部１５０及び機器依存ＡＰＩ２４の改変を抑制する形で、必要に応じて追加又は削除されてもよい。
【０１３３】
なお、通信装置のアーキテクチャの第１例〜第６例に示す通信装置の構成は、ＴＷＤＭ−ＰＯＮのようなＩＴＵ−Ｔ勧告準拠のＰＯＮのＯＬＴを前提に記載しているが、ＯＮＵであってもよく、ＴＷＤＭ−ＰＯＮ以外のＩＴＵ−Ｔ勧告準拠のＰＯＮのＯＬＴ又はＯＮＵのいずれかであってもよいし、ＧＥ−ＰＯＮ、１０ＧＥ−ＰＯＮ等のＩＥＥＥ規格準拠のＰＯＮであってもよく、ＴＣレイヤ又はＰＭＤレイヤは対応する層に読み替えれば同様である。
【０１３４】
以下、ＴＷＤＭ−ＰＯＮが、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを主に有する場合を例に説明する。以下、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを、「主要８機能」という。
【０１３５】
図８は、通信装置及び外部サーバ１６の構成の例を示す図である。図８に示す通信システムは、通信装置と、外部サーバ１６とを備える。通信装置は、送受信部１１（ＴＲｘ）と、スイッチ部１２（ＳＷ）と、スイッチ部１３（ＳＷ）と、制御部１４と、プロキシ部１５との少なくとも一部を備える。なお、通信装置は、外部サーバ１６を備え得る。
【０１３６】
図８では、異なる波長（λＡ〜λＮ）の光信号を送受信（通信）する送受信部１１が同一のスイッチ部１２に接続されている構成を示すが、実施形態１−１はこれに限定されない。例えば、異なる波長（λＡ〜λＮ）の光信号を送受信する送受信部１１が同一のスイッチ部１２に接続されている構成に加えて、同一の波長の光信号を送受信する送受信部１１が同一のスイッチ部１２に接続されていてもよいし、異なる波長（λＡ〜λＮ）の光信号を送受信する送受信部１１の内で少なくとも一部の波長の送受信部１１が複数同一のスイッチ部１２に接続されていてもよいし、送受信部１１の内の一部又は全てが送信のみ又は受信のみ行う送受信部１１であってもよい。
【０１３７】
ＯＬＴなどの通信装置は、送受信部１１から制御部１４を備えていてもよいし、これらに加えて外部サーバ１６を更に、備えてもよい。また、ＯＳＵは、送受信部１１でもよいし、これに加えてスイッチ部１２（ＳＷ）又はスイッチ部１３（ＳＷ）を備えてもよい。
【０１３８】
通信システム構成（１−１）の通信システムは、送受信部１１（ＴＲｘ）と、スイッチ部１２（ＳＷ）と、スイッチ部１３（ＳＷ）と、制御部１４と、プロキシ部１５と、外部サーバ１６とを備える（図８）。
【０１３９】
通信装置がＯＬＴである場合、ＯＬＴは、送受信部１１（ＴＲｘ）と、スイッチ部１２（ＳＷ）と、スイッチ部１３（ＳＷ）と、制御部１４とから構成してもよいし、送受信部１１（ＴＲｘ）と、スイッチ部１２（ＳＷ）と、スイッチ部１３（ＳＷ）と、制御部１４と、外部サーバ１６とから構成してもよい。ＯＳＵは、送受信部１１（ＴＲｘ）とから構成してもよいし、送受信部１１（ＴＲｘ）と、スイッチ部１２（ＳＷ）とから構成してもよいし、送受信部１１（ＴＲｘ）と、スイッチ部１３（ＳＷ）とから構成してもよい。
【０１４０】
異なる波長（λＡ〜λＮ）の光信号を送受信する送受信部１１（ＴＲｘ）がスイッチ部１２に接続されている。送受信部１１（ＴＲｘ）は、自律制御を行い、又は、スイッチ部１２（ＳＷ）、スイッチ部１３（ＳＷ）、制御部１４、プロキシ部１５若しくは外部サーバ１６等の他の構成要素から制御され、又は、スイッチ部１２（ＳＷ）、スイッチ部１３（ＳＷ）、制御部１４、プロキシ部１５若しくは外部サーバ１６等の他の構成要素を介して転送された指示で制御される。送受信部１１（ＴＲｘ）は、ＯＤＮ（Ｏｐｔｉｃａｌ  Ｄｉｓｔｒｉｂｕｔｉｏｎ  Ｎｅｔｗｏｒｋ）若しくはスイッチ部１２（ＳＷ）のトラフィックの一部又はその全てに、所定の手順に従って、ＶＬＡＮ（Ｖｉｒｔｕａｌ  Ｌｏｃａｌ  Ａｒｅａ  Ｎｅｔｗｏｒｋ）、優先、廃棄優先若しくは宛先等の少なくとも一部又はその組み合わせのタグの追加、削除、付替をして、又は、タグの変更無で、集約、分配、振分、複製、折返若しくは透過の少なくとも一つ又はその組み合わせの処理を行う。
【０１４１】
なお、上りトラフィックに関しても集約されるとは限らない。スイッチ部１２（ＳＷ）は通信システム構成（１−１）の構成では波長毎の振分が主であるが、集約、分配、複製、折返、透過、ＶＩＤ（Ｖｉｒｔｕａｌ  ＬＡＮ  Ｉｄｅｎｔｉｆｉｅｒ）や優先廃棄を表すタグ等のタグ付加又はタグ付替を行ってもよい。後述する通信システム構成（１−２）の構成では、上りトラフィックは集約が主であるが、分配、振分、複製、折返、透過、タグ付加又はタグ付替を行ってもよい。下りトラフィックも集約、分配、振分、複製、折返、透過、タグ付加又はタグ付替のいずれかを行ってもよく、少なくとも一部の組み合わせを行ってもよい。そのいずれとするかはサービスポリシーに応じて決定する。これは以降の通信システム構成でも同様である。
【０１４２】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４、プロキシ部１５若しくは外部サーバ１６等の他の構成要素から制御され、又は、送受信部１１（ＴＲｘ）、スイッチ部１３（ＳＷ）、制御部１４、プロキシ部１５若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、又は、タグの変更無で、集約、分配、振分、複製、折返、透過若しくはタグ付加又はタグ付替の少なくとも一部又はその組み合わせの処理を行う。これは以降の通信システム構成でも同様である。
【０１４３】
なお、スイッチ部１２（ＳＷ）は、制御されるとは限らない。送受信部１１からプロキシ部１５の少なくとも一つが制御される場合と、制御されずに送受信部１１からプロキシ部１５の少なくとも一つに制御情報が転送される場合とがある。転送元としては例えばプロキシ部１５又は外部サーバ１６がある。また、送受信部１１からプロキシ部１５が自律で動く場合もある。これは以降の通信システム構成でも同様である。
【０１４４】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４、プロキシ部１５若しくは外部サーバ１６等の他の構成要素から制御され、又は、送受信部１１（ＴＲｘ）、スイッチ部１２（ＳＷ）、制御部１４、プロキシ部１５若しくは外部サーバ１６等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１４５】
制御部１４は、送受信部１１（ＴＲｘ）、スイッチ部１２（ＳＷ）、スイッチ部１３（ＳＷ）、プロキシ部１５又は外部サーバ１６又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）、プロキシ部１５若しくは外部サーバ１６等の他の構成要素を制御し、又は送受信部１１（ＴＲｘ）、スイッチ部１２（ＳＷ）、スイッチ部１３（ＳＷ）、プロキシ部１５若しくは外部サーバ１６等の他の構成要素を介して、指示を転送する。
【０１４６】
図８に示すプロキシ部１５は、ＯＬＴから若しくはＯＬＴへのデータ経路上に設置してもよい。ただし、間に他の装置（例えば、複数のＯＬＴから若しくはＯＬＴへのトラフィックに集約／分配する集線ＳＷ等）が介在する場合があるので、直接接続されるとは限らない。制御の流れとしては、送受信部１１（ＴＲｘ）、スイッチ部１２（ＳＷ）、スイッチ部１３（ＳＷ）、制御部１４、外部サーバ１６のいずれに、プロキシ部１５があってもよい。
【０１４７】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは外部サーバ１６等の他の構成要素から制御され、又は、送受信部１１（ＴＲｘ）、スイッチ部１２（ＳＷ）、スイッチ部１３（ＳＷ）、制御部１４若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０１４８】
外部サーバ１６は、送受信部１１（ＴＲｘ）又はスイッチ部１２（ＳＷ）又はスイッチ部１３（ＳＷ）又は制御部１４又はプロキシ部１５又は外部のオペレーションシステム（不図示）又はコントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくは制御部１４若しくはプロキシ部１５等の他の構成要素を制御し、又は送受信部１１（ＴＲｘ）、スイッチ部１２（ＳＷ）、スイッチ部１３（ＳＷ）若しくは制御部１４若しくはプロキシ部１５等の他の構成要素を介して指示を転送する。
【０１４９】
送受信部１１（ＴＲｘ）、スイッチ部１２（ＳＷ）、スイッチ部１３（ＳＷ）、制御部１４、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部又はその全てそれ自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１５０】
なお、要素は適宜含まなくてもよいし、含まない要素とのやりとりは例えば、スキップしてその先の要素とやりとりする。同士を省いた相手同士で通信してもよい。
【０１５１】
通信システム構成（１−２）の通信システムでは、通信システム構成（１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１５２】
通信システム構成（２−１）の通信システムは、送受信部１１（ＴＲｘ）と、スイッチ部１２（ＳＷ）と、スイッチ部１３（ＳＷ）と、制御部１４と、プロキシ部１５とを備える（図８）。異なる波長（λＡ〜λＮ）の光信号を送受信する送受信部１１（ＴＲｘ）がスイッチ部１２に接続されている。
【０１５３】
送受信部１１（ＴＲｘ）は、自律制御を行い、又は、スイッチ部１２（ＳＷ）、スイッチ部１３（ＳＷ）、制御部１４若しくはプロキシ部１５等の他の構成要素から制御され、又は、スイッチ部１２（ＳＷ）、スイッチ部１３（ＳＷ）、制御部１４若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１５４】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくはプロキシ部１５等の他の構成要素から制御され、又は、送受信部１１（ＴＲｘ）、スイッチ部１３（ＳＷ）、制御部１４、プロキシ部１５等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０１５５】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくはプロキシ部１５等の他の構成要素から制御され、又は、送受信部１１（ＴＲｘ）、スイッチ部１２（ＳＷ）、制御部１４若しくはプロキシ部１５等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１５６】
制御部１４は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）若しくはプロキシ部１５等の他の構成要素を制御し、又は送受信部１１（ＴＲｘ）、スイッチ部１２（ＳＷ）、スイッチ部１３（ＳＷ）、プロキシ部１５若しくは等の他の構成要素を介して指示を転送する。
【０１５７】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは等の他の構成要素から制御され、又は、送受信部１１（ＴＲｘ）、スイッチ部１２（ＳＷ）、スイッチ部１３（ＳＷ）若しくは制御部１４等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１５８】
送受信部１１（ＴＲｘ）、スイッチ部１２（ＳＷ）、スイッチ部１３（ＳＷ）、制御部１４、プロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０１５９】
通信システム構成（２−２）の通信システムでは、通信システム構成（２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１６０】
通信システム構成（３−１）の通信システムは、送受信部１１（ＴＲｘ）と、スイッチ部１２（ＳＷ）と、スイッチ部１３（ＳＷ）と、制御部１４と、外部サーバ１６とを備える（図８）。異なる波長（λＡ〜λＮ）の光信号を送受信する送受信部１１（ＴＲｘ）がスイッチ部１２に接続されている。
【０１６１】
送受信部１１（ＴＲｘ）は、自律制御を行い、又は、スイッチ部１２（ＳＷ）、スイッチ部１３（ＳＷ）、制御部１４若しくは外部サーバ１６等の他の構成要素から制御され、又は、スイッチ部１２（ＳＷ）、スイッチ部１３（ＳＷ）、制御部１４若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１６２】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくは外部サーバ１６等の他の構成要素から制御され、又は、送受信部１１（ＴＲｘ）、スイッチ部１３（ＳＷ）、制御部１４若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１６３】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくは外部サーバ１６等の他の構成要素から制御され、又は、送受信部１１（ＴＲｘ）、スイッチ部１２（ＳＷ）、制御部１４若しくは外部サーバ１６等の他の構成要素を介して転送された指示で制御される。スイッチ部１３（ＳＷ）は、スイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１６４】
制御部１４は、送受信部１１（ＴＲｘ）、スイッチ部１２（ＳＷ）、スイッチ部１３（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、スイッチ部１３（ＳＷ）若しくは外部サーバ１６等の他の構成要素を制御し、又は送受信部１１（ＴＲｘ）、スイッチ部１２（ＳＷ）、スイッチ部１３（ＳＷ）若しくは外部サーバ１６等の他の構成要素を介して指示を転送する。
【０１６５】
外部サーバ１６は、送受信部１１（ＴＲｘ）、スイッチ部１２（ＳＷ）、スイッチ部１３（ＳＷ）、制御部１４、外部のオペレーションシステム（不図示）、コントローラ（不図示）又は外部の装置（不図示）と接続される。外部サーバ１６は、送受信部１１（ＴＲｘ）、スイッチ部１２（ＳＷ）、スイッチ部１３（ＳＷ）若しくは制御部１４等の他の構成要素を制御し、又は送受信部１１（ＴＲｘ）、スイッチ部１２（ＳＷ）、スイッチ部１３（ＳＷ）若しくは制御部１４等の他の構成要素を介して指示を転送する。
【０１６６】
送受信部１１（ＴＲｘ）、スイッチ部１２（ＳＷ）、スイッチ部１３（ＳＷ）、制御部１４若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０１６７】
通信システム構成（３−２）の通信システムでは、通信システム構成（３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１６８】
通信システム構成（４−１）の通信システムは、送受信部１１（ＴＲｘ）と、スイッチ部１２（ＳＷ）と、スイッチ部１３（ＳＷ）と、プロキシ部１５と、外部サーバ１６とを備える（図８）。異なる波長（λＡ〜λＮ）の光信号を送受信する送受信部１１（ＴＲｘ）がスイッチ部１２に接続されている。
【０１６９】
送受信部１１（ＴＲｘ）は、自律制御を行い、又は、スイッチ部１２（ＳＷ）、スイッチ部１３（ＳＷ）、プロキシ部１５若しくは外部サーバ１６等の他の構成要素から制御され、又は、スイッチ部１２（ＳＷ）、スイッチ部１３（ＳＷ）、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１７０】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、プロキシ部１５若しくは外部サーバ１６等の他の構成要素から制御され、又は、送受信部１１（ＴＲｘ）、スイッチ部１３（ＳＷ）、プロキシ部１５若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７１】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、プロキシ部１５若しくは外部サーバ１６等の他の構成要素から制御され、又は、送受信部１１（ＴＲｘ）、スイッチ部１２（ＳＷ）、プロキシ部１５若しくは外部サーバ１６等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７２】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）若しくは外部サーバ１６等の他の構成要素から制御され、又は、送受信部１１（ＴＲｘ）、スイッチ部１２（ＳＷ）、スイッチ部１３（ＳＷ）若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７３】
外部サーバ１６は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくはプロキシ部１５等の他の構成要素を制御し、又は送受信部１１（ＴＲｘ）、スイッチ部１２（ＳＷ）、スイッチ部１３（ＳＷ）若しくはプロキシ部１５等の他の構成要素を介して指示を転送する。
【０１７４】
送受信部１１（ＴＲｘ）、スイッチ部１２（ＳＷ）、スイッチ部１３（ＳＷ）、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１７５】
通信システム構成（４−２）の通信システムでは、通信システム構成（４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１７６】
通信システム構成（５−１）の通信システムは、送受信部１１（ＴＲｘ）と、スイッチ部１２（ＳＷ）と、制御部１４と、プロキシ部１５と、外部サーバ１６とを備える（図８）。異なる波長（λＡ〜λＮ）の光信号を送受信する送受信部１１（ＴＲｘ）がスイッチ部１２（ＳＷ）に接続されている。
【０１７７】
送受信部１１（ＴＲｘ）は、自律制御を行い、又は、スイッチ部１２（ＳＷ）、制御部１４、プロキシ部１５若しくは外部サーバ１６等の他の構成要素から制御され、又は、スイッチ部１２（ＳＷ）、制御部１４、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１７８】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４、プロキシ部１５若しくは外部サーバ１６等の他の構成要素から制御され、又は、送受信部１１（ＴＲｘ）、制御部１４、プロキシ部１５若しくは外部サーバ１６等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７９】
制御部１４は、送受信部１１（ＴＲｘ）、スイッチ部１２（ＳＷ）、プロキシ部１５、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、プロキシ部１５若しくは外部サーバ１６等の他の構成要素を制御し、又は送受信部１１（ＴＲｘ）、スイッチ部１２（ＳＷ）、プロキシ部１５若しくは外部サーバ１６等の他の構成要素を介して指示を転送する。
【０１８０】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、制御部１４若しくは外部サーバ１６等の他の構成要素から制御され、又は、送受信部１１（ＴＲｘ）、スイッチ部１２（ＳＷ）、制御部１４若しくは外部サーバ１６等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１８１】
外部サーバ１６は、送受信部１１（ＴＲｘ）、スイッチ部１２（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）、制御部１４若しくはプロキシ部１５等の他の構成要素を制御し、又は送受信部１１（ＴＲｘ）、スイッチ部１２（ＳＷ）、制御部１４若しくはプロキシ部１５等の他の構成要素を介して指示を転送する。
【０１８２】
送受信部１１（ＴＲｘ）、スイッチ部１２（ＳＷ）、制御部１４、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０１８３】
通信システム構成（５−２）の通信システムでは、通信システム構成（５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１８４】
通信システム構成（６−１）の通信システムは、送受信部１１（ＴＲｘ）と、スイッチ部１３（ＳＷ）と、制御部１４と、プロキシ部１５と、外部サーバ１６とを備える（図８）。異なる波長（λＡ〜λＮ）の光信号を送受信する送受信部１１（ＴＲｘ）がスイッチ部１３（ＳＷ）に接続されている。
【０１８５】
送受信部１１（ＴＲｘ）は、自律制御を行い、又は、スイッチ部１３（ＳＷ）、制御部１４、プロキシ部１５若しくは外部サーバ１６等の他の構成要素から制御され、又は、スイッチ部１３（ＳＷ）、制御部１４、プロキシ部１５若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１８６】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４、プロキシ部１５若しくは外部サーバ１６等の他の構成要素から制御され、又は、送受信部１１（ＴＲｘ）、制御部１４、プロキシ部１５若しくは外部サーバ１６等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１８７】
制御部１４は、送受信部１１（ＴＲｘ）、スイッチ部１３（ＳＷ）、プロキシ部１５若しくは外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）、プロキシ部１５若しくは外部サーバ１６等の他の構成要素を制御し、又は送受信部１１（ＴＲｘ）、スイッチ部１３（ＳＷ）、プロキシ部１５若しくは外部サーバ１６等の他の構成要素を介して指示を転送する。
【０１８８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）、制御部１４若しくは外部サーバ１６等の他の構成要素から制御され、又は、送受信部１１（ＴＲｘ）、スイッチ部１３（ＳＷ）、制御部１４若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１８９】
外部サーバ１６は、送受信部１１（ＴＲｘ）、スイッチ部１３（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１３（ＳＷ）、制御部１４若しくはプロキシ部１５等の他の構成要素を制御し、又は送受信部１１（ＴＲｘ）、スイッチ部１３（ＳＷ）、制御部１４若しくはプロキシ部１５等の他の構成要素を介して指示を転送する。
【０１９０】
送受信部１１（ＴＲｘ）、スイッチ部１３（ＳＷ）、制御部１４、プロキシ部１５又は外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１９１】
通信システム構成（６−２）の通信システムでは、通信システム構成（６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０１９２】
通信システム構成（７−１）の通信システムは、送受信部１１（ＴＲｘ）と、スイッチ部１２（ＳＷ）と、スイッチ部１３（ＳＷ）と、制御部１４とを備える（図８）。異なる波長（λＡ〜λＮ）の光信号を送受信する送受信部１１（ＴＲｘ）がスイッチ部１２に接続されている。
【０１９３】
送受信部１１（ＴＲｘ）は、自律制御を行い、又は、スイッチ部１２（ＳＷ）、スイッチ部１３（ＳＷ）若しくは制御部１４等の他の構成要素から制御され、又は、スイッチ部１２（ＳＷ）、スイッチ部１３（ＳＷ）若しくは制御部１４等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１９４】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは制御部１４等の他の構成要素から制御され、又は、送受信部１１（ＴＲｘ）、スイッチ部１３（ＳＷ）若しくは制御部１４等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９５】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックを集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９６】
制御部１４は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。制御部１４は、送受信部１１（ＴＲｘ）、スイッチ部１２（ＳＷ）若しくはスイッチ部１３（ＳＷ）等の他の構成要素を制御し、又は送受信部１１（ＴＲｘ）、スイッチ部１２（ＳＷ）若しくはスイッチ部１３（ＳＷ）等の他の構成要素を介して指示を転送する。
【０１９７】
送受信部１１（ＴＲｘ）、スイッチ部１２（ＳＷ）、スイッチ部１３（ＳＷ）若しくは制御部１４は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０１９８】
通信システム構成（７−２）の通信システムでは、通信システム構成（７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１９９】
通信システム構成（８−１）の通信システムは、送受信部１１（ＴＲｘ）と、スイッチ部１２（ＳＷ）と、スイッチ部１３（ＳＷ）と、プロキシ部１５とを備える（図８）。異なる波長（λＡ〜λＮ）の光信号を送受信する送受信部１１（ＴＲｘ）が、スイッチ部１２に接続される。
【０２００】
送受信部１１（ＴＲｘ）は、自律制御を行い、又は、スイッチ部１２（ＳＷ）、スイッチ部１３（ＳＷ）若しくはプロキシ部１５等の他の構成要素から制御され、又は、スイッチ部１２（ＳＷ）、スイッチ部１３（ＳＷ）若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２０１】
スイッチ部１２（ＳＷ）は、スイッチ部１３（ＳＷ）に接続される。スイッチ部１２（ＳＷ）は自律制御を行い、又は、送受信部１１（ＴＲｘ）、スイッチ部１３（ＳＷ）若しくはプロキシ部１５等の他の構成要素から制御され、又は、送受信部１１（ＴＲｘ）、スイッチ部１３（ＳＷ）若しくはプロキシ部１５等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２０２】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくはプロキシ部１５等の他の構成要素から制御され、又は、送受信部１１（ＴＲｘ）、スイッチ部１２（ＳＷ）若しくはプロキシ部１５等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２０３】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくはスイッチ部１３（ＳＷ）等の他の構成要素から制御され、又は、送受信部１１（ＴＲｘ）、スイッチ部１２（ＳＷ）若しくはスイッチ部１３（ＳＷ）等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２０４】
送受信部１１（ＴＲｘ）、スイッチ部１２（ＳＷ）、スイッチ部１３（ＳＷ）若しくはプロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２０５】
通信システム構成（８−２）の通信システムでは、通信システム構成（８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２０６】
通信システム構成（９−１）の通信システムは、送受信部１１（ＴＲｘ）と、スイッチ部１２（ＳＷ）と、制御部１４と、プロキシ部１５とを備える（図８）。異なる波長（λＡ〜λＮ）の光信号を送受信する送受信部１１（ＴＲｘ）がスイッチ部１２に接続されている。
【０２０７】
送受信部１１（ＴＲｘ）は、自律制御を行い、又は、スイッチ部１２（ＳＷ）、制御部１４若しくはプロキシ部１５等の他の構成要素から制御され、又は、スイッチ部１２（ＳＷ）、制御部１４若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２０８】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくはプロキシ部１５等の他の構成要素から制御され、又は、送受信部１１（ＴＲｘ）、制御部１４若しくはプロキシ部１５等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２０９】
制御部１４は、送受信部１１（ＴＲｘ）、スイッチ部１２（ＳＷ）、プロキシ部１５、外部のオペレーションシステム（不図示）、コントローラ（不図示）又は外部の装置（不図示）と接続される。制御部１４は、送受信部１１（ＴＲｘ）、スイッチ部１２（ＳＷ）若しくはプロキシ部１５等の他の構成要素を制御し、又は送受信部１１（ＴＲｘ）、スイッチ部１２（ＳＷ）若しくはプロキシ部１５等の他の構成要素を介して指示を転送する。
【０２１０】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２１１】
送受信部１１（ＴＲｘ）、スイッチ部１２（ＳＷ）、制御部１４若しくはプロキシ部１５は、送受信部１１（ＴＲｘ）、スイッチ部１２（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に、送信してもよい。
【０２１２】
通信システム構成（９−２）の通信システムでは、通信システム構成（９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２１３】
通信システム構成（１０−１）の通信システムは、送受信部１１（ＴＲｘ）と、スイッチ部１３（ＳＷ）と、制御部１４と、プロキシ部１５とを備える（図８）。異なる波長（λＡ〜λＮ）の光信号を送受信する送受信部１１（ＴＲｘ）がスイッチ部１３（ＳＷ）に接続されている。
【０２１４】
送受信部１１（ＴＲｘ）は、自律制御を行い、又は、スイッチ部１３（ＳＷ）、制御部１４、プロキシ部１５等の他の構成要素から制御され、又は。スイッチ部１３（ＳＷ）、制御部１４若しくはプロキシ部１５等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２１５】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくはプロキシ部１５等の他の構成要素から制御され、又は、送受信部１１（ＴＲｘ）、制御部１４若しくはプロキシ部１５等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２１６】
制御部１４は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。制御部１４は、送受信部１１（ＴＲｘ）、スイッチ部１３（ＳＷ）若しくはプロキシ部１５等の他の構成要素を制御し、又は送受信部１１（ＴＲｘ）、スイッチ部１３（ＳＷ）若しくはプロキシ部１５等の他の構成要素を介して指示を転送する。
【０２１７】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）若しくは制御部１４等の他の構成要素から制御され、又は、送受信部１１（ＴＲｘ）、スイッチ部１３（ＳＷ）若しくは制御部１４等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２１８】
送受信部１１（ＴＲｘ）、スイッチ部１３（ＳＷ）、制御部１４若しくはプロキシ部１５は、送受信部１１（ＴＲｘ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２１９】
通信システム構成（１０−２）の通信システムでは、通信システム構成（１０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２２０】
通信システム構成（１１−１）の通信システムは、送受信部１１（ＴＲｘ）と、スイッチ部１２（ＳＷ）と、スイッチ部１３（ＳＷ）と、外部サーバ１６とを備える（図８）。異なる波長（λＡ〜λＮ）の光信号を送受信する送受信部１１（ＴＲｘ）がスイッチ部１２に接続されている。
【０２２１】
送受信部１１（ＴＲｘ）は、自律制御を行い、又は、スイッチ部１２（ＳＷ）、スイッチ部１３（ＳＷ）若しくは外部サーバ１６等の他の構成要素から制御され、又は、スイッチ部１２（ＳＷ）、スイッチ部１３（ＳＷ）若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２２２】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは外部サーバ１６等の他の構成要素から制御され、又は、送受信部１１（ＴＲｘ）、スイッチ部１３（ＳＷ）若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２２３】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは外部サーバ１６等の他の構成要素から制御され、又は、送受信部１１（ＴＲｘ）、スイッチ部１２（ＳＷ）若しくは外部サーバ１６等の他の構成要素を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２２４】
外部サーバ１６は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはスイッチ部１３（ＳＷ）等の他の構成要素を制御し、又は送受信部１１（ＴＲｘ）、スイッチ部１２（ＳＷ）若しくはスイッチ部１３（ＳＷ）等の他の構成要素を介して指示を転送する。
【０２２５】
送受信部１１（ＴＲｘ）、スイッチ部１２（ＳＷ）、スイッチ部１３（ＳＷ）若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２２６】
通信システム構成（１１−２）の通信システムでは、通信システム構成（１１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２２７】
通信システム構成（１２−１）の通信システムは、送受信部１１（ＴＲｘ）と、スイッチ部１２（ＳＷ）と、制御部１４と、外部サーバ１６とを備える（図８）。異なる波長（λＡ〜λＮ）の光信号を送受信する送受信部１１（ＴＲｘ）がスイッチ部１２に接続されている。
【０２２８】
送受信部１１（ＴＲｘ）は、自律制御を行い、又は、スイッチ部１２（ＳＷ）、制御部１４若しくは外部サーバ１６等の他の構成要素から制御され、又は、スイッチ部１２（ＳＷ）、制御部１４若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２２９】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３０】
制御部１４は、送受信部１１（ＴＲｘ）、スイッチ部１２（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）若しくは外部サーバ１６等の他の構成要素を制御し、又は送受信部１１（ＴＲｘ）、スイッチ部１２（ＳＷ）若しくは外部サーバ１６等の他の構成要素を介して指示を転送する。
【０２３１】
外部サーバ１６は、送受信部１１（ＴＲｘ）又はスイッチ部１２（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）若しくは制御部１４等の他の構成要を制御し、又は送受信部１１（ＴＲｘ）、スイッチ部１２（ＳＷ）若しくは制御部１４等の他の構成要を介して指示を転送する。
【０２３２】
送受信部１１（ＴＲｘ）、スイッチ部１２（ＳＷ）、制御部１４若しくは外部サーバ１６は、送受信部１１（ＴＲｘ）、スイッチ部１２（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０２３３】
通信システム構成（１２−２）の通信システムでは、通信システム構成（１２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２３４】
通信システム構成（１３−１）の通信システムは、送受信部１１（ＴＲｘ）と、スイッチ部１３（ＳＷ）と、制御部１４と、外部サーバ１６とを備える（図８）。異なる波長（λＡ〜λＮ）の光信号を送受信する送受信部１１（ＴＲｘ）がスイッチ部１３（ＳＷ）に接続されている。
【０２３５】
送受信部１１（ＴＲｘ）は、自律制御を行い、又は、スイッチ部１３（ＳＷ）、制御部１４若しくは外部サーバ１６等の他の構成要素から制御され、又は、スイッチ部１３（ＳＷ）、制御部１４若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２３６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３７】
制御部１４は、送受信部１１（ＴＲｘ）若しくはスイッチ部１３（ＳＷ）又は外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）若しくは外部サーバ１６等の他の構成要素を制御し、又は送受信部１１（ＴＲｘ）、スイッチ部１３（ＳＷ）若しくは外部サーバ１６等の他の構成要素を介して指示を転送する。
【０２３８】
外部サーバ１６は、送受信部１１（ＴＲｘ）若しくはスイッチ部１３（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくは制御部１４等の他の構成要素を制御し、又は送受信部１１（ＴＲｘ）、スイッチ部１３（ＳＷ）若しくは制御部１４等の他の構成要素を介して指示を転送する。
【０２３９】
送受信部１１（ＴＲｘ）、スイッチ部１３（ＳＷ）、制御部１４若しくは外部サーバ１６は、送受信部１１（ＴＲｘ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２４０】
通信システム構成（１３−２）の通信システムでは、通信システム構成（１３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２４１】
通信システム構成（１４−１）の通信システムは、送受信部１１（ＴＲｘ）と、スイッチ部１２（ＳＷ）と、プロキシ部１５と、外部サーバ１６とを備える（図８）。異なる波長（λＡ〜λＮ）の光信号を送受信する送受信部１１（ＴＲｘ）がスイッチ部１２に接続されている。
【０２４２】
送受信部１１（ＴＲｘ）は、自律制御を行い、又は、スイッチ部１２（ＳＷ）、プロキシ部１５若しくは外部サーバ１６等の他の構成要素から制御され、又は、スイッチ部１２（ＳＷ）、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２４３】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、プロキシ部１５若しくは外部サーバ１６等の他の構成要素から制御され、又は、送受信部１１（ＴＲｘ）、プロキシ部１５若しくは外部サーバ１６等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４４】
プロキシ部１５は、自律制御を行い、又は、送受信部１１（ＴＲｘ）、スイッチ部１２（ＳＷ）若しくは外部サーバ１６等の他の構成要素から制御され、又は、送受信部１１（ＴＲｘ）、スイッチ部１２（ＳＷ）若しくは外部サーバ１６等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４５】
外部サーバ１６は、送受信部１１（ＴＲｘ）、スイッチ部１２（ＳＷ）、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはプロキシ部１５等の他の構成要素を制御し、又は送受信部１１（ＴＲｘ）、スイッチ部１２（ＳＷ）若しくはプロキシ部１５等の他の構成要素を介して指示を転送する。
【０２４６】
送受信部１１（ＴＲｘ）、スイッチ部１２（ＳＷ）、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０２４７】
通信システム構成（１４−２）の通信システムでは、通信システム構成（１４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２４８】
通信システム構成（１５−１）の通信システムは、送受信部１１（ＴＲｘ）と、スイッチ部１３（ＳＷ）と、プロキシ部１５と、外部サーバ１６とを備える（図８）。異なる波長（λＡ〜λＮ）の光信号を送受信する送受信部１１（ＴＲｘ）がスイッチ部１３（ＳＷ）に接続されている。
【０２４９】
送受信部１１（ＴＲｘ）は、自律制御を行い、又は、スイッチ部１３（ＳＷ）、プロキシ部１５若しくは外部サーバ１６等の他の構成要素から制御され、又は、スイッチ部１３（ＳＷ）、プロキシ部１５若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２５０】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、プロキシ部１５若しくは外部サーバ１６等の他の構成要素から制御され、又は、送受信部１１（ＴＲｘ）、プロキシ部１５若しくは外部サーバ１６等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２５１】
プロキシ部１５は、自律制御を行い、又は、送受信部１１（ＴＲｘ）、スイッチ部１３（ＳＷ）若しくは外部サーバ１６等の他の構成要素から制御され、又は、送受信部１１（ＴＲｘ）、スイッチ部１３（ＳＷ）若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２５２】
外部サーバ１６は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくはプロキシ部１５等の他の構成要素を制御し、又は送受信部１１（ＴＲｘ）、スイッチ部１３（ＳＷ）若しくはプロキシ部１５等の他の構成要素を介して指示を転送する。
【０２５３】
送受信部１１（ＴＲｘ）、スイッチ部１３（ＳＷ）、プロキシ部１５若しくは外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０２５４】
通信システム構成（１５−２）の通信システムでは、通信システム構成（１５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２５５】
通信システム構成（１６−１）の通信システムは、送受信部１１（ＴＲｘ）と、制御部１４と、プロキシ部１５と、外部サーバ１６とを備える（図８）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０２５６】
送受信部１１（ＴＲｘ）は、自律制御を行い、又は、制御部１４、プロキシ部１５若しくは外部サーバ１６等の他の構成要素から制御され、又は、制御部１４、プロキシ部１５若しくは外部サーバ１６等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２５７】
制御部１４は、送受信部１１（ＴＲｘ）、プロキシ部１５、外部サーバ１６、外部のオペレーションシステム（不図示）、コントローラ（不図示）又は外部の装置（不図示）と接続される。制御部１４は、送受信部１１（ＴＲｘ）、プロキシ部１５若しくは外部サーバ１６等の他の構成要素を制御し、又は送受信部１１（ＴＲｘ）、プロキシ部１５若しくは外部サーバ１６等の他の構成要素を介して指示を転送する。
【０２５８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２５９】
外部サーバ１６は、送受信部１１（ＴＲｘ）、制御部１４、プロキシ部１５、外部のオペレーションシステム（不図示）、コントローラ（不図示）又は外部の装置（不図示）と接続される。外部サーバ１６は、送受信部１１（ＴＲｘ）、制御部１４若しくはプロキシ部１５等の他の構成要素を制御し、又は送受信部１１（ＴＲｘ）、制御部１４若しくはプロキシ部１５等の他の構成要素を介して指示を転送する。
【０２６０】
送受信部１１（ＴＲｘ）、制御部１４、プロキシ部１５若しくは外部サーバ１６は、送受信部１１（ＴＲｘ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０２６１】
通信システム構成（１６−２）の通信システムでは、通信システム構成（１６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がそれぞれプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０２６２】
通信システム構成（１７−１）の通信システムは、送受信部１１（ＴＲｘ）と、スイッチ部１２（ＳＷ）と、スイッチ部１３（ＳＷ）とを備える（図８）。異なる波長（λＡ〜λＮ）の光信号を送受信する送受信部１１（ＴＲｘ）がスイッチ部１２に接続されている。
【０２６３】
送受信部１１（ＴＲｘ）は、自律制御を行い、又は、スイッチ部１２（ＳＷ）若しくはスイッチ部１３（ＳＷ）等の他の構成要素から制御され、又は、スイッチ部１２（ＳＷ）若しくはスイッチ部１３（ＳＷ）等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２６４】
スイッチ部１２（ＳＷ）は、スイッチ部１３（ＳＷ）に接続される。スイッチ部１２（ＳＷ）は、自律制御を行い、又は、送受信部１１（ＴＲｘ）若しくはスイッチ部１３（ＳＷ）等の他の構成要素から制御され、又は、送受信部１１（ＴＲｘ）若しくはスイッチ部１３（ＳＷ）等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２６５】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはスイッチ部１２（ＳＷ）等の他の構成要素から制御され、又は、送受信部１１（ＴＲｘ）若しくはスイッチ部１２（ＳＷ）等の他の構成要素を介して転送された指示で制御される。スイッチ部１３（ＳＷ）は、スイッチ部１２（ＳＷ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２６６】
送受信部１１（ＴＲｘ）、スイッチ部１２（ＳＷ）若しくはスイッチ部１３（ＳＷ）は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０２６７】
通信システム構成（１７−２）の通信システムでは、通信システム構成（１７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２６８】
通信システム構成（１８−１）の通信システムは、送受信部１１（ＴＲｘ）と、スイッチ部１２（ＳＷ）と、制御部１４とを備える（図８）。異なる波長（λＡ〜λＮ）の光信号を送受信する送受信部１１（ＴＲｘ）がスイッチ部１２に接続されている。
【０２６９】
送受信部１１（ＴＲｘ）は、自律制御を行い、又は、スイッチ部１２（ＳＷ）若しくは制御部１４等の他の構成要素から制御され、又は、スイッチ部１２（ＳＷ）若しくは制御部１４等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２７０】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは制御部１４等の他の構成要素から制御され、又は、送受信部１１（ＴＲｘ）若しくは制御部１４等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７１】
制御部１４は、送受信部１１（ＴＲｘ）、スイッチ部１２（ＳＷ）、外部のオペレーションシステム（不図示）、コントローラ（不図示）又は外部の装置（不図示）と接続される。制御部１４は、送受信部１１（ＴＲｘ）若しくはスイッチ部１２（ＳＷ）等の他の構成要素を制御し、又は送受信部１１（ＴＲｘ）若しくはスイッチ部１２（ＳＷ）等の他の構成要素を介して指示を転送する。
【０２７２】
送受信部１１（ＴＲｘ）、スイッチ部１２（ＳＷ）若しくは制御部１４は、送受信部１１（ＴＲｘ）若しくはスイッチ部１２（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０２７３】
通信システム構成（１８−２）の通信システムでは、通信システム構成（１８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２７４】
通信システム構成（１９−１）の通信システムは、送受信部１１（ＴＲｘ）と、スイッチ部１３（ＳＷ）と、制御部１４とを備える（図８）。異なる波長（λＡ〜λＮ）の光信号を送受信する送受信部１１（ＴＲｘ）がスイッチ部１３（ＳＷ）に接続されている。
【０２７５】
送受信部１１（ＴＲｘ）は、自律制御を行い、又は、スイッチ部１３（ＳＷ）若しくは制御部１４等の他の構成要素から制御され、又は、スイッチ部１３（ＳＷ）若しくは制御部１４等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２７６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは制御部１４等の他の構成要素から制御され、又は、送受信部１１（ＴＲｘ）若しくは制御部１４等の他の構成要素を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７７】
制御部１４は、送受信部１１（ＴＲｘ）、スイッチ部１３（ＳＷ）、外部のオペレーションシステム（不図示）、コントローラ（不図示）又は外部の装置（不図示）と接続される。制御部１４は、送受信部１１（ＴＲｘ）若しくはスイッチ部１３（ＳＷ）等の他の構成要素を制御し、又は送受信部１１（ＴＲｘ）若しくはスイッチ部１３（ＳＷ）等の他の構成要素を介して指示を転送する。
【０２７８】
送受信部１１（ＴＲｘ）、スイッチ部１３（ＳＷ）若しくは制御部１４は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０２７９】
通信システム構成（１９−２）の通信システムでは、通信システム構成（１９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２８０】
通信システム構成（２０−１）の通信システムは、送受信部１１（ＴＲｘ）と、スイッチ部１２（ＳＷ）と、プロキシ部１５とを備える（図８）。異なる波長（λＡ〜λＮ）の光信号を送受信する送受信部１１（ＴＲｘ）がスイッチ部１２に接続されている。
【０２８１】
送受信部１１（ＴＲｘ）は、自律制御を行い、又は、スイッチ部１２（ＳＷ）若しくはプロキシ部１５等の他の構成要素から制御され、又は、スイッチ部１２（ＳＷ）若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２８２】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくはプロキシ部１５等の他の構成要素から制御され、又は、送受信部１１（ＴＲｘ）若しくはプロキシ部１５等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８３】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１２（ＳＷ）等の他の構成要素から制御され、又は、送受信部１１（ＴＲｘ）若しくはスイッチ部１２（ＳＷ）等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８４】
送受信部１１（ＴＲｘ）、スイッチ部１２（ＳＷ）若しくはプロキシ部１５は、送受信部１１（ＴＲｘ）、スイッチ部１２（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に送信してもよい。
【０２８５】
通信システム構成（２０−２）の通信システムでは、通信システム構成（２０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２８６】
通信システム構成（２１−１）の通信システムは、送受信部１１（ＴＲｘ）と、スイッチ部１３（ＳＷ）と、プロキシ部１５とを備える（図８）。異なる波長（λＡ〜λＮ）の光信号を送受信する送受信部１１（ＴＲｘ）がスイッチ部１３（ＳＷ）に接続されている。
【０２８７】
送受信部１１（ＴＲｘ）は、自律制御を行い、又は、スイッチ部１３（ＳＷ）若しくはプロキシ部１５等の他の構成要素から制御され、又は、スイッチ部１３（ＳＷ）若しくはプロキシ部１５等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２８８】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはプロキシ部１５等の他の構成要素から制御され、又は、送受信部１１（ＴＲｘ）若しくはプロキシ部１５等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８９】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１３（ＳＷ）等の他の構成要素から制御され、又は送受信部１１（ＴＲｘ）若しくはスイッチ部１３（ＳＷ）等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９０】
送受信部１１（ＴＲｘ）、スイッチ部１３（ＳＷ）若しくはプロキシ部１５は、送受信部１１（ＴＲｘ）、スイッチ部１３（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２９１】
通信システム構成（２１−２）の通信システムでは、通信システム構成（２１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２９２】
通信システム構成（２２−１）の通信システムは、送受信部１１（ＴＲｘ）と、制御部１４と、プロキシ部１５とを備える（図８）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０２９３】
送受信部１１（ＴＲｘ）は、自律制御を行い、又は、制御部１４若しくはプロキシ部１５等の他の構成要素から制御され、又は、制御部１４若しくはプロキシ部１５等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２９４】
制御部１４は、送受信部１１（ＴＲｘ）、プロキシ部１５、外部のオペレーションシステム（不図示）、コントローラ（不図示）又は外部の装置（不図示）と接続される。制御部１４は、送受信部１１（ＴＲｘ）若しくはプロキシ部１５等の他の構成要素を制御し、又は送受信部１１（ＴＲｘ）若しくはプロキシ部１５等の他の構成要素を介して指示を転送する。
【０２９５】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくは制御部１４等の他の構成要素から制御され、又は送受信部１１（ＴＲｘ）若しくは制御部１４等の他の構成要素を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２９６】
送受信部１１（ＴＲｘ）、制御部１４若しくはプロキシ部１５は、送受信部１１（ＴＲｘ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）及びプロキシ部１５等の他の構成要素、外部のオペレーションシステム（不図示）、コントローラ（不図示）又は外部の装置（不図示）に送信してもよい。
【０２９７】
通信システム構成（２２−２）の通信システムでは、通信システム構成（２２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０２９８】
通信システム構成（２３−１）の通信システムは、送受信部１１（ＴＲｘ）と、スイッチ部１２（ＳＷ）と、外部サーバ１６とを備える（図８）。異なる波長（λＡ〜λＮ）の光信号を送受信する送受信部１１（ＴＲｘ）がスイッチ部１２に接続されている。
【０２９９】
送受信部１１（ＴＲｘ）は、自律制御を行い、又は、スイッチ部１２（ＳＷ）若しくは外部サーバ１６等の他の構成要素から制御され、又は、スイッチ部１２（ＳＷ）若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３００】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３０１】
外部サーバ１６は、送受信部１１（ＴＲｘ）、スイッチ部１２（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１２（ＳＷ）等の他の構成要素を制御し、又は送受信部１１（ＴＲｘ）若しくはスイッチ部１２（ＳＷ）等の他の構成要素を介して指示を転送する。
【０３０２】
送受信部１１（ＴＲｘ）、スイッチ部１２（ＳＷ）若しくは外部サーバ１６は、送受信部１１（ＴＲｘ）、スイッチ部１２（ＳＷ）若しくは外部サーバ１６等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０３０３】
通信システム構成（２３−２）の通信システムでは、通信システム構成（２３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３０４】
通信システム構成（２４−１）の通信システムは、送受信部１１（ＴＲｘ）と、スイッチ部１３（ＳＷ）と、外部サーバ１６とを備える（図８）。異なる波長（λＡ〜λＮ）の光信号を送受信する送受信部１１（ＴＲｘ）がスイッチ部１３（ＳＷ）に接続されている。
【０３０５】
送受信部１１（ＴＲｘ）は、自律制御を行い、又は、スイッチ部１３（ＳＷ）若しくは外部サーバ１６等の他の構成要素から制御され、又は、スイッチ部１３（ＳＷ）若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３０６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３０７】
外部サーバ１６は、送受信部１１（ＴＲｘ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１３（ＳＷ）等の他の構成要素を制御し、又は送受信部１１（ＴＲｘ）若しくはスイッチ部１３（ＳＷ）等の他の構成要素を介して指示を転送する。
【０３０８】
送受信部１１（ＴＲｘ）、スイッチ部１３（ＳＷ）若しくは外部サーバ１６は、送受信部１１（ＴＲｘ）、スイッチ部１３（ＳＷ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０３０９】
通信システム構成（２４−２）の通信システムでは、通信システム構成（２４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３１０】
通信システム構成（２５−１）の通信システムは、送受信部１１（ＴＲｘ）と、制御部１４と、外部サーバ１６とを備える（図８）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３１１】
送受信部１１（ＴＲｘ）は、自律制御を行い、又は、制御部１４若しくは外部サーバ１６等の他の構成要素から制御され、又は、制御部１４若しくは外部サーバ１６等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３１２】
制御部１４は、送受信部１１（ＴＲｘ）、外部サーバ１６、外部のオペレーションシステム（不図示）、コントローラ（不図示）又は外部の装置（不図示）と接続される。制御部１４は、送受信部１１（ＴＲｘ）若しくは外部サーバ１６等の他の構成要素を制御し、又は送受信部１１（ＴＲｘ）若しくは外部サーバ１６等の他の構成要素を介して指示を転送する。
【０３１３】
外部サーバ１６は、送受信部１１（ＴＲｘ）、制御部１４、外部のオペレーションシステム（不図示）、コントローラ（不図示）又は外部の装置（不図示）と接続される。外部サーバ１６は、送受信部１１（ＴＲｘ）若しくは制御部１４等の他の構成要素を制御し、又は送受信部１１（ＴＲｘ）若しくは制御部１４等の他の構成要素を介して指示を転送する。
送受信部１１（ＴＲｘ）、制御部１４若しくは外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０３１４】
通信システム構成（２５−２）の通信システムでは、通信システム構成（２５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３１５】
通信システム構成（２６−１）の通信システムは、送受信部１１（ＴＲｘ）と、プロキシ部１５と、外部サーバ１６とを備える（図８）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３１６】
送受信部１１（ＴＲｘ）は、自律制御を行い、又は、プロキシ部１５若しくは外部サーバ１６等の他の構成要素から制御され、又は、プロキシ部１５若しくは外部サーバ１６等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３１７】
プロキシ部１５は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３１８】
外部サーバ１６は、送受信部１１（ＴＲｘ）、プロキシ部１５、外部のオペレーションシステム（不図示）、コントローラ（不図示）又は外部の装置（不図示）と接続される。外部サーバ１６は、送受信部１１（ＴＲｘ）若しくはプロキシ部１５等の他の構成要素を制御し、又は送受信部１１（ＴＲｘ）若しくはプロキシ部１５等の他の構成要素を介して指示を転送する。
【０３１９】
送受信部１１（ＴＲｘ）、プロキシ部１５若しくは外部サーバ１６は、送受信部１１（ＴＲｘ）、プロキシ部１５若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０３２０】
通信システム構成（２６−２）の通信システムでは、通信システム構成（２６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３２１】
通信システム構成（２７−１）の通信システムは、送受信部１１（ＴＲｘ）と、スイッチ部１２（ＳＷ）とを備える（図８）。異なる波長（λＡ〜λＮ）の光信号を送受信する送受信部１１（ＴＲｘ）がスイッチ部１２に接続されている。
【０３２２】
送受信部１１（ＴＲｘ）は、自律制御を行い、又は、スイッチ部１２（ＳＷ）等の他の構成要素から制御され、又は、スイッチ部１２（ＳＷ）等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３２３】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）等の他の構成要素から制御され、又は、送受信部１１（ＴＲｘ）等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３２４】
送受信部１１（ＴＲｘ）又はスイッチ部１２（ＳＷ）は、送受信部１１（ＴＲｘ）若しくはスイッチ部１２（ＳＷ）等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０３２５】
通信システム構成（２７−２）の通信システムでは、通信システム構成（２７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３２６】
通信システム構成（２８−１）の通信システムは、送受信部１１（ＴＲｘ）と、スイッチ部１３（ＳＷ）とを備える（図８）。異なる波長（λＡ〜λＮ）の光信号を送受信する送受信部１１（ＴＲｘ）がスイッチ部１３（ＳＷ）に接続されている。
【０３２７】
送受信部１１（ＴＲｘ）は、自律制御を行い、又は、スイッチ部１３（ＳＷ）等の他の構成要素から制御され、又は、スイッチ部１３（ＳＷ）等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３２８】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）等の他の構成要素から制御され、又は、送受信部１１（ＴＲｘ）等の他の構成要素を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３２９】
送受信部１１（ＴＲｘ）又はスイッチ部１３（ＳＷ）は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０３３０】
通信システム構成（２８−２）の通信システムでは、通信システム構成（２８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３３１】
通信システム構成（２９−１）の通信システムは、送受信部１１（ＴＲｘ）と、制御部１４とを備える（図８）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３３２】
送受信部１１（ＴＲｘ）は、自律制御を行い、又は、制御部１４等の他の構成要素から制御され、又は、制御部１４等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３３３】
制御部１４は、送受信部１１（ＴＲｘ）、外部のオペレーションシステム（不図示）、コントローラ（不図示）又は外部の装置（不図示）と接続される。制御部１４は、送受信部１１（ＴＲｘ）等の他の構成要素を制御し、又は送受信部１１（ＴＲｘ）等の他の構成要素を介して指示を転送する。
【０３３４】
送受信部１１（ＴＲｘ）又は制御部１４は、送受信部１１（ＴＲｘ）の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の他の構成要素、外部のオペレーションシステム（不図示）、コントローラ（不図示）又は外部の装置（不図示）に送信してもよい。
【０３３５】
通信システム構成（２９−２）の通信システムでは、通信システム構成（２９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３３６】
通信システム構成（３０−１）の通信システムは、送受信部１１（ＴＲｘ）と、プロキシ部１５とを備える（図８）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３３７】
送受信部１１（ＴＲｘ）は、自律制御を行い、又は、プロキシ部１５等の他の構成要素から制御され、又はプロキシ部１５等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３３８】
プロキシ部１５は、自律制御を行い、又は、送受信部１１（ＴＲｘ）等の他の構成要素から制御され、又は、送受信部１１（ＴＲｘ）等の他の構成要素を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３３９】
送受信部１１（ＴＲｘ）やプロキシ部１５は、送受信部１１（ＴＲｘ）若しくはプロキシ部１５等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはプロキシ部１５等の他の構成要素、外部のオペレーションシステム（不図示）、コントローラ（不図示）又は外部の装置（不図示）に送信してもよい。
【０３４０】
通信システム構成（３０−２）の通信システムでは、通信システム構成（３０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３４１】
通信システム構成（３１−１）の通信システムは、送受信部１１（ＴＲｘ）と、外部サーバ１６とを備える（図８）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３４２】
送受信部１１（ＴＲｘ）は、自律制御を行い、又は、外部サーバ１６等の他の構成要素から制御され、又は、外部サーバ１６等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３４３】
外部サーバ１６は、送受信部１１（ＴＲｘ）、外部のオペレーションシステム（不図示）、コントローラ（不図示）又は外部の装置（不図示）と接続される。外部サーバ１６は、送受信部１１（ＴＲｘ）等の他の構成要素を制御し、又は送受信部１１（ＴＲｘ）の他の構成要素を介して指示を転送する。
【０３４４】
送受信部１１（ＴＲｘ）又は外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０３４５】
通信システム構成（３１−２）の通信システムでは、通信システム構成（３１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３４６】
通信システム構成（３２−１）の通信システムは、送受信部１１（ＴＲｘ）を備える（図８）。異なる波長（λＡ〜λＮ）の光信号を送受信する送受信部１１（ＴＲｘ）が、上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３４７】
送受信部１１（ＴＲｘ）は、自律制御を行い、又は、他の構成要素から制御され、又は、他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３４８】
送受信部１１（ＴＲｘ）は、送受信部１１（ＴＲｘ）等の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の構成要素の内部、外部のオペレーションシステム（不図示）、コントローラ（不図示）又は外部の装置（不図示）に送信してもよい。
【０３４９】
通信システム構成（３２−２）の通信システムでは、通信システム構成（３２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３５０】
以下、ＦＡＳＡアプリケーション自体又はＦＡＳＡアプリケーションとしてインストールするソフトウェアを指示部、ＦＡＳＡプラットフォーム自体又はＦＡＳＡプラットフォームにインストールするソフトウェアを実行部として説明する。
【０３５１】
以下では、図１又は図２に示されている応答部４は、指示部或いは実行部の少なくとも一方としてＯＬＴ２に備えられていてもよい。実行部が、割振部５及び応答部４を備えてもよい。指示部が、割振部５及び応答部４を備えてもよい。応答部４は実行部及び指示部の両方に備えられ、割振部５は実行部及び指示部の外に備えられてもよい。
【０３５２】
（第１の構成例）
ＯＬＴが送受信部１１を備え、実行部と指示部とを分離して機能配備する例について説明する。この場合、ＯＬＴは、送受信部１１に実行部を備える。ＯＬＴは、送受信部１１の情報処理部や、ＣＰＵ（Ｃｅｎｔｒａｌ  Ｐｒｏｃｅｓｓｉｎｇ  Ｕｎｉｔ）等の演算処理可能な箇所に、指示部を備える。実行部が指示部よりＰＯＮ側に配置されることが応答速度の観点から好ましいが、逆でもよく、同位置の別装置上でもよく、同一装置上の別ＶＭ上でもよい。
【０３５３】
実行部と指示部の入出力は、内部配線、バックボード、ＯＡＭ部１１４、主信号線、専用の配線、オペレーションシステム、コントローラ又は制御盤（ＣＯＮＴ盤）等の経路のいずれでよい。やりとりを指示部で直接終端して入力する場合、ＯＡＭ部１１４又は主信号にカプセル化してもよい。やりとりをいずれかの箇所で終端して、内部配線、バックボード、ＯＡＭ部１１４、主信号線、専用の配線、オペレーションシステム、コントローラ又は制御盤等の経路を経由して入力してもよい。ＯＡＭ部１１４や主信号線を用いる場合、ＯＡＭ部１１４や主信号にカプセル化することが望ましい。主信号線を通す場合はＯＳＵ又は他箇所のスイッチ部にて指示部に振り分けることが望ましい。
【０３５４】
なお、第１の構成例は、通信システム構成（１−１）〜（３２−２）における送受信部１１と送受信部１１に演算処理可能な箇所を備える任意の構成に適用できる。
【０３５５】
（第２の構成例）
第２の構成例では、実行部を送受信部１１に備え、指示部をスイッチ部１２の例えば情報処理部や、ＣＰＵ等の演算処理可能な箇所に備える。その他は第１の構成例と同様である。なお、第２の構成例は、通信システム構成（１−１）〜（３２−２）における送受信部１１とスイッチ部１２に演算処理可能な箇所を備える任意の構成に適用できる。なお、送受信部１１とスイッチ部１２の演算処理可能な箇所の両方に実行部及び指示部が備わっていてもよい。
【０３５６】
（第３の構成例）
第３の構成例では、実行部を送受信部１１に備え、指示部をＯＳＵの例えば情報処理部や、ＣＰＵ等の演算処理可能な箇所に備える。その他は第１の構成例と同様である。なお、第３の構成例は、通信システム構成（１−１）〜（３２−２）における送受信部１１とＯＳＵに演算処理可能な箇所を備える任意の構成に適用できる。なお、送受信部１１とＯＳＵの演算処理可能な箇所の両方に実行部及び指示部が備わっていてもよい。
【０３５７】
（第４の構成例）
第４の構成例では、実行部を送受信部１１に備え、指示部をスイッチ部１３の例えば情報処理部や、ＣＰＵ等の演算処理可能な箇所に備える。その他は第１の構成例と同様である。なお、第４の構成例は、通信システム構成（１−１）〜（３２−２）における送受信部１１とスイッチ部１３に演算処理可能な箇所を備える任意の構成に適用できる。なお、送受信部１１とスイッチ部１３の演算処理可能な箇所の両方に実行部及び指示部が備わっていてもよい。
【０３５８】
（第５の構成例）
第５の構成例では、実行部を送受信部１１に備え、指示部をＯＬＴの例えば制御部１４、情報処理部、制御盤又はＣＰＵ盤等の演算処理可能な箇所に備える。その他は第１の構成例と同様である。なお、第５の構成例は、通信システム構成（１−１）〜（３２−２）における送受信部１１とＯＬＴに演算処理可能な箇所を備える任意の構成に適用できる。なお、送受信部１１とＯＬＴの演算処理可能な箇所の両方に実行部及び指示部が備わっていてもよい。
【０３５９】
（第６の構成例）
第６の構成例では、実行部を送受信部１１に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第６の構成例は、通信システム構成（１−１）〜（３２−２）におけるＯＬＴ外部に演算処理可能な箇所を備える任意の構成に適用できる。なお、送受信部１１とＯＬＴ外部の演算処理可能な箇所の両方に実行部及び指示部が備わっていてもよい。
【０３６０】
（第７の構成例）
第７の構成例では、実行部を送受信部１１に備え、指示部をＯＬＴ外部の主信号ネットワーク中の例えばプロキシ部１５等の演算処理可能な箇所に備える。その他は第１の構成例と同様である。なお、第７の構成例は、通信システム構成（１−１）〜（３２−２）における送受信部１１とＯＬＴ外部の主信号ネットワーク中に演算処理可能な箇所を備える任意の構成に適用できる。なお、送受信部１１とＯＬＴ外部の主信号ネットワーク中の演算処理可能な箇所の両方に実行部及び指示部が備わっていてもよい。
【０３６１】
（第８の構成例）
第８の構成例では、実行部をスイッチ部１２に備え、指示部を送受信部１１の例えば情報処理部や、ＣＰＵ等の演算処理可能な箇所に備える。その他は第１の構成例と同様である。なお、第８の構成例は、通信システム構成（１−１）〜（３２−２）におけるスイッチ部１２と送受信部１１に演算処理可能な箇所を備える任意の構成に適用できる。なお、スイッチ部１２と送受信部１１の演算処理可能な箇所の両方に実行部及び指示部が備わっていてもよい。
【０３６２】
（第９の構成例）
第９の構成例では、実行部をスイッチ部１２に備え、指示部をスイッチ部１２の例えば情報処理部や、ＣＰＵ等の演算処理可能な箇所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第９の構成例は、通信システム構成（１−１）〜（３２−２）におけるスイッチ部１２とスイッチ部１２に演算処理可能な箇所を備える任意の構成に適用できる。
【０３６３】
（第１０の構成例）
第１０の構成例では、実行部をスイッチ部１２に備え、指示部をＯＳＵの例えば情報処理部や、ＣＰＵ等の演算処理可能な箇所に備える。その他は第１の構成例と同様である。なお、第１０の構成例は、通信システム構成（１−１）〜（３２−２）におけるスイッチ部１２とＯＳＵに演算処理可能な箇所を備える任意の構成に適用できる。なお、スイッチ部１２とＯＳＵの演算処理可能な箇所の両方に実行部及び指示部が備わっていてもよい。
【０３６４】
（第１１の構成例）
第１１の構成例では、実行部をスイッチ部１２に備え、指示部をスイッチ部１３の例えば情報処理部や、ＣＰＵ等に備える。その他は第１の構成例と同様である。なお、第１１の構成例は、通信システム構成（１−１）〜（３２−２）におけるスイッチ部１２とスイッチ部１３に演算処理可能な箇所を備える任意の構成に適用できる。なお、スイッチ部１２とＯＳＵの演算処理可能な箇所の両方に実行部及び指示部が備わっていてもよい。
【０３６５】
（第１２の構成例）
第１２の構成例では、実行部をスイッチ部１２に備え、指示部をＯＬＴの例えば制御部１４、情報処理部、制御盤又はＣＰＵ盤等の演算処理可能な箇所に備える。その他は第１の構成例と同様である。なお、第１２の構成例は、通信システム構成（１−１）〜（３２−２）におけるスイッチ部１２とＯＬＴに演算処理可能な箇所を備える任意の構成に適用できる。なお、スイッチ部１２とＯＬＴの演算処理可能な箇所の両方に実行部及び指示部が備わっていてもよい。
【０３６６】
（第１３の構成例）
第１３の構成例では、実行部をスイッチ部１２に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第１３の構成例は、通信システム構成（１−１）〜（３２−２）におけるスイッチ部１２とＯＬＴ外部に演算処理可能な箇所を備える任意の構成に適用できる。なお、スイッチ部１２及びＯＬＴ外部の演算処理可能な箇所の両方に実行部及び指示部が備わっていてもよい。
【０３６７】
（第１４の構成例）
第１４の構成例では、実行部をスイッチ部１２に備え、指示部をＯＬＴ外部の主信号ネットワーク中の例えばプロキシ部１５等の演算処理が可能な箇所に備える。その他は第１の構成例と同様である。なお、第１４の構成例は、通信システム構成（１−１）〜（３２−２）におけるスイッチ部１２とＯＬＴ外部の主信号ネットワーク中に演算処理可能な箇所を備える任意の構成に適用できる。なお、スイッチ部１２とＯＬＴ外部の主信号ネットワーク中の演算処理可能な箇所の両方に実行部及び指示部が備わっていてもよい。
【０３６８】
（第１５の構成例）
第１５の構成例では、実行部をＯＳＵに備え、指示部を送受信部１１の例えば情報処理部や、ＣＰＵ等の演算処理可能な箇所に備える。その他は第１の構成例と同様である。なお、第１５の構成例は、通信システム構成（１−１）〜（３２−２）におけるＯＳＵと送受信部１１に演算処理可能な箇所を含む構成に適用できる。なお、ＯＳＵと送受信部１１の演算処理可能な箇所の両方に実行部及び指示部が備わっていてもよい。
【０３６９】
（第１６の構成例）
第１６の構成例では、実行部をＯＳＵ、指示部をスイッチ部１２の例えば情報処理部や、ＣＰＵ等の演算処理可能な箇所に備える。その他は第１の構成例と同様である。なお、第１６の構成例は、通信システム構成（１−１）〜（３２−２）におけるＯＳＵとスイッチ部１２に演算処理可能な箇所を備える任意の構成に適用できる。なお、ＯＳＵとスイッチ部１２の演算処理可能な箇所の両方に実行部及び指示部が備わっていてもよい。
【０３７０】
（第１７の構成例）
第１７の構成例では、実行部をＯＳＵに備え、指示部をＯＳＵの例えば情報処理部、ＣＰＵ等の演算処理可能な箇所に備える。実行部が指示部よりＰＯＮ近傍に配置されることが応答速度の観点から好ましいが、逆でもよく、同位置の別装置上でもよく、同一装置上の別ＶＭ上でもよい。その他は第１の構成例と同様である。なお、第１７の構成例は、通信システム構成（１−１）〜（３２−２）におけるＯＳＵとＯＳＵに演算処理可能な箇所を備える任意の構成に適用できる。
【０３７１】
（第１８の構成例）
第１８の構成例では、実行部をＯＳＵに備え、指示部をスイッチ部１３の例えば情報処理部や、ＣＰＵ等の演算処理可能な箇所に備える。その他は第１の構成例と同様である。なお、第１８の構成例は、通信システム構成（１−１）〜（３２−２）におけるＯＳＵとスイッチ部１３に演算処理可能な箇所を備える任意の構成に適用できる。なお、ＯＳＵとスイッチ部１３の演算処理可能な箇所の両方に実行部及び指示部が備わっていてもよい。
【０３７２】
（第１９の構成例）
第１９の構成例では、実行部をＯＳＵに備え、指示部をＯＬＴの例えば制御部１４、情報処理部、制御盤又はＣＰＵ盤等の演算処理可能な箇所に備える。その他は第１の構成例と同様である。なお、第１９の構成例は、通信システム構成（１−１）〜（３２−２）におけるＯＳＵとＯＬＴに演算処理可能な箇所を備える任意の構成に適用できる。なお、ＯＳＵ及びＯＬＴの演算処理可能な箇所の両方に実行部及び指示部が備わっていてもよい。
【０３７３】
（第２０の構成例）
第２０の構成例では、実行部をＯＳＵに備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ１４０等の演算処理可能な箇所に備える。その他は第１の構成例と同様である。なお、第２０の構成例は、通信システム構成（１−１）〜（３２−２）におけるＯＳＵとＯＬＴ外部に演算処理可能な箇所を備える任意の構成に適用できる。なお、ＯＳＵとＯＬＴ外部の演算処理可能な箇所の両方に実行部及び指示部が備わっていてもよい。
【０３７４】
（第２１の構成例）
第２１の構成例では、実行部をＯＳＵに備え、指示部をＯＬＴ外部の主信号ネットワーク中の例えばプロキシ部１５等の演算処理可能な箇所に備える。その他は第１の構成例と同様である。なお、第２１の構成例は、通信システム構成（１−１）〜（３２−２）におけるＯＳＵとＯＬＴ外部の主信号ネットワーク中の演算処理可能な箇所を備える任意の構成に適用できる。なお、ＯＳＵとＯＬＴ外部の主信号ネットワーク中の演算処理可能な箇所の両方に実行部及び指示部が備わっていてもよい。
【０３７５】
（第２２の構成例）
第２２の構成例では、実行部をスイッチ部１３に備え、指示部を送受信部１１の例えば情報処理部や、ＣＰＵ等の演算処理可能な箇所に備える。その他は第１の構成例と同様である。なお、第２２の構成例は、通信システム構成（１−１）〜（３２−２）におけるスイッチ部１３と送受信部１１に演算処理可能な箇所を備える任意の構成に適用できる。なお、スイッチ部１３及び送受信部１１の演算処理可能な箇所の両方に実行部及び指示部が備わっていてもよい。
【０３７６】
（第２３の構成例）
第２３の構成例では、実行部をスイッチ部１３に備え、指示部をスイッチ部１２に備える。その他は第１の構成例と同様である。なお、第２３の構成例は、通信システム構成（１−１）〜（３２−２）におけるスイッチ部１２とスイッチ部１３を備える任意の構成に適用できる。なお、スイッチ部１３及びスイッチ部１２の演算処理可能な箇所の両方に実行部及び指示部が備わっていてもよい。
【０３７７】
（第２４の構成例）
第２４の構成例では、実行部をスイッチ部１３に備え、指示部をＯＳＵの演算処理可能な箇所に備える。ＯＳＵの演算処理可能な箇所は、例えば、情報処理部、ＣＰＵである。その他は第１の構成例と同様である。なお、第２４の構成例は、通信システム構成（１−１）〜（３２−２）におけるＯＳＵに演算処理可能な箇所とスイッチ部１３を備える任意の構成に適用できる。なお、スイッチ部１３及びＯＳＵの演算処理可能な箇所の両方に実行部及び指示部が備わっていてもよい。
【０３７８】
（第２５の構成例）
第２５の構成例では、実行部をスイッチ部１３に備え、指示部をスイッチ部１３の例えば情報処理部や、ＣＰＵ等の演算処理可能な箇所に備える。その他は第１の構成例と同様である。実行部が指示部よりＰＯＮ側に配置されることが応答速度の観点から好ましいが、逆でもよく、同位置の別装置上でもよく、同一装置上の別ＶＭ（Ｖｉｒｔｕａｌ  Ｍａｃｈｉｎｅ）上でもよい。なお、第２５の構成例は、通信システム構成（１−１）〜（３２−２）におけるスイッチ部１３とスイッチ部１３に演算処理可能な箇所を備える任意の構成に適用できる。
【０３７９】
（第２６の構成例）
第２６の構成例では、実行部をスイッチ部１３に備え、指示部をＯＬＴの例えば制御部１４、情報処理部、制御盤又はＣＰＵ盤等の演算処理可能な箇所に備える。その他は第１の構成例と同様である。なお、第２６の構成例は、通信システム構成（１−１）〜（３２−２）におけるスイッチ部１３とＯＬＴに演算処理可能な箇所を備える任意の構成に適用できる。なお、スイッチ部１３及びＯＬＴの演算処理可能な箇所の両方に実行部及び指示部が備わっていてもよい。
【０３８０】
（第２７の構成例）
第２７の構成例では、実行部をスイッチ部１３に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２７の構成例は、通信システム構成（１−１）〜（３２−２）におけるスイッチ部１３とＯＬＴ外部の演算処理可能な箇所を備える任意の構成に適用できる。なお、スイッチ部１３及びＯＬＴ外部の演算処理可能な箇所の両方に実行部及び指示部が備わっていてもよい。
【０３８１】
（第２８の構成例）
第２８の構成例では、実行部をスイッチ部１３に備え、指示部をＯＬＴ外部の主信号ネットワーク中の例えばプロキシ部１５等の演算処理可能な箇所に備える。その他は第１の構成例と同様である。なお、第２８の構成例は、通信システム構成（１−１）〜（３２−２）におけるスイッチ部１３とＯＬＴ外部の主信号ネットワーク中に演算処理可能な箇所を備える任意の構成に適用できる。なお、スイッチ部１３とＯＬＴ外部の主信号ネットワーク中の演算処理可能な箇所の両方に実行部及び指示部が備わっていてもよい。
【０３８２】
（第２９の構成例）
第２９の構成例では、実行部をＯＬＴの例えば制御部１４、情報処理部、制御盤又はＣＰＵ盤等に備え、指示部を送受信部１１の情報処理部や、ＣＰＵ等の演算処理可能な箇所に備える。その他は第１の構成例と同様である。なお、第２９の構成例は、通信システム構成（１−１）〜（３２−２）におけるＯＬＴの例えば制御部１４、情報処理部、制御盤又はＣＰＵ盤等と送受信部１１に演算処理可能な箇所を備える任意の構成に適用できる。なお、ＯＬＴの例えば制御部１４、情報処理部、制御盤又はＣＰＵ盤等及び送受信部１１の演算処理可能な箇所の両方に実行部及び指示部が備わっていてもよい。
【０３８３】
（第３０の構成例）
第３０の構成例では、実行部をＯＬＴの例えば制御部１４、情報処理部、制御盤又はＣＰＵ盤等に備え、指示部をスイッチ部１２の例えば情報処理部や、ＣＰＵ等の演算処理可能な箇所に備える。その他は第１の構成例と同様である。なお、第３０の構成例は、通信システム構成（１−１）〜（３２−２）におけるＯＬＴの例えば制御部１４、情報処理部、制御盤又はＣＰＵ盤等とスイッチ部１２に演算処理可能な箇所を備える任意の構成に適用できる。なお、ＯＬＴの例えば制御部１４、情報処理部、制御盤又はＣＰＵ盤等及びスイッチ部１２の演算処理可能な箇所の両方に実行部及び指示部が備わっていてもよい。
【０３８４】
（第３１の構成例）
第３１の構成例では、実行部をＯＬＴの例えば制御部１４、情報処理部、制御盤又はＣＰＵ盤等に備え、指示部をＯＳＵの例えば情報処理部や、ＣＰＵ等の演算処理可能な箇所に備える。その他は第１の構成例と同様である。なお、第３１の構成例は、通信システム構成（１−１）〜（３２−２）におけるＯＬＴの例えば制御部１４、情報処理部、制御盤又はＣＰＵ盤等とＯＳＵに演算処理可能な箇所を備える任意の構成に適用できる。なお、ＯＬＴの例えば制御部１４、情報処理部、制御盤又はＣＰＵ盤等とＯＳＵの演算処理可能な箇所の両方に実行部及び指示部が備わっていてもよい。
【０３８５】
（第３２の構成例）
第３２の構成例では、実行部をＯＬＴの例えば制御部１４、情報処理部、制御盤又はＣＰＵ盤等に備え、指示部をスイッチ部１３の例えば情報処理部や、ＣＰＵ等の演算処理可能な箇所に備える。その他は第１の構成例と同様である。なお、第３２の構成例は、通信システム構成（１−１）〜（３２−２）におけるＯＬＴの例えば制御部１４、情報処理部、制御盤又はＣＰＵ盤等とスイッチ部１３に演算処理可能な箇所を備える任意の構成に適用できる。なお、ＯＬＴの例えば制御部１４、情報処理部、制御盤又はＣＰＵ盤等及びスイッチ部１３の演算処理可能な箇所の両方に実行部及び指示部が備わっていてもよい。
【０３８６】
（第３３の構成例）
第３３の構成例では、実行部をＯＬＴの例えば制御部１４、情報処理部、制御盤又はＣＰＵ盤等に備え、指示部をＯＬＴの例えば制御部１４、情報処理部、制御盤又はＣＰＵ盤等の演算処理可能な箇所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第３３の構成例は、通信システム構成（１−１）〜（３２−２）におけるＯＬＴの例えば制御部１４、情報処理部、制御盤又はＣＰＵ盤とＯＬＴに演算処理可能な箇所を備える構成に適用できる。
【０３８７】
（第３４の構成例）
第３４の構成例では、実行部をＯＬＴの例えば制御部１４、情報処理部、制御盤又はＣＰＵ盤等に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第３４の構成例は、通信システム構成（１−１）〜（３２−２）におけるＯＬＴの例えば制御部１４、情報処理部、制御盤又はＣＰＵ盤等とＯＬＴ外部に演算処理可能な箇所を備える任意の構成に適用できる。なお、ＯＬＴの例えば制御部１４、情報処理部、制御盤又はＣＰＵ盤等とＯＬＴ外部の演算処理可能な箇所の両方に実行部及び指示部が備わっていてもよい。
【０３８８】
（第３５の構成例）
第３５の構成例では、実行部をＯＬＴの例えば制御部１４、情報処理部、制御盤又はＣＰＵ盤等に備え、指示部をＯＬＴ外部の主信号ネットワーク中の例えばプロキシ部１５等の演算処理可能な箇所に備える。その他は第１の構成例と同様である。なお、第３５の構成例は通信システム構成（１−１）〜（３２−２）におけるＯＬＴの例えば制御部１４、情報処理部、制御盤又はＣＰＵ盤等とＯＬＴ外部の主信号ネットワークに演算処理可能な箇所を備える任意の構成に適用できる。なお、ＯＬＴの例えば制御部１４、情報処理部、制御盤又はＣＰＵ盤等とＯＬＴ外部の主信号ネットワークの演算処理可能な箇所の両方に実行部及び指示部が備わっていてもよい。
【０３８９】
（第３６の構成例）
第３６の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部を送受信部１１の例えば情報処理部や、ＣＰＵ等の演算処理可能な箇所に備える。その他は第１の構成例と同様である。なお、第３６の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１の演算処理可能な箇所の両方に実行部及び指示部が備わっていてもよい。
【０３９０】
（第３７の構成例）
第３７の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１２の例えば情報処理部や、ＣＰＵ等の演算処理可能な箇所に備える。その他は第１の構成例と同様である。なお、第３７の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２の演算処理可能な箇所の両方に実行部及び指示部が備わっていてもよい。
【０３９１】
（第３８の構成例）
第３８の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＳＵの例えば情報処理部や、ＣＰＵ等の演算処理可能な箇所に備える。その他は第１の構成例と同様である。なお、第３８の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＳＵに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＳＵの演算処理可能な箇所の両方に実行部及び指示部が備わっていてもよい。
【０３９２】
（第３９の構成例）
第３９の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１３の例えば情報処理部や、ＣＰＵ等の演算処理可能な箇所に備える。その他は第１の構成例と同様である。なお、第３９の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３の演算処理可能な箇所の両方に実行部及び指示部が備わっていてもよい。
【０３９３】
（第４０の構成例）
第４０の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴの例えば制御部１４、情報処理部、制御盤又はＣＰＵ盤等の演算処理可能な箇所に備える。その他は第１の構成例と同様である。なお、第４０の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＬＴの演算処理可能な箇所の両方に実行部及び指示部が備わっていてもよい。
【０３９４】
（第４１の構成例）
第４１の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備える。実行部が指示部よりＰＯＮ側に配置されることが応答速度の観点から好ましいが、逆でもよく、同位置の別サーバ上でもよく、同一サーバ上の別ＶＭ上でもよい。その他は第１の構成例と同様である。なお、第４１の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の演算処理可能な箇所の両方に実行部及び指示部が備わっていてもよい。
【０３９５】
（第４２の構成例）
第４２の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の主信号ネットワーク中の例えばプロキシ部１５等の演算処理可能な箇所に備える。その他は第１の構成例と同様である。なお、第４２の構成例は通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中の演算処理可能な箇所の両方に実行部及び指示部が備わっていてもよい。
【０３９６】
（第４３の構成例）
第４３の構成例では、実行部をＯＬＴ外部の主信号ネットワーク中の例えばプロキシ部１５等に備え、指示部を送受信部１１の例えば情報処理部や、ＣＰＵ等の演算処理可能な箇所に備える。その他は第１の構成例と同様である。なお、第４３の構成例は、通信システム構成（１−１）〜（３２−２）におけるＯＬＴ外部の主信号ネットワーク中の例えばプロキシ部１５等と送受信部１１の主信号ネットワーク中に演算処理可能な箇所を備える任意の構成に適用できる。なお、ＯＬＴ外部の主信号ネットワーク中の例えばプロキシ部１５等と送受信部１１の演算処理可能な箇所の両方に実行部及び指示部が備わっていてもよい。
【０３９７】
（第４４の構成例）
第４４の構成例では、実行部をＯＬＴ外部の主信号ネットワーク中の例えばプロキシ部１５等に備え、指示部をスイッチ部１２の例えば情報処理部や、ＣＰＵ等の演算処理可能な箇所に備える。その他は第１の構成例と同様である。なお、第４４の構成例は、通信システム構成（１−１）〜（３２−２）におけるＯＬＴ外部の主信号ネットワーク中の例えばプロキシ部１５等とスイッチ部１２に演算処理可能な箇所を備える任意の構成に適用できる。なお、ＯＬＴ外部の主信号ネットワーク中の例えばプロキシ部１５等とスイッチ部１２の演算処理可能な箇所の両方に実行部及び指示部が備わっていてもよい。
【０３９８】
（第４５の構成例）
第４５の構成例では、実行部をＯＬＴ外部の主信号ネットワーク中の例えばプロキシ部１５等に備え、指示部をＯＳＵの例えば情報処理部や、ＣＰＵ等の演算処理可能な箇所に備える。その他は第１の構成例と同様である。なお、第４５の構成例は、通信システム構成（１−１）〜（３２−２）におけるＯＬＴ外部の主信号ネットワーク中の例えばプロキシ部１５等とＯＳＵに演算処理可能な箇所を備える任意の構成に適用できる。なお、ＯＬＴ外部の主信号ネットワーク中の例えばプロキシ部１５等とＯＳＵの演算処理可能な箇所の両方に実行部及び指示部が備わっていてもよい。
【０３９９】
（第４６の構成例）
第４６の構成例では、実行部をＯＬＴ外部の主信号ネットワーク中の例えばプロキシ部１５等に備え、指示部をスイッチ部１３の例えば情報処理部や、ＣＰＵ等の演算処理可能な箇所に備える。その他は第１の構成例と同様である。なお、第４６の構成例は、通信システム構成（１−１）〜（３２−２）におけるＯＬＴ外部の主信号ネットワーク中の例えばプロキシ部１５等とスイッチ部１３に演算処理可能な箇所を備える任意の構成に適用できる。なお、ＯＬＴ外部の主信号ネットワーク中の例えばプロキシ部１５等とスイッチ部１３の演算処理可能な箇所の両方に実行部及び指示部が備わっていてもよい。
【０４００】
（第４７の構成例）
第４７の構成例では、実行部をＯＬＴ外部の主信号ネットワーク中の例えばプロキシ部１５等に備え、指示部をＯＬＴの例えば制御部１４、情報処理部、制御盤又はＣＰＵ盤等の演算処理可能な箇所に備える。その他は第１の構成例と同様である。なお、第４７の構成例は、通信システム構成（１−１）〜（３２−２）におけるＯＬＴ外部の主信号ネットワーク中の例えばプロキシ部１５等とＯＬＴに演算処理可能な箇所を備える構成に適用できる。なお、ＯＬＴ外部の主信号ネットワーク中の例えばプロキシ部１５等とＯＬＴの演算処理可能な箇所の両方に実行部及び指示部が備わっていてもよい。
【０４０１】
（第４８の構成例）
第４８の構成例では、実行部をＯＬＴ外部の主信号ネットワーク中の例えばプロキシ部１５等に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第４８の構成例は、通信システム構成（１−１）〜（３２−２）におけるＯＬＴ外部の主信号ネットワーク中の例えばプロキシ部１５とＯＬＴ外部に演算処理可能な箇所を備える任意の構成に適用できる。なお、ＯＬＴ外部の主信号ネットワーク中の例えばプロキシ部１５等とＯＬＴ外部の演算処理可能な箇所の両方に実行部及び指示部が備わっていてもよい。
【０４０２】
（第４９の構成例）
第４９の構成例では、実行部をＯＬＴ外部の主信号ネットワーク中の例えばプロキシ部１５等に備え、指示部をＯＬＴ外部の主信号ネットワーク中の例えばプロキシ部１５等の演算処理可能な個所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第４９の構成例は通信システム構成（１−１）〜（３２−２）におけるＯＬＴ外部の主信号ネットワーク中の例えばプロキシ部１５等とＯＬＴ外部の主信号ネットワーク中に演算処理可能な箇所を備える任意の構成に適用できる。
【０４０３】
なお、第１の構成例から第４９の構成例において、指示部の設定又はアルゴリズムを変更するためのＩＦを備え、指示部のソフトウェアを変更できるとしてもよい。また、第１の構成例から第４９の構成例において、指示部は装置の構成要素で、演算処理が可能な一か所の構成要素上に配置したが、演算処理が可能な複数の構成要素装置上、例えば複数の情報処理部での処理により実現してもよい。
【０４０４】
図９は、光アクセスシステムの構成の例を示す図である。同図に示すＯＬＴは、通信装置１００の一例である。図９に係る光アクセスシステムでは、ＩＴＵ−Ｔ  Ｇ．９８９シリーズに準拠する。図９において、コントローラと外部装置はＯＬＴに含まれないが、ＦＡＳＡアプリケーションＡＰＩとの通信を例示するために記載する。
【０４０５】
論理モデルは、ＦＡＳＡアプリケーションと、ＦＡＳＡアプリケーションにＦＡＳＡアプリケーションＡＰＩを提供するＦＡＳＡ基盤とから構成される。ＦＡＳＡ基盤はＦＡＳＡアプリケーションＡＰＩ用ミドルウェアを含む。ＦＡＳＡアプリケーションＡＰＩ用ミドルウェアは、ＦＡＳＡ基盤を構成するハードウェアやソフトウェアのベンダや方式の違いを吸収する。ＦＡＳＡアプリケーションＡＰＩ用ミドルウェア上にベンダや方式に依存しないＦＡＳＡアプリケーションＡＰＩセットを規定し、ＦＡＳＡアプリケーションの入替により、サービス毎あるいは通信事業者毎に必要な機能を実現する。ＦＡＳＡアプリケーション間の通信やコントローラ等による設定管理はＦＡＳＡアプリケーションＡＰＩ用ミドルウェアを介して行う。なお、ＦＡＳＡアプリケーションＡＰＩ用ミドルウェアを介さないこともありうる。ＦＡＳＡアプリケーションＡＰＩセットは、ＦＡＳＡアプリケーションで利用する共通のＡＰＩ群であり、ＦＡＳＡアプリケーション毎に必要なＡＰＩをＡＰＩセットから選択して利用する。
【０４０６】
以下に示す接続関係は例であり、間に介在する接続は介在しない接続であってもよいし、複数の接続関係の一部のみ接続していてもよく、それ以外の接続であってもよい。これは他の説明も同様である。
【０４０７】
ＮＥコントローラとして機能するＥＭＳは、ＮＥ−ＯｐＳ等のＯＬＴの設定管理システムである。ＯＬＴには、ＥＭＳがＦＡＳＡアプリケーションＡＰＩ用ミドルウェアを介して接続されるＩＦ変換アプリを介して、設定管理アプリケーション（例えば、低速監視アプリ（ＥＭＳ−ＩＦ）及び設定・管理アプリ）と接続されるようにアプリが配置されている。ＩＦ変換アプリと設定管理アプリケーションも、ＦＡＳＡアプリケーションＡＰＩ用ミドルウェアを介して接続される。ＩＦ変換アプリは、ＮＥコントローラ等のＥＭＳからＯＬＴ等のＮｅｔｗｏｒｋ  Ｅｎｔｉｔｙに対する制御ＩＦであるＳＢＩ（Ｓｏｕｔｈ  Ｂａｎｄ  Ｉｎｔｅｒｆａｃｅ）のコマンドを変換するＳＢＩアプリに相当する。ここでＩＦ変換アプリがＩＦ変換するとしているが低速監視アプリ（ＥＭＳ−ＩＦ）及び設定・管理アプリにて、ＩＦ変換を行う又はＩＦ変換を行う必要のないＡＰＩを備えれば、ＩＦ変換アプリは備えなくともよい。Ｌ２（レイヤ２）機能（Ｌ２  ｆｕｎｃｔｉｏｎ）と接続された低速監視アプリ（ＥＭＳ−ＩＦ）と設定・管理アプリはＦＡＳＡアプリケーションＡＰＩ用ミドルウェアを介して、ＥＭＳやＮＥ管理等を行うＮＥ制御・管理と接続されている。低速監視アプリ（ＯＭＣＩ）、ＭＬＤプロキシアプリ（マルチキャストアプリ）及び省電力アプリは、ＦＡＳＡアプリケーションＡＰＩ用ミドルウェアを介してそれぞれＬ２機能と接続されている。
【０４０８】
プロテクションアプリは、ＦＡＳＡアプリケーションＡＰＩ用ミドルウェアを介してＰＬＯＡＭ  ＥｎｇｉｎｅとＥｍｂｅｄｄｅｄ  ＯＡＭ  Ｅｎｇｉｎｅとに接続されている。省電力アプリは、ＦＡＳＡアプリケーションＡＰＩ用ミドルウェアを介してＯＭＣＩとＰＬＯＡＭ  Ｅｎｇｉｎｅとに接続されている。ＯＮＵ登録認証アプリ及びＤＷＢＡアプリはＦＡＳＡアプリケーションＡＰＩ用ミドルウェアを介してＰＬＯＡＭ  Ｅｎｇｉｎｅと接続され、ＤＢＡアプリはＦＡＳＡアプリケーションＡＰＩ用ミドルウェアを介してＥｍｂｅｄｄｅｄ  ＯＡＭ  Ｅｎｇｉｎｅと接続されている。省電力アプリは、ＦＡＳＡアプリケーションＡＰＩ用ミドルウェアを介してプロテクションアプリとＯＮＵ登録認証アプリとＤＷＢＡアプリとＤＢＡアプリ間でそれぞれ動作させてもよい。外部の装置からの入力はＦＡＳＡアプリケーションＡＰＩ用ミドルウェアを介してＤＢＡアプリに接続している。なおこれらの接続は、例であり、外部の装置からの入力をＤＢＡアプリ以外の他のアプリ例えばプロテクションアプリやＤＷＢＡアプリに接続してもよい。また外部の装置からの入力をＦＡＳＡアプリケーションＡＰＩ用ミドルウェア経由でＩＦ変換アプリを介してＩＦ変換したり、ＦＡＳＡアプリケーションＡＰＩ用ミドルウェア経由で設定・管理アプリを介してＤＢＡアプリ等に接続したりしてもよい。
【０４０９】
図１０は、通信装置内の機能部間の信号／情報の流れを示す図である。同図に示す通信装置は、ＰＯＮ主信号処理機能部３００と、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０と、ＰＯＮマルチキャスト機能部３５０と、省電力制御機能部３６０と、周波数・時刻同期機能部３７０と、プロテクション機能部３８０とを備える。
【０４１０】
ＰＯＮ主信号処理機能部３００は、ＰＯＮ主信号処理機能を有する。ＰＯＮ主信号処理機能は、ＯＮＵとの間で送受信を行う主信号を処理する機能群であり、ＰＯＮフレームの生成分離や前方誤り訂正（ＦＥＣ：Ｆｏｒｗａｒｄ  Ｅｒｒｏｒ  Ｃｏｒｒｅｃｔｉｏｎ）等を含む。
【０４１１】
ＰＯＮアクセス制御機能部３２０は、ＰＯＮアクセス制御機能を有する。ＰＯＮアクセス制御機能は、前述の主信号送受信を行うための制御機能群であり、動的帯域割当やＯＮＵの登録認証等を含む。
【０４１２】
保守運用機能部３３０（ＰＬＯＡＭ処理、ＯＭＣＩ処理）は、保守運用機能を有する。保守運用機能は、アクセス装置によってサービスを円滑に保守運用するための機能群であり、ＯＮＵやＯＬＴ（ＯＳＵ及びスイッチ）の装置設定を実施する機能や、ソフトウェアの更新、装置やサービスの管理、各種機能が正常に動作しているかを監視する機能、異常発生時に能動的に警報を発出する機能、異常発生時の範囲や原因を調査するための試験機能等を含む。また、保守運用機能は、多数のアクセス装置を管理する保守運用システムと接続され、リモートからも円滑な保守運用を実現する。
【０４１３】
Ｌ２主信号処理機能部３４０は、Ｌ２主信号処理機能を有する。Ｌ２主信号処理機能は、ＰＯＮ側ポートとＳＮＩ側ポートとの間で主信号を転送し、処理する機能群であり、ＭＡＣアドレス学習やＶＬＡＮ制御、優先制御やトラフィックモニタ等の機能を含む。
【０４１４】
ＰＯＮマルチキャスト機能部３５０は、ＰＯＮマルチキャスト機能を有する。ＰＯＮマルチキャスト機能は、ＳＮＩ側から受信したマルチキャストストリームを適切なユーザに転送する機能群であり、マルチキャストストリームの識別や振分し、ＯＮＵのフィルタ設定を実施する機能を含む。
【０４１５】
省電力制御機能部３６０は、省電力制御機能を有する。省電力制御機能は、ＯＮＵやＯＬＴの電力消費を削減するための機能群であり、標準化で規定されている省電力化機能に加え、トラフィックモニタとの連携によってサービスへの影響を最小限に抑えながら、最大限の効果を得るための機能を含む。
【０４１６】
周波数・時刻同期機能部３７０は、周波数・時刻同期機能を有する。周波数／時刻同期機能は、ＯＮＵ配下の装置に正確な周波数同期や時刻同期を提供するための機能群であり、自身のリアルタイムクロックを上位装置に従属同期させる機能や、ＰＯＮフレームを用いてＯＮＵに時刻情報を通知する機能を含む。
【０４１７】
プロテクション機能部３８０は、プロテクション機能を有する。プロテクション機能は、スイッチ間やＯＳＵ間等、複数のハードウェアで冗長をとった構成において、障害検知時に現用系から予備系への切替や引継を実施してサービスを継続するための機能群であり、切替トリガの検出や切替処理の実施といった機能を含む。また、プロテクション機能は障害検知時や手動での切替時に、サービスを全面停止せず縮退運転で動作させ続けるための機能を提供する。
ＰＭＤ部３１０は、主要８機能以外の機能を有する。
【０４１８】
ＰＯＮ主信号処理機能部３００は、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０とに接続されていてもよい。ＰＯＮマルチキャスト機能部３５０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。省電力制御機能部３６０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。周波数・時刻同期機能部３７０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。プロテクション機能部３８０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。
【０４１９】
図１１は、ＰＯＮ主信号処理機能部３００が有する機能構成の例を示す図である。ＰＯＮ主信号処理機能部３００は、上り信号の処理順（下り信号の処理は逆方向）に、ＰＨＹアダプテーションと、フレーム化と、サービスアダプテーションとを、ＰＯＮ主信号処理機能を構成する処理として備えていてもよい。これらの処理は、基本処理から構成されてもよい。基本処理は、同期ブロック生成／抽出と、スクランブル／デスクランブルと、ＦＥＣデコード／エンコードと、フレーム生成／分離と、ＧＥＭ（Ｇ−ＰＯＮ  Ｅｎｃａｐｓｕｌａｔｉｏｎ  Ｍｅｔｈｏｄ）カプセル化と、フラグメント処理と、暗号化とである。
【０４２０】
ＰＨＹアダプテーションは、同期ブロック抽出と、デスクランブルと、ＦＥＣデコーディングとを、上り信号の処理順に備えていてもよい。ＰＨＹアダプテーションは、ＦＥＣエンコーディングと、スクランブルと、同期ブロック生成とを、下り信号処理の順番で備えていてもよい。
【０４２１】
ＰＯＮ主信号処理機能部３００は、ＰＨＹアダプテーション、フレーム化又はサービスアダプテーションの処理を備えずに、同等の処理を基本処理の組み合わせで実現してもよい。ＰＨＹアダプテーション、フレーム化又はサービスアダプテーションの処理は、順番が入れ替わっていてもよい。ＰＨＹアダプテーションは、例えば、ＦＥＣ処理をＰＨＹアダプテーション以外に備えてもよい。
【０４２２】
ＰＯＮ主信号処理機能部３００の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が複数波長を処理するなら、複数波長分が求められる。
【０４２３】
図１２は、ＰＯＮアクセス制御機能部３２０が有する機能構成の例を示す図である。ＰＯＮアクセス制御機能部３２０が有するＰＯＮアクセス制御機能を構成する処理として、ＯＮＵ登録又は認証、ＤＢＡ、及び、λ設定切替（ＤＷＡ）を有する。これらの処理は、基本処理から構成されてもよい。例えば、ＯＮＵ登録又は認証は、初期処理を構成するレンジング、認証削除、登録、起動停止、ＤＢＡは帯域要求受信、トラフィック測定、履歴保持、割当計算、割当処理、設定切替計算、設定切替処理、設定切替状況把握の全て又はそのいくつか、λ設定切替は、帯域要求受信、トラフィック測定、履歴保持、割当計算、割当処理、設定切替計算、設定切替処理、設定切替状況把握の全て又はそのいくつかから構成されてもよい。ＯＮＵ登録又は認証、ＤＢＡ、λ設定切替（ＤＷＡ）は備えずに同等の処理を基本処理の組み合わせで実現してもよい。また、順番が入れ替わっていてもよい。
【０４２４】
ＰＯＮアクセス制御機能部３２０の主要機能では、ＯＮＵ高速起動、ＤＢＡ周期内でのＢＷＭａｐ、無瞬断λ設定切替等が必要に応じて求められる。機能分担の例として、登録又は認証としては、タイムクリティカルなレンジング処理を機器依存部１１０、その後の認証や鍵交換をアプリとしてもよい。ＤＢＡ・λ設定切替では、単純な繰り返し処理を機器依存部１１０、理想状態への反映をアプリとしてもよい。
【０４２５】
図１３は、Ｌ２主信号処理機能部３４０が有する機能構成の例を示す図である。Ｌ２主信号処理機能部３４０が有するＬ２主信号処理機能を構成する処理として、ＭＡＣ学習、ＶＬＡＮ制御、パス制御、帯域制御、優先制御、遅延制御、Ｃｏｐｙを有する。これらの処理は基本処理であるアドレス管理、Ｃｌａｓｓｉｆｉｅｒ（クラシファイア、分類部）、Ｍｏｄｉｆｉｅｒ（モディファイア、変更部）、Ｐｏｌｉｃｅｒ／Ｓｈａｐｅｒ（ポリサー／シェイパ）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）、Ｃｏｐｙ（コピー）、トラフィックモニタから構成されてもよい。ＭＡＣ学習、ＶＬＡＮ制御、パス制御、帯域制御、優先制御、遅延制御、Ｃｏｐｙは備えずに同等の処理を基本処理の組み合わせで実現してもよい。また、順番が入れ替わっていてもよい。
【０４２６】
Ｌ２主信号処理機能部３４０の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が、複数波長を処理するなら複数波長分が求められる。
【０４２７】
図１４は、保守運用機能部３３０が有する機能構成の第１例を示す図である。保守運用機能部３３０が有する保守運用機能を構成する処理として、ＯＮＵ、ＯＳＵ、ＯＬＴ又はＳＷの装置設定（手動、一括、自動、オペレーション契機）、設定バックアップ、ＦＷ更新、装置制御（リセット）、冗長構成対応を有する。これらの処理は、基本処理であるＣＬＩ−ＩＦ、装置管理ＩＦ、オペレーションＩＦ、汎用Ｃｏｎｆｉｇ（コンフィグ）−ＩＦ（Ｎｅｔｃｏｎｆ、ＳＮＭＰなど）、テーブル管理から構成されてもよい。装置設定、設定バックアップ、ＦＷ更新、装置制御、冗長構成対応は備えずに同等の処理を基本処理の組み合わせで実現してもよい。また、順番が入れ替わっていてもよい。
【０４２８】
保守運用機能部３３０の主要機能では、指示を受けてからＡＣＫ送信まで１００ミリ秒以内、指示を受けてから反映完了通知送信まで２００ミリ秒以内（ただし、データ転送を含む設定バックアップとＦＷ更新は規模（サイズ・ユーザ数）に応じる等の規定に従うこと）が求められる。機能分担の例としては、ハードのＣｏｎｆｉｇを除きアプリによる処理とし、ソフトや設定データはＯＮＵやＯＬＴで持たずに図８の外部サーバ１６上のアプリによる処理とすることもできる。コマンドの統一とシーケンスの定義をすることで実現することもできる。
【０４２９】
図１５は、保守運用機能部３３０が有する機能の構成の第２例を示す図である。保守運用機能部３３０が有する機能を構成する処理として、装置の状態監視（ＣＰＵ／メモリ／電源／切替）、トラフィック監視、警報監視（ＯＮＵ異常、ＯＬＴ異常）、試験（ループバック）を有する。これらの処理は基本処理である警報通知、ログ記録、Ｌ３パケット生成／処理、テーブル管理から構成されてもよい。装置の状態監視、トラフィック監視、警報監視、試験は同等の処理を基本処理の組み合わせで実現してもよい。また、順番が入れ替わっていてもよい。
【０４３０】
保守運用機能部３３０の主要機能では、レイテンシが１００ミリ秒以内等の規定に従うことが求められる。機能分担の例として、通知／表示のＩＦのみアプリとし、モニタが必要な項目（ＣＰＵ負荷、メモリ利用量、電源状態、消費電力、イーサネット（登録商標）のリンク状態など）は機器依存部１１０であり、機器依存部１１０からの通知読み出し、通知のネットワーク（ＮＷ）送信、ファイルへの書き込みなどのＩＦをきるアプリによる処理とすることもできる。
【０４３１】
図１６は、保守運用機能部３３０が有する機能構成の第３例を示す図である。保守運用機能部３３０が有する保守運用機能を構成する処理として、高速を要する監視・制御の入出力（スリープ指示／返答、λ設定切替指示／返答など）を有する。本処理の手段として、物理層ＯＡＭ（ＰＬＯＡＭ：ＰＨＹｓｉｃａｌ  Ｌａｙｅｒ  ＯＡＭ）メッセージ、及び、ヘッダ内のビット表示（Ｅｍｂｅｄｄｅｄ  ＯＡＭ）を利用する。これらの処理は基本処理であるＰＬＯＡＭ処理、Ｅｍｂｅｄｄｅｄ  ＯＡＭ処理、省電力制御機能部３６０との通信、プロテクション機能部３８０との通信、ＰＯＮアクセス制御機能部３２０との通信から構成されてもよい。高速を要する監視・制御の入出力は同等の処理を基本処理の組み合わせで実現してもよい。また、順番が入れ替わっていてもよい。保守運用機能部３３０の主要機能では、ＰＬＯＡＭ処理を７５０マイクロ秒以内とする等の規定に従うことが求められる。
【０４３２】
図１７は、ＰＯＮマルチキャスト機能部３５０が有する機能構成の例を示す図である。ＰＯＮマルチキャスト機能部３５０が有するＰＯＮマルチキャスト機能を構成する処理として、マルチキャストストリームの識別又は振り分け、ＭＬＤプロキシ／スヌーピング、ＯＮＵフィルタ設定、波長間設定移行を有する。これらの処理は基本処理であるＬ２識別・振り分け、Ｌ３パケット処理（ＩＰｖ６  Ｐａｒｓｅを備えるのが望ましい）、Ｌ３パケット生成、テーブル管理、ＯＭＣＩ機能との通信から構成されてもよい。マルチキャストストリームの識別又は振り分け、ＭＬＤプロキシ／スヌーピング、ＯＮＵフィルタ設定、波長間設定移行は同等の処理を基本処理の組み合わせで実現してもよい。また、順番が入れ替わっていてもよい。
【０４３３】
なお本願の文中ではマルチキャストのプロトコルとしてＭＬＤで例示したが、ＩＧＭＰ等の他のプロトコルであっても同様である。
【０４３４】
ＰＯＮマルチキャスト機能部３５０の主要機能では、識別／振り分けを１０Ｇｂｉｔ／ｓ／λと２．５Ｇｂｉｔ／ｓ／λの処理をそれぞれ波長毎に処理する場合、それぞれ１０Ｇｂｉｔ／ｓ／λと２．５Ｇｂｉｔ／ｓ／λ以上のストリーム処理が、複数波長を処理するなら複数波長分が求められる。さらに、ＰＯＮマルチキャスト機能部３５０の主要機能では、パケット処理としてザッピング性能（Ｚａｐｐｉｎｇ性能）（ＪＯＩＮレイテンシ）が、平均１．５秒以内等の規定に従うことが求められる。
【０４３５】
機能分担の例としては、マルチキャスト（ＭＣ）ストリームの識別・振分は高速な処理能力を持つＣＰＵ等であればソフト処理可だが、ハード＋ｃｏｎｆｉｇが望ましい。その他、上りに対するアプリ系やＯＮＵ設定は頻度や遅延制約が緩いためアプリによる処理とするである。
【０４３６】
図１８は、省電力制御機能部３６０が有する機能構成の例を示す図である。省電力制御機能部３６０が有する機能を構成する処理として、スリープ用プロキシ／トラフィックモニタ、ＯＮＵ波長設定、波長間設定移行を有する。これらの処理は基本処理であるＬ３パケット処理（ＩＰｖ６  Ｐａｒｓｅを備えるのが望ましい）、Ｌ３パケット生成、テーブル管理、ＯＳＵ省電力ステートダイアグラム（ＳＤ：Ｓｔａｔｅ  Ｄｉａｇｒａｍ）、ＯＭＣＩ機能との通信から構成されてもよい。スリープ用プロキシ／トラフィックモニタ、ＯＮＵ波長設定、波長間設定移行は同等の処理を基本処理の組み合わせで実現してもよい。また、順番が入れ替わっていてもよい。
【０４３７】
本主要機能では、送受信立ち上がり時間（受信器／送信器）を１０ミリ秒／５ミリ秒、立ち上がり時間（ＬＣ／ＯＳＵ／ＯＬＴ）を１００ミリ秒／１秒／１０秒等の規定に従うことが求められる。
【０４３８】
機能分担の例として、パワーセーブ（ＰＳ：Ｐｏｗｅｒ  Ｓａｖｅ）アプリや、信号によってはプロキシ処理もアプリによる処理とすることもできる。省電力制御状態遷移管理（ドライバ部）は速度が求められるがアプリによる処理とすることもできる。トラフィックモニタはコンフィグ（ｃｏｎｆｉｇ）のみアプリによる処理とすることもできる。
【０４３９】
図１９は、周波数・時刻同期機能部３７０が有する機能構成の例を示す図である。ＯＬＴは、ＳｙｎｃＥ（Ｓｙｎｃｈｒｏｎｏｕｓ  Ｅｔｈｅｒｎｅｔ（登録商標））（周波数同期用）及びＩＥＥＥ  １５８８ｖ２（時刻同期）により、自身のリアルタイムクロック（ＲＴＣ）を上位装置に従属同期させる。更に、ＯＭＣＩを利用して、ＰＯＮのスーパーフレームカウンタ（ＳＦＣ）と絶対時刻（ＴｏＤ：Ｔｉｍｅ  ｏｆ  Ｄａｙ）情報の対応をＯＮＵに通知する。これらの処理は基本処理であるリアルタイムクロックの保持等から構成されてもよい。同等の処理を基本処理の組み合わせで実現してもよい。また、順番が入れ替わっていてもよい。
【０４４０】
本主要機能では、周波数同期精度＋／−５０ｐｐｂ（ＬＴＥ  ＦＤＤ、同ＴＤＤ）、時刻同期精度＋／−１〜１．５マイクロ秒（ＬＴＥ  ＴＤＤ、スモールセル）、＋／−１マイクロ秒（Ｇ．９８７．３）等の規定に従うことが求められる。機能分担の例としては、リアルタイムクロック自体は機器依存部１１０であり、上位装置への時刻合わせ計算はアプリによる処理とすることもできる（精度により機器依存部１１０とすることもできる）。
【０４４１】
図２０は、プロテクション機能部３８０が有する機能構成の例を示す図である。プロテクション機能部３８０が有するプロテクション機能を構成する処理として、冗長切替（ＣＴ、ＳＷ、ＮＮＩ、ＣＯＮＴ、ＰＯＮ（Ｔｙｐｅ  Ａ、Ｂ、Ｃ））を備える。これらの処理は基本処理である冗長パス設定、切替トリガ検出、切替通知送受信、切替処理等から構成されてもよい。同等の処理を基本処理の組み合わせで実現してもよい。また、順番が入れ替わっていてもよい。
【０４４２】
本主要機能では、強制切替は５０ミリ秒以下等の規定に従うことが求められる。機能分担の例としては、故障検出等のハードの切替トリガ検出と切替処理を除きアプリによる処理とすることもできる。冗長パスを予め設定せずに、切替トリガ検出時にＥＭＳ側へ（から）指示する場合は機器依存、等である。
【０４４３】
なお、主要８機能は必要に応じて備えればよく、例えばＰＯＮ主信号処理機能、ＰＯＮアクセス制御機能、Ｌ２主信号処理機能、保守運用機能のみを備えてもよいし、それ以外の機能を備えてもよい。また、各機能のソフト化可否の評価は、２０１８年に想定されるＯＬＴの処理能力かつ、ソフトスイッチの適用は想定していない前提での一例である。想定する処理能力やソフトスイッチの適用を想定して適宜変更してもよい。ソフト化可の機能であっても、ソフト化しなくてもよい。各機能の内部の構成は同様の機能を実現できれば他の構成であってもよい。
【０４４４】
主要８機能に含まれるアルゴリズムを主なソフト化領域とする。ソフト化領域とした機能を機器無依存ＡＰＩ２１、２２上の機器無依存アプリ部１３０とする。例えば、差異化サービスに資するＯＮＵ登録又は認証機能、ＤＷＢＡ機能、設定・管理・監視制御機能及び省電力制御機能におけるアルゴリズムは機器無依存アプリ部１３０における拡張機能部１３１として扱われる。ＭＬＤプロキシアプリはマルチキャスト機能を含む。
【０４４５】
拡張機能部１３１は、アプリの内、機能の更新頻度や独自仕様等の実現等の重要度に応じて拡張機能部１３１とする。更新頻度が低いか独自仕様等の実現の要求の低いものは基本機能部１３２や機器無依存アプリ部１３０以外のミドルウェア部１２０や機器依存ソフトウェアやハードウェア部１１１（ＰＨＹ）及びハードウェア部１１２（ＭＡＣ）とすることが好ましい。特に、ソフトウェアの処理能力からくる制限がある機能は、ハードウェア部１１１（ＰＨＹ）及びハードウェア部１１２（ＭＡＣ）のままとすることが好ましい。例えば、主信号の優先処理や回線の利用効率を向上するＤＢＡ等の更改頻度が高いかサービス差異化に寄与する機能や、オペレータの業務フローに密接にかかわり合いオペレータ毎の独自仕様が要求される管理制御機能から拡張機能部１３１とする。
【０４４６】
図２１は、通信装置のアーキテクチャの詳細の例を示す図である。エンベデッドＯＡＭエンジン１１４ａ（Ｅｍｂｅｄｄｅｄ  ＯＡＭ  Ｅｎｇｉｎｅ）は、ミドルウェア部１２０を介して、ＤＢＡアプリ部及びプロテクションアプリ部と接続されている。ＰＬＯＡＭエンジン１１４ｂは、ミドルウェア部１２０を介して、ＤＷＢＡアプリ、ＯＮＵ登録認証、高速監視アプリ、省電力アプリ及びプロテクションアプリと接続されている。
【０４４７】
ＯＭＣＩは、ミドルウェア部１２０を介して、省電力アプリ及び低速監視アプリ（ＯＭＣＩ）と接続されている。Ｌ２機能部（Ｌ２  ｆｕｎｃｔｉｏｎ）は、ミドルウェア部１２０を介して、省電力アプリ及びＭＬＤプロキシアプリと接続されている。Ｌ２機能部は、ミドルウェア部１２０を介して、設定・管理アプリと更に接続されている。ＮＥ管理部１１５ａは、設定・管理アプリと接続されている。ＮＥコントロール１１５ｂは、低速監視アプリ（ＥＭＳ−ＩＦ）と接続されている。
【０４４８】
図２２は、通信装置内の機能部間の信号／情報の流れを示す図である。同図では、ＯＬＴのＩｎ／Ｏｕｔに着目した、通信装置内の機能部間の信号／情報の流れを示している。同図に示すように通信装置としてのＯＬＴは、ＡＰＩ下側処理実体（ＦＡＳＡプラットフォーム）とアプリ（ＦＡＳＡアプリケーション）とから構成される。
【０４４９】
ＡＰＩ下側処理実体は、ＯＬＴ入出力対象がＭＰＣＰ送受に対する送信指示と受信通知であるＭＰＣＰ／ＤＢＡ処理実体、ＯＬＴ入出力対象がＯＡＭ送受であるＯＡＭ処理実体、ＯＬＴ入出力対象がＯＮＵ認証送受であるＯＮＵ認証処理実体、ＯＬＴ入出力対象がＭＬＤ／ＩＧＭＰ送受であるＭＬＤ／ＩＧＭＰ処理実体、ＯＬＴ入出力対象が他プロトコル送受である他プロトコル処理実体、ＯＬＴ入出力がブリッジ・暗号化等主信号処理に対する設定や参照・状態取得である主信号設定処理実体、ＯＬＴ入出力対象がＯＬＴハード・ＩＦ・ＯＳ等である装置管理処理実体で例示している。ここで、ＭＰＣＰ送受に対する送信指示と受信通知はドライバ直叩きを想定し、send_frame(*raw_frame);のようなものであることが望ましい。
同図では、アプリとして、ＤＢＡ、ＯＮＵ管理、回線管理、マルチキャスト、ＥｔｈｅｒＯＡＭ、冗長、装置管理、警報管理、Ｎｅｔｃｏｎｆエージェント、アプリ管理を例示している。
【０４５０】
ＯＬＴのＩｎ／Ｏｕｔは、ＯＮＵに対する入出力と、ＯＬＴ自身への設定／通知と、ＥＭＳとの入出力の３つに大別される。ＡＰＩ上側のアプリから見ると、ＡＰＩ下側処理部に対しては、ドライバ直叩きのような処理と比べて、（ａ）簡単に（都合よく）、（ｂ）共通に（複数種間で）、（ｃ）便利に、処理してくれる処理実体があることが望ましい。
【０４５１】
以下にＡＰＩ下側処理実体の機能分担を例示する。アプリはそれに対応する処理を有する。ＡＰＩ下側処理実体とアプリの機能分担は、以下のいずれであってもそれ以外であってよし、処理実態毎に異なっていてもよい。
【０４５２】
（０）メッセージスルー：メッセージをＡＰＩ上部側とＯＮＵ／上位ＮＷとでスルーする。
【０４５３】
（１）フレーミング：メッセージを、フレームを外して、必要に応じて要素に分解又は処理してＡＰＩ上部側に提供する。ＡＰＩ上部からは、情報をＡＰＩ下部側に渡す。ＡＰＩ下側処理実体はフレーミングを行う。各プロトコルへの依存が大きいＡＰＩになるため機器依存アプリ部に含まれてもよい。固定的なパラメータ（タイプ値など）は、ＡＰＩ上部から初期化時等に設定され、保持するのが望ましい。設定パラメータはＡＰＩ上部からの参照に対して返信する。
【０４５４】
（２）自動応答：定期送信、固定的な応答など、判断を要しないメッセージ送受信を処理実体が担う。ＡＰＩ上部からは、あらかじめ動作の設定が行われるのが望ましい。例えば、応答周期など。ＡＰＩ上部への通知が必要な場合のみ結果を通知する。
【０４５５】
（３）自律判断：判断を伴う処理についても、処理実体で担う。ＡＰＩ上部からは、あらかじめ、ポリシーの設定が行われる。
【０４５６】
本図はＩＥＥＥ準拠の１０ＧＥＰＯＮに即して記載しているが、対応する機能及び処理を読みかえればＩＴＵ−Ｔやそれ以外に準拠する装置であっても同様である。また機能や処理実態は例であり条件に応じて適宜追加、削除、入替、変更してもよい。
【０４５７】
図２３は、通信装置が実行するアプリの例を示す図である。ＣＰＵの処理は、３グループに分類される。３グループは、Ｃｏｎｔ向きのＣＰＵと、ＯＳＵ向きのＣＰＵと、ＳＷ向きのＣＰＵとである。Ｃｏｎｔ向きのＣＰＵの処理は、低速監視アプリ（ＯＭＣＩ）と、低速監視アプリ（ＥＭＳ−ＩＦ）と、設定・管理アプリとを実行する処理である。ＳＷ向きのＣＰＵの処理は、ＭＬＤプロシキアプリを実行する処理である。ＯＳＵ向きのＣＰＵの処理は、省電力アプリと、プロテクションアプリと、高速監視アプリと、ＤＢＡアプリと、ＤＷＢＡアプリと、ＯＮＵ登録認証アプリとを実行する処理である。装置設定ＩＦは、ＥＭＳ−ＩＦの一部であってもよく、機器依存ＡＰＩ２５と同等であってもよい。
【０４５８】
各アプリがＣＰＵパッケージ上のＣＰＵで処理される例である。図２３では、各アプリをＯＬＴ内の制御部であるコントパッケージ（図２３におけるＣｏｎｔ．）向き、複数の光送受信機（図２３のλＣａｒｄ）を備えるＯＳＵパッケージ（図２３のＯＳＵ）向き、ＯＳＵ及び上位ネットワーク側の装置とデータの入出力を行うＳＷパッケージ向きの３グループに分類している。ＯＳＵグループを省電力アプリ、プロテクションアプリ、高速監視アプリ、ＤＢＡアプリ、ＤＷＢＡアプリ、ＯＮＵ登録認証アプリとし、ＳＷグループをＭＬＤプロキシアプリとし、Ｃｏｎｔグループを低速監視アプリ（ＯＭＣＩ）、低速監視アプリ（ＥＭＳ−ＩＦ）、設定管理アプリとした。更に、ＣＰＵでの集中制御を想定しているが、分類した各グループのアプリをそれぞれのパッケージ（Ｃｏｎｔ、ＯＳＵ、ＳＷ）に分散配置してもよい。また上記の分類によらずに、Ｃｏｎｔ、ＯＳＵ、ＳＷのいずれか又はそれらの複数の組み合わせ上に配置してもよい。また、図２３の装置設定ＩＦはＥＭＳ−ＩＦの一部であってもよいし、図３の機器依存ＡＰＩ２５同等であってもよい。またアプリの処理はＣＰＵ上で行うとしたが、一部また全てを、処理機能を備える代替物、例えばＣＰＵ以外のＧＰＵやＮＰＵやＤＳＰ等のプロセッサやＦＰＧＡ上で処理してもよい。他の実施形態でも同様である。
【０４５９】
図２４は、ＣＰＵパッケージの代わりにサーバ等にアプリを配置した例である。アプリはサーバ等上で処理され、そのアプリの処理結果は、イーサネット（登録商標）フレーム等の伝送路で伝送できる形式により伝送路で伝送された後に、ＯＬＴに到着する。ここで、伝送路で伝送できる形式としては、イーサネット（登録商標）フレーム以外のフレームやＴＤＭ等の伝送であってもよい。また、処理結果の伝送には、変換機（図２４におけるＣｏｎｖ．）を介しているが、ＯＳＵやＳＷやλカードが変換機を介さずにアプリの処理結果を受けることが可能とすれば変換機は不要である。サーバ等は、図８の外部サーバ１６相当であってもよいし、プロキシ部１５相当であってもよい。
【０４６０】
図２５は、ＣＰＵ、スイッチ部（ＳＷ）及びＯＳＵの機能（処理）の例を示す図である。ＣＰＵは、省電力制御機能と、プロテクション機能とを、アプリによって実行する。ＣＰＵは、さらに、保守運用機能（Ｆａｕｌｔ  Ｍａｎａｇｅｍｅｎｔ）と、保守運用機能（ＧＴＣ／ＰＭＤ  ｃｏｎｆｉｇ）と、ＰＯＮアクセス処理機能（ＯＮＵ  ａｃｔｉｖａｔｉｏｎ）と、ＰＯＮアクセス処理機能（ＤＢＡ）と、ＰＯＮアクセス処理機能（λ割当変更）と、保守運用機能（Ｓｅｒｖｉｃｅ  Ｍａｎａｇｅｍｅｎｔ）と、保守運用機能（Ｅｑｕｉｐｍｅｎｔ  Ｍａｎａｇｅｍｅｎｔ）とを実行する。またさらに、ＣＰＵは、保守運用機能（Ｆａｕｌｔ  Ｐｅｒｆｏｒｍａｎｃｅ  Ｍａｎａｇｅｍｅｎｔ）と、マルチキャスト機能（ＭＬＤ）とを、アプリによって実行する。
【０４６１】
スイッチ（ＳＷ）は、Ｌ２信号処理機能（ＶＬＡＮ）と、Ｌ２信号処理機能（ＱｏＳ、Ｑｕａｌｉｔｙ  ｏｆ  Ｓｅｒｖｉｃｅ）と、Ｌ２信号処理機能（Ｍｕｘ／ＤＭｕｘ、ＸＣ、Ｃｒｏｓｓ  Ｃｏｎｎｅｃｔ）と、マルチキャスト機能（Ｃｏｐｙ）とを、アプリによって実行する。ＯＳＵのＭＡＣは、ＰＯＮ主信号処理機能（Ｓｅｃｕｒｉｔｙ）と、ＰＯＮ主信号処理機能（Ｆｒａｍｉｎｇ）と、ＰＯＮ主信号処理機能（ＦＥＣ）と、周波数・時刻同期機能とを、アプリによって実行する。
【０４６２】
図２５では、ＣＰＵの囲みが基本機能部１３２と独自機能での処理、ＯＳＵのＭＡＣがベンダ依存部分での処理の例を示しているが、この分類に限定しない。図２５のＣＰＵは、図２４のＣＰＵパッケージや、図２４のサーバ等上やそれ以外の処理能力を持つ箇所又はそれらの組み合わせであってもよい。ＯＳＵのＭＡＣは、ＯＳＵ処理をする専用のＬＳＩを想定しているが、同等の処理が可能であれば汎用ＬＳＩを用いてもよい。
【０４６３】
図２６は、主要８機能のアプリの処理とＧ．９８９．３機能との対応の例を示す図である。ＤＢＡアプリと、ＤＷＢＡアプリと、ＯＮＵ登録認証アプリと、省電力アプリと、プロテクションと、高速監視アプリとは、ＴＷＤＭ  ＴＣレイヤのＴＷＤＭ  ＴＣ機能部（ＴＷＤＭ  ＴＣ  ｆｕｎｃｔｉｏｎｓ）と接続されている。ＭＬＤプロシキは、Ｌ２機能部（Ｌ２  ｆｕｎｃｔｉｏｎ）と接続されている。Ｌ２機能部は、ユーザ・データ・クライアント（Ｕｓｅｒ  Ｄａｔａ  Ｃｌｉｅｎｔ）と接続されている。設定・管理アプリと、低速監視アプリ（ＯＭＣＩ）と、低速監視アプリ（ＯＳＳ−ＩＦ）とは、Ｌ２機能部（Ｌ２  ｆｕｎｃｔｉｏｎ）に接続されている。設定・管理アプリと、低速監視アプリ（ＯＭＣＩ）と、低速監視アプリ（ＯＳＳ−ＩＦ）とは、更にＯＭＣＩクライアントに接続されている。
【０４６４】
図２７は、ＰＬＯＡＭ及びＯＭＣＩをＳＷ経由で取得する構成の例を示す図である。すなわち、図２７は、ＰＬＯＡＭ及びＯＭＣＩが、ユーザデータに加えて、図８の制御部１４又はプロキシ部１５又は外部サーバ１６から、対応するデータをＳＷ経由で取得する処理を示す。
【０４６５】
ユーザ・データ・クライアント（Ｕｓｅｒ  Ｄａｔａ  Ｃｌｉｅｎｔ）は、スイッチ部（ＳＷ）経由で、ユーザ・データ・アダプタ（Ｕｓｅｒ  Ｄａｔａ  Ａｄａｐｔｅｒ）からデータを取得する。ユーザ・データ・クライアントは、スイッチ部経由で、ユーザ・データ・アダプタにデータを送信する。ＣＰＵのＯＭＣＩクライアント（ＯＭＣＩ  Ｃｌｉｅｎｔ）は、スイッチ部経由で、ＯＭＣＩアダプタ（ＯＭＣＩ  Ａｄａｐｔｅｒ）からデータを取得する。ＯＭＣＩクライアントは、スイッチ部経由で、ＯＭＣＩアダプタにデータを送信する。
【０４６６】
ＣＰＵのＰＬＯＡＭプロセッサは、スイッチ部経由で、「ＡＭＣＣ  ＰＨＹアダプテーション・フレーミング部」（ＡＭＣＣ  ＰＨＹ  ａｄａｐｔａｔｉｏｎ  Ａｎｄ  ｆｒａｍｉｎｇ）から、データを取得する。ＣＰＵのＰＬＯＡＭプロセッサは、スイッチ部経由で、「ＡＭＣＣ  ＰＨＹアダプテーション・フレーミング部」に、データを送信する。また、ＣＰＵのＰＬＯＡＭプロセッサは、スイッチ部経由で、ＰＬＯＡＭパーティション部（ＰＬＯＡＭ  ｐａｒｔｉｔｉｏｎ）から、データを取得する。ＣＰＵのＰＬＯＡＭプロセッサは、スイッチ部経由で、ＰＬＯＡＭパーティション部に、データを送信する。
【０４６７】
ＴＷＤＭ  ＴＣレイヤのＴＷＤＭ  ＴＣ機能部（ＴＷＤＭ  ＴＣ  ｆｕｎｃｔｉｏｎｓ）は、スイッチ部経由で、エンベデッド・ヘッダ領域（Ｅｍｂｅｄｄｅｄ  ｈｅａｄｅｒ  ｆｉｅｌｄｓ）から、データを取得する。ＴＷＤＭ  ＴＣレイヤのＴＷＤＭ  ＴＣ機能部は、スイッチ部経由で、エンベデッド・ヘッダ領域にデータを送信する。
【０４６８】
なお、図３及び図４の例では、ソフト化領域を、基本機能部１３２、管理・制御エージェント部１３３、拡張機能部１３１、ミドルウェア部１２０としたが、ソフト化領域は、サービスアダプテーション（暗号化、フラグメント処理、ＧＥＭフレーム化／ＸＧＥＭフレーム化、ＰＨＹアダプテーションのＦＥＣ、スクランブル、同期ブロック生成／抽出、ＧＴＣ（ＧＰＯＮ  Ｔｒａｎｓｍｉｓｓｉｏｎ  Ｃｏｎｖｅｒｇｅｎｃｅｓ）フレーム化、ＰＨＹフレーム化、ＳＰ変換、符号化方式も対象としてもよい。アーキテクチャのソフト化機能の実装例とハードウェア部１１１（ＰＨＹ）及びハードウェア部１１２（ＭＡＣ）に対応する機能配備の例を説明する。機能配備は、例えば、ネットワーク機器又は外部のサーバにソフト化機能を備える。
【０４６９】
複数のＯＳＵ、スイッチ、情報処理部及び制御部を備えるＯＬＴを想定する。各ＯＳＵは、波長毎に異なる送受信部を備える。この場合、ミドルウェア部１２０が各ＯＳＵ及びスイッチに搭載され、機器無依存アプリ部１３０などのソフト化領域が情報処理部に搭載される。
【０４７０】
情報処理部すなわちＣＰＵは、機器無依存アプリ部１３０を実行する。機器無依存アプリ部１３０は、ＯＳＵ用の拡張機能部１３１と、スイッチ用の拡張機能部１３１と、制御部用の拡張機能部１３１とを含む。ＯＳＵ用の拡張機能部１３１は、例えば、省電力アプリ、プロテクションアプリ、ＤＢＡアプリ、ＯＮＵ登録認証アプリである。スイッチ用の拡張機能部１３１は、例えば、ＭＬＤプロキシアプリである。制御部用の拡張機能部１３１は、例えば、低速監視アプリ（ＯＭＣＩ）、低速監視アプリ（ＥＭＳ−ＩＦ）、設定・管理アプリである。ＥＭＳは、例えば、ＯＳＳ（Ｏｐｅｒａｔｉｏｎ  Ｓｕｐｐｏｒｔ  Ｓｙｓｔｅｍ）である。
【０４７１】
Ｇ．９８９．３の場合、例えば、図２１、２３〜２５に示すようになる。ＤＢＡアプリの場合、図３及び図４に示すミドルウェア部１２０又は図５及び図６に示す基本機能部１３２は、ＴＣレイヤのハードウェア部１１１（ＰＨＹ）及びハードウェア部１１２（ＭＡＣ）であるエンベデッドＯＡＭエンジン（Ｅｍｂｅｄｄｅｄ  ＯＡＭ  Ｅｎｇｉｎｅ）を動作させる。そして、ＰＭＤレイヤのハードウェア部１１１（ＰＨＹ）及びハードウェア部１１２（ＭＡＣ）である送受信部がＤＢＡアプリに従って受信する。なお、送受信部がＤＢＡに従わない上り信号でも受信する場合、ＤＢＡアプリに従わないとしてもよい。
【０４７２】
情報処理部は、これらのソフト化機能に限らず、それ以外のソフト化機能を備えていてもよい。ハードウェア部１１１（ＰＨＹ）及びハードウェア部１１２（ＭＡＣ）は、送受信部、ＯＳＵ、スイッチ、制御部、情報処理部に限らない。例えば、情報処理部は、送受信部、ＯＳＵ、スイッチ、制御部に含まれていてもよい。また図８に示すように、スイッチのＮＮＩ（Ｎｅｔｗｏｒｋ−Ｎｅｔｗｏｒｋ  Ｉｎｔｅｒｆａｃｅ）側に、スイッチに入出力する信号を処理するプロキシ部又は外部サーバを備えていてもよい。外部サーバ１６は、複数の装置を備えるデータセンタ等のいわゆるクラウドと呼ばれる情報処理機能であってもよい。
【０４７３】
各機能は、処理能力や処理遅延の要求に応じて適宜配置してもよい。また、ＯＳＵにスイッチ部１２又はスイッチ部１３を備えていてもよいし、スイッチとは別途スイッチ（スイッチ部１３を備える場合のスイッチ部１２）を備えていてもよい。スイッチの機能はスイッチ部１２とスイッチ部１３で重複せずにスイッチの処理能力等に従って適宜分担することが望ましいが、重複してもよい。
【０４７４】
ソフト化機能を配備する箇所は、情報処理部に限らず、複数の演算処理可能な箇所に配置してもよい。例えば、ソフト化機能を配備する箇所は、送受信部、ＯＳＵのスイッチ、ＯＳＵのスイッチ以外、ＯＬＴの制御部、ＯＬＴのスイッチ、ＯＬＴの情報処理部、ＯＬＴのスイッチと制御部と情報処理部以外、スイッチのＮＮＩ側にスイッチに入出力する信号を処理するプロキシ部また外部サーバ等の処理装置のいずれかであってもよい。
【０４７５】
また、ソフト化機能の配置は、ソフト化機能毎であってもよいし、単一のソフト化機能を分割したソフト化機能の一部であってもよい。例えば、送受信部に関するものを送受信部以外の他の箇所、例えば、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＰＯＮ終端に関するものをＰＯＮ終端処理配備箇所以外の他の箇所、例えば、ＯＳＵの送受信部、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０４７６】
ＯＮＵのスイッチに関するものをＯＮＵのスイッチ以外の他の箇所、例えば、送受信部、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＯＬＴのスイッチに関するものをＯＬＴのスイッチ以外の他の箇所、例えば、送受信部、ＯＳＵのスイッチ、ＯＳＵの送受信部以外且つスイッチ以外、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０４７７】
また、ソフト化機能を配備する箇所は拡張機能部１３１の配備の状況や、演算可能な箇所の演算能力や演算負荷や消費電力等に応じて、適宜変更してもよい。
【０４７８】
ＯＬＴの主信号処理に係る主要な機能と機能間の関係を説明する。ＯＬＴ機能をスイッチに移行する。ＰＨＹアダプテーション機能、フレーム化機能、サービスアダプテーション機能などのＰＯＮ区間処理を行うＰＯＮ主信号処理機能を、送受信部に配備する。ＯＮＵ登録又は認証機能、ＤＢＡ制御機能、ＤＷＡ機能などのＰＯＮアクセス制御機能を情報処理部に配備する。フレーム化で利用されるＶＬＡＮ制御、シェーパの前段の優先制御、マックス又はデマックス（Ｍｕｘ／ＤＭｕｘ）及びキュー（Ｑｕｅｕｅ）、並びにフレーム化の前段のシェーパなどのＬ２主信号処理機能をスイッチに配備する。
【０４７９】
シェーパの前段のコピー機能、コピーで利用されるＭＬＤプロキシなどのマルチキャスト機能をスイッチに配備する。このように、ＰＯＮに配備されていたＰＯＮ主信号処理機能及びＰＯＮアクセス制御機能をスイッチに配備することで、ＰＯＮ基本機能部を縮小する。特に、Ｌ２主信号処理は重複を避け、スイッチに配備することが好ましい。
【０４８０】
なお、スイッチの機能として、Ｃｌａｓｓｉｆｉｅｒ（クラシファイア）、Ｍｏｄｉｆｉｅｒ（モディファイア）、Ｐｏｌｉｃｅｒ／Ｓｈａｐｅｒ（ポリサー／シェーパ）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）の順に備える前提で例示したが適宜変更してもよい。例えば、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒの全ての機能をスイッチで実施してもよいし、スイッチでＭｏｄｉｆｉｅｒ、Ｃｒｏｓｓ  Ｃｏｎｎｅｃｔ、Ｑｕｅｕｅ、Ｓｃｈｅｄｕｌｅｒのみ実施してもよい。
【０４８１】
更に、ＰＯＮ終端後のパス等を記載するＶＩＤ等をＯＮＵで付与すれば、Ｃｒｏｓｓ  Ｃｏｎｎｅｃｔ、Ｑｕｅｕｅ、Ｓｃｈｅｄｕｌｅｒすればよい。上位ネットワークが単一パスと見做せれば、Ｑｕｅｕｅ、Ｓｃｈｅｄｕｌｅｒでよい。また、Ｃｒｏｓｓ  Ｃｏｎｎｅｃｔでフレームが衝突しないようにＤＢＡすれば、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、とすることができる。更に、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、ＰＯＮ終端後のパス等を記載するＶＩＤ等をＯＮＵで付与すれば、Ｃｒｏｓｓ  Ｃｏｎｎｅｃｔのみとすることもできる。
【０４８２】
また、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒで、Ｃｌａｓｓｉｆｉｅｒ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｑｕｅｕｅ、Ｓｃｈｅｄｕｌｅｒとしてもよいし、Ｐｏｌｉｃｅｒ／Ｓｈａｐｅｒの前段にＱｕｅｕｅを置いて、Ｃｌａｓｓｉｆｉｅｒ、Ｍｏｄｉｆｉｅｒ、Ｑｕｅｕｅ、Ｐｏｌｉｃｅｒ／Ｓｈａｐｅｒ、Ｃｒｏｓｓ  Ｃｏｎｎｅｃｔ、Ｓｃｈｅｄｕｌｅｒとしたり、Ｃｌａｓｓｉｆｉｅｒ、Ｑｕｅｕｅ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｓｃｈｅｄｕｌｅｒとしたりしてもよい。ＰＯＮのバースト伝送や、マルチキャスト等の優先トラフィックを多重することによって生ずるバースト性による不要のＰｏｌｉｃｉｎｇ（ポリシング）／Ｓｈａｐｉｎｇ（シェイピング）や、受信側での平準化したトラフィックの受信を考慮するとＰｏｌｉｃｅｒ／Ｓｈａｐｅｒの前段にＱｕｅｕｅを置いて平準化した後にＰｏｌｉｃｉｎｇ／Ｓｈａｐｉｎｇによる処理を実行することが望ましい。
【０４８３】
特定の状態への状態遷移に際して、スリープ動作等の主体は、スリープ動作等の主体（通信装置が備える機器）の指示を、スリープ動作等の主体とは独立している外部に保管することによって、動作を継承することが可能となる。特定の状態は、例えば、スリープ状態、運用系の通信装置の切替状態、ユーザ収容切替状態、マルチキャスト状態である。情報が通信装置の外部に保持されているため、他の通信装置への切替に際して、スリープ動作等の継承性が失われないようにすることが可能となる。通信装置は、機器が保持している情報の継承性を確保することが可能となる。
【０４８４】
また、通常の汎用化、ソフトウェア化したスイッチを実行部として流用することによって、汎用化、ソフトウェア化したスイッチの安価且つ柔軟かつ迅速な機能追加が可能なＯＬＴを実現することが可能となる。
【０４８５】
以上示した実施形態１−１に係る構成は、以下の実施形態でも同様であり、適宜組み合わせてもよい。例えば、図３では、本システムが、実行部の構成が送受信部１１（ＴＲｘ）、スイッチ部１２及びスイッチ部１３のみの場合を例示するが、送受信部１１（ＴＲｘ）、スイッチ部１２及びスイッチ部１３以外の箇所、それ以外の場所、ＰＯＮの終端する箇所や、制御部１４を実行部としてもよい。
【０４８６】
（実施形態１−２）
実施形態１−１ではＴＷＤＭ−ＰＯＮに用いられる構成を例示したが、ＴＤＭ−ＰＯＮに適用してもよい。ＴＤＭ−ＰＯＮでは、λ設定切替（ＤＷＡ）のようなＯＮＵの間ＯＮＵ−ＯＬＴのＰＯＮ区間の波長リソースを波長分割多重する機能を備えていなくてもよいことを除けば実施形態１−１と同様である。
【０４８７】
（実施形態１−３）
実施形態１−１ではＴＷＤＭ−ＰＯＮに用いられる構成を例示したが、ＷＤＭ−ＰＯＮに適用してもよい。ＷＤＭ−ＰＯＮでは、ＤＢＡのようなＯＮＵの間ＯＮＵ−ＯＬＴのＰＯＮ区間の帯域リソースを時分割多重する機能を備えていなくてもよいことを除けば、実施形態１−３は実施形態１−１と同様である。
【０４８８】
（実施形態１−４）
本実施形態は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）−ＰＯＮ、ＣＤＭ（Ｃｏｄｅ  Ｄｉｖｉｓｉｏｎ  Ｍｕｌｔｉｐｌｅｘ）−ＰＯＮ、ＳＣＭ（Ｓｕｂｃａｒｒｉｅｒ  Ｍｕｌｔｉｐｌｅｘ）−ＰＯＮ、芯線分割多重を含めた組み合わせである。
【０４８９】
実施形態１−１ではＴＷＤＭ−ＰＯＮに用いられる構成を例示したが、波長と時間以外のリソースを共用するＰＯＮに適用してもよい。例えば、１波長の電気の周波数リソースを分割多重するＯＦＤＭ−ＰＯＮ、１波長の電気の周波数リソースを分割多重するＳＣＭ−ＰＯＮ、符号で分割多重するＣＤＭ−ＰＯＮに適用してもよいし、芯線分割多重を併用してもよいし、マルチコアファイバ等を用いた空間分割多重を併用してもよいし、波長分割多重を用いなくてもよい。ＴＷＤＭ−ＰＯＮの波長リソースを波長分割多重する機能を、それぞれの多重するリソースに分割多重するに要する機能に対応する機能に読み替えれば同様である。
【０４９０】
（実施形態２）
実施形態２では、ＴＷＤＭ−ＰＯＮに用いられる構成が、ＧＥＭカプセル化を行う。この場合、ＧＥＭフレームを生成するアダプタをスイッチに備え、スイッチとそれ以外の部分の間でＧＥＭフレームを導通するようにする。ＧＥＭカプセル化までスイッチに移管することで、それ以外の部分のプロトコルスタックからＬ２機能部を除外し、スイッチとそれ以外の部分で、Ｌ２機能部の重畳を回避することができる。
【０４９１】
なお、ＴＷＤＭ−ＰＯＮを例に挙げたが、実施形態１−２〜実施形態１−４のように、ＰＯＮ区間での識別するためのフレームを同様に扱えばそれ以外のＰＯＮであっても同様の効果が得られる。例えば、ＩＥＥＥの規格のＧＥ−ＰＯＮ、１０ＧＥ−ＰＯＮ等であれば、ＧＥＭフレームの代わりに、ＬＬＩＤを付与してＬＬＩＤの付与されたフレームをスイッチとそれ以外の部分の間を導通するようすればよい。
【０４９２】
（実施形態３）
実施形態３では、ＴＷＤＭ−ＰＯＮに用いられる制御情報が、スイッチを経由する。この場合、ブリッジ機能関連をスイッチに移管する代わりに、制御情報を保持するＰＬＯＡＭ、Ｅｍｂｅｄｄｅｄ  ＯＡＭ、ＯＭＣＩのいずれかを必要に応じてフレーム化してスイッチ経由で処理する。制御情報をスイッチ経由で入出力することで、スイッチ以外の処理が軽くなる効果がある。なお、実施形態３の移管に加えて、実施形態１及び実施形態２のブリッジ機能のスイッチへの移管を行ってもよい。
【０４９３】
なお、ＴＷＤＭ−ＰＯＮを例に挙げたが、制御情報を同様に扱いスイッチ経由で処理すれば、実施形態１−２〜実施形態１−４のように、それ以外のＰＯＮであっても同様の効果が得られる。
【０４９４】
以上のように、実施形態のＯＬＴ２ａは、複数のＯＮＵ３との通信を実行する複数の応答部４を備える。応答部４は、応答処理等を、ＯＮＵ３に対応付けられた少なくとも一つの応答部４に割振る。動的割当処理が割振られた応答部４は、所定の条件を満たす場合、応答処理等を実行する。これによって、実施形態のＯＬＴ２は、動的割当の演算能力が不足しないようにすることが可能である。
【０４９５】
実施形態の割振部５は、識別子と、通信の応答がＯＮＵ３からＯＬＴ２に到着した時刻と、処理が生成された時刻とのうち少なくとも一つに基づいて、応答処理等を割振る。実施形態のＯＬＴ２は、応答処理等が割振られたか否かを割振部５から応答部４に通知するためのインタフェースを備える。
【０４９６】
また、実施形態のＯＬＴ２ｂは、複数のＯＮＵ３との通信を実行する複数の応答部４と、割振部５とを備える。割振部５は、応答処理等を、ＯＮＵ３に対応付けられた少なくとも一つの応答部４に割振る。応答処理等が割振られた応答部４は、所定の条件を満たす場合、応答処理等を実行する。これによって、実施形態のＯＬＴ２は、応答処理等の演算能力が不足しないようにすることが可能である。
【０４９７】
上述した実施形態におけるＯＬＴ２（通信装置）及びＯＮＵ３（通信装置）の少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、更に前述した機能をコンピュータシステムに既に記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【０４９８】
以上、この発明の実施形態について図面を参照して詳述してきたが、具体的な構成はこの実施形態に限られるものではない。上記の実施形態は例示に過ぎず、本発明は当業者の知識に基づいて種々の変更、改良を施した形態で実施することができ、この発明の要旨を逸脱しない範囲の設計等も含まれる。
【符号の説明】
【０４９９】
１…通信システム、２ａ…ＯＬＴ、２ｂ…ＯＬＴ、３…ＯＮＵ、４…応答部、５…割振部、１１…送受信部、１２…スイッチ部、１３…スイッチ部、１４…制御部、１５…プロキシ部、１６…外部サーバ、２１…機器無依存ＡＰＩ、２２…機器無依存ＡＰＩ、２３…機器依存ＡＰＩ、２４…機器依存ＡＰＩ、２５…機器依存ＡＰＩ、２６…ＡＰＩ、２７…機器無依存ＡＰＩ、１１０…機器依存部、１１１…ハードウェア部、１１２…ハードウェア部、１１３…ソフトウェア部、１１４…ＯＡＭ部、１１４ａ…エンベデッドＯＡＭエンジン、１１４ｂ…ＰＬＯＡＭエンジン、１１５…ＮＥ管理・制御部、１１５ａ…ＮＥ管理部、１１５ｂ…ＮＥコントロール、１２０…ミドルウェア部、１２１…ミドルウェア部、１３０…機器無依存アプリ部、１３１…拡張機能部、１３１−１…拡張機能部、１３１−２…拡張機能部、１３１−３…拡張機能部、１３２…基本機能部、１３３…管理・制御エージェント部、１４０…ＥＭＳ、１５０…機器依存アプリ部、１６０…外部の装置、３００…ＰＯＮ主信号処理機能部、３１０…ＰＭＤ部、３２０…ＰＯＮアクセス制御機能部、３３０…保守運用機能部、３４０…Ｌ２主信号処理機能部、３５０…ＰＯＮマルチキャスト機能部、３６０…省電力制御機能部、３７０…周波数・時刻同期機能部、３８０…プロテクション機能部
【図１】
2018129776.tif 000003
【図２】
2018129776.tif 000004
【図３】
2018129776.tif 000005
【図４】
2018129776.tif 000006
【図５】
2018129776.tif 000007
【図６】
2018129776.tif 000008
【図７】
2018129776.tif 000009
【図８】
2018129776.tif 000010
【図９】
2018129776.tif 000011
【図１０】
2018129776.tif 000012
【図１１】
2018129776.tif 000013
【図１２】
2018129776.tif 000014
【図１３】
2018129776.tif 000015
【図１４】
2018129776.tif 000016
【図１５】
2018129776.tif 000017
【図１６】
2018129776.tif 000018
【図１７】
2018129776.tif 000019
【図１８】
2018129776.tif 000020
【図１９】
2018129776.tif 000021
【図２０】
2018129776.tif 000022
【図２１】
2018129776.tif 000023
【図２２】
2018129776.tif 000024
【図２３】
2018129776.tif 000025
【図２４】
2018129776.tif 000026
【図２５】
2018129776.tif 000027
【図２６】
2018129776.tif 000028
【図２７】
2018129776.tif 000029